(57)【要約】      （修正有）【課題】カートリッジ厚みを薄くし、シンプルなシャッタ構成とする。ディスクをカートリッジ内でガタつきなく保持し、埃付着を低減する。【解決手段】ディスクカートリッジは、ディスク開口部１２ｗおよび底部を有し、ディスクを回転可能な状態で、収納するディスク収納部と、チャッキング開口部と、ディスク収納部の底部に設けられたヘッド開口部とを含むカートリッジ本体、ディスク収納部の底部上に設けられ、ヘッド開口部を、開閉する第１第２のシャッタ、および、第１第２のシャッタ上に保持され、ディスク収納部内で回転することによって、第１第２のシャッタが開閉動作を行うように第１第２のシャッタに係合している回転部材２５を備え、回転部材２５は、第１第２のシャッタが閉塞した状態にあるときにディスクの外周縁部と接触してディスクを受ける接触領域２５ｎと、接触領域の外側に設けられた溝２５ｐとを有するディスク受け部２５ａを含む。【選択図】図１５２
2006092736.tif 000002
【特許請求の範囲】
【請求項１】
ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、
前記ディスク収納部の底部上に設けられており、前記ヘッド開口部を外部に対して、開放または閉塞するための第１および第２のシャッタ、
前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、
前記第１および第２のシャッタの一部にそれぞれ設けられており、前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定する第１および第２のディスク保持部、および
前記ディスク開口部内に突出した脱落防止部材、
を備え、
前記第１のディスク保持部は、前記第１および第２のシャッタが閉塞する際、前記第２のディスク保持部が前記ディスクと接触する前に、前記脱落防止部材の近傍において前記ディスクと接触するディスクカートリッジ。
【請求項２】
前記第１のディスク保持部の少なくとも一部は、前記第１および第２のシャッタが閉塞するとき、前記脱落防止部材の下方に位置し、前記ディスクと接触する請求項１に記載のディスクカートリッジ。
【請求項３】
前記第１および第２のディスク保持部はそれぞれ逆テーパ状の斜面を含み、前記斜面を前記ディスクの外周の稜に当接させることにより、前記ディスクを把持して固定し、かつ、前記ディスクを前記ディスク収納部の底部側へ押し付けて保持する請求項２に記載のディスクカートリッジ。
【請求項４】
前記第１のディスク保持部は、前記脱落防止部材の近傍において前記ディスクと接触した後、前記第２のディスク保持部が前記ディスクと接触し、把持し得るよう、前記ディスク収納部内のディスクの傾き及び位置を変える構造を有する請求項３に記載のディスクカートリッジ。
【請求項５】
前記第１のディスク保持部の傾き及び位置を変える構造は、前記第１および第２のシャッタが閉塞する際、前記第１のディスク保持部が移動する方向に対して非平行でかつ、逆テーパ状の斜面を形成するように配置された第１の規制面と、前記第１または第２のシャッタと平行に配置された第２の規制面とを含む請求項４に記載のディスクカートリッジ。
【発明の詳細な説明】
【技術分野】
【０００１】
本発明は、光ディスク、磁気ディスク等のディスク状の信号記録媒体を、回転可能な状態で収納するディスクカートリッジに関する。
【背景技術】
【０００２】
従来より、ディスク状の信号記録媒体を保持するためのディスクカートリッジが提案されている。
【０００３】
例えば、特許文献１は、片面もしくは両面に信号記録面を有するディスク状の記録媒体（以下ディスクと称する）が、上ハーフおよび下ハーフからなるカートリッジ本体の内部に設けたディスク収納部の中に、完全に覆われた形で収納されるディスクカートリッジを開示している。このカートリッジ本体には、スピンドルモータのターンテーブルおよびクランパがディスクをチャッキングするためのチャッキング開口部と、ヘッドがディスクに対して信号の再生および記録を行うためのヘッド開口部が形成されている。チャッキング開口部とヘッド開口部とは連なっており、カートリッジを携帯して搬送する際、これらの開口部から埃が侵入したりディスクに指紋が付着したりしやすい。このため、これらの開口部を覆うシャッタがディスクカートリッジに形成されている。
【特許文献１】特開平９−１５３２６４号公報
【発明の開示】
【発明が解決しようとする課題】
【０００４】
しかし、この構造のディスクカートリッジの場合、ディスクカートリッジをディスク装置に挿入してディスクに対して記録再生を行うために、ディスク回転時の面ぶれ、ディスクの反り、およびカートリッジのディスク装置への位置決め誤差を許容するための空間を、上ハーフと下ハーフとの間に形成されるディスクを収納する空間に確保する必要が生じる。このため、カートリッジ本体の厚みが大きくなってしまうという問題点を有していた。
【０００５】
また、下ハーフにはスピンドルモータのターンテーブル用の開口部とヘッド開口部とが設けられ、上ハーフにはクランパ用の開口部が設けられているため、これらを同時に塞ぐためのシャッタは、上ハーフから下ハーフにかけて連なるコの字形状を備えている必要がある。しかし、このような形状のシャッタは高価であるため、ディスクカートリッジの製造コストを上昇させる結果となっていた。
【０００６】
さらに、金属ハブの付いたディスクの場合は磁力によりガタつきの無いように吸引することも可能であるが、ＣＤやＤＶＤといったハブの無い光ディスクの場合、一般にディスクはカートリッジ内で固定されずにフリーの状態にある。このため、ディスク装置内でシャッタが開き、開口部からカートリッジ内に侵入した埃がディスクに付着するという問題点も有していた。また、ディスクのガタつきによりディスクの信号記録面が傷ついたり、ディスクとカートリッジ内壁との衝突により、粉塵を生じ、その粉塵がディスクに付着するという問題点も有していた。
【０００７】
本発明は上記課題を解決し、特に片面のみに記録面を有するディスクを収納するカートリッジにおいて、厚みを薄くし、シンプルなシャッタ構成としてディスクカートリッジのコストを低減することを目的とする。また、ディスクをディスクカートリッジ内で保持しガタつきを無くし、ディスクへの埃の付着を低減し、さらに露出したディスクレーベル面を利用することによりデザイン的に優れたディスクカートリッジを提供することを目的とする。
【課題を解決するための手段】
【０００８】
本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、  前記ディスク収納部の底部上に設けられており、前記ヘッド開口部を外部に対して、開放または閉塞するための第１および第２のシャッタ、および前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材を備え、前記回転部材は、前記第１および第２のシャッタが閉塞した状態にあるときに前記ディスクの第２の面の外周縁部と接触して前記ディスクを受ける接触領域と、前記接触領域の外側に設けられた溝とを有するディスク受け部を含む。
【０００９】
ある好ましい実施形態において、前記回転部材は、前記第１および第２のシャッタが開放した状態にあるときに前記ヘッド開口部に位置するようディスク受け部に設けられた切り欠きを有し、前記ディスク収納部は、前記底部の外周に沿って設けられた側壁を有し、前記第１および第２のシャッタが閉塞した状態にあるときに、前記回転部材の切り欠きが位置する領域において、前記ディスク収納部の側壁に前記ディスクの外側面が当接するよう、前記ディスクの中心を前記ディスク収納部の中心に対してオフセットさせて保持するディスク保持部を前記第１および第２のシャッタに有する。
【００１０】
ある好ましい実施形態において、前記ディスク受け部の溝は、前記第１および第２のシャッタが閉塞した状態において、前記ディスク収納部において露出している。
【００１１】
ある好ましい実施形態において、前記回転部材は、前記溝の一部を埋めるように設けられた複数の埋め込み部を有する。
【００１２】
ある好ましい実施形態において、前記埋め込み部の周方向の長さは１ｍｍ以上である。
【００１３】
ある好ましい実施形態において、前記埋め込み部は、前記ディスク開口部の中心側に傾斜した上面を有している。
【００１４】
また、本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材、前記第１および第２のシャッタの一部にそれぞれ設けられており、前記シャッタの開閉動作に連動して、前記第１および第２のシャッタが前記チャッキング開口部および前記ヘッド開口部を閉塞する際、前記第１および第２のシャッタもしくは前記カートリッジ本体に対してディスクを固定する第１および第２のディスク保持部、および、前記ディスク開口部内に突出した脱落防止部材を備え、前記第１のディスク保持部は、前記第１および第２のシャッタが閉塞する際、前記第２のディスク保持部が前記ディスクと接触する前に、前記脱落防止部材の近傍において前記ディスクと接触する。
【００１５】
ある好ましい実施形態において、前記第１のディスク保持部の少なくとも一部は、前記第１および第２のシャッタが閉塞するとき、前記脱落防止部材の下方に位置し、前記ディスクと接触する。
【００１６】
ある好ましい実施形態において、前記第１および第２のディスク保持部は、それぞれ逆テーパ状の斜面を含む、前記斜面を前記ディスクの外周の稜に当接させることにより、前記ディスクを把持して固定し、かつ、前記ディスクを前記ディスク収納部の底部側へ押し付けて保持する。
【００１７】
ある好ましい実施形態において、前記第１のディスク保持部は、前記脱落防止部材の近傍において前記ディスクと接触した後、前記第２のディスク保持部が前記ディスクと接触し、把持し得るよう、前記ディスク収納部内のディスクの傾き及び位置を変える構造を有する。
【００１８】
ある好ましい実施形態において、前記第１のディスク保持部の傾き及び位置を変える構造は、前記第１および第２のシャッタが閉塞する際、前記第１のディスク保持部が移動する方向に対して非平行でかつ、逆テーパ状の斜面を形成するように配置された第１の規制面と、前記第１または第２のシャッタと平行に配置された第２の規制面とを含む。
【００１９】
また、本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、および、前記ディスク収納部内の前記第１および第２のシャッタ上に保持されており、前記ディスク収納部内で回転することによって、前記第１および第２のシャッタが開閉動作を行うように前記第１および第２のシャッタに係合している回転部材を備え、前記カートリッジ本体は、前記第１および第２のシャッタが開放状態にあるとき、前記回転部材の底部の一部と接触し、前記回転部材を保持する回転部材受け部を有する。
【００２０】
ある好ましい実施形態において、前記回転部材受け部は、ヘッド開口部の近傍に設けられ、前記ディスク開口部に面した斜面を有しており、前記第１および第２のシャッタが開放状態にあるとき、前記回転部材の底部の外周の一部が、前記斜面と接触する。
【００２１】
ある好ましい実施形態において、前記回転部材は、前記ディスク収納部の底部へ向かって突出する第１および第２の突起を有し、前記第１および第２のシャッタは、前記回転部材の第１および第２の突起にそれぞれ係合する第１および第２の案内溝を有しており、前記第１および第２の突起のうち少なくとも一方は、対応する案内溝から脱落しないよう爪部をその先端に有している。
【００２２】
ある好ましい実施形態において、前記第１および第２のシャッタは、前記第１および第２のシャッタが閉塞状態にあるとき、前記ディスクのセンタホールと重なる位置に孔を形成するよう、それぞれに設けられた切り欠きと、前記切り欠きの周縁に設けられた第１および第２の凸部と、前記第１および第２の凸部上であって、前記第１および第２のシャッタが閉塞状態にあるとき、前記ディスクのセンタホール内へ突出する第１、第２および第３の突起とを有する。
【００２３】
ある好ましい実施形態において、前記回転部材は、前記ディスクの第２の面の外周縁部を受けるように設けられたディスク受け部およびディスク受け部に設けられた切り欠きを有し、前記切り欠きは、前記第１および第２のシャッタが開放状態にあるときに前記ヘッド開口部に位置しており、前記ディスク収納部の底部であって、前記第１および第２のシャッタが開放するときに、前記回転部材の切り欠きが通過し、ディスク受け部と前記第１または第２のシャッタとが重なる領域に設けられた凹部を前記カートリッジ本体が有する請求項９に記載のディスクカートリッジ。
【００２４】
ある好ましい実施形態において、前記カートリッジ本体は、前記ヘッド開口部近傍に設けられた第１および第２の凸部を有し、前記第１および第２のシャッタの一方および前記回転部材は、前記第１および第２のシャッタが閉塞状態にあるとき、前記カートリッジ本体の第１および第２の凸部にそれぞれ当接する第１および第２の凸部を有している。
【００２５】
また、本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するためのシャッタ、および、前記ディスク開口部に一部が突出するように前記カートリッジ本体の上面に固定された脱落防止部材を備え、前記脱落防止部材は、少なくとも１つの位置決めピンと、第１の係合部が設けられた少なくとも１つの係合ピンとを有し、前記カートリッジ本体は、前記カートリッジ上体から下体へ向かう第１の方向に伸びており、前記位置決めピンが前記第１の方向と垂直な方向へ移動しないように前記位置決めピンを保持する少なくともと１つの位置決め孔と、前記第１の方向に伸びており、前記第１の係合部が第１の方向へ移動しないように係合する第２の係合部を有する少なくとも１つの係合孔とを有する。
【００２６】
ある好ましい実施形態において、前記カートリッジ本体は、それぞれ２つの前記位置決めピンおよび前記係合ピンを有し、前記カートリッジ本体は、それぞれ２つの位置決め孔および係合孔を有している。
【００２７】
また、本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、および、前記ディスク収納部内の前記第１および第２のシャッタ上に支持されており、前記ディスク収納部内で回転することによって、前記第１および第２のシャッタが開閉動作を行うように前記第１および第２のシャッタに係合している回転部材を備え、前記回転部材は、前記第１および第２のシャッタが閉塞した状態にあるときに前記ディスクの第２の面の外周縁部と接触して前記ディスクを受けるディスク受け部および前記第１および第２のシャッタが開放した状態にあるときに前記ヘッド開口部に位置するようディスク受け部に設けられた切り欠きを有し、前記ディスク収納部は、前記底部の外周に沿って設けられた側壁を有し、前記第１および第２のシャッタが閉塞した状態にあるときに、前記回転部材の切り欠きが位置する領域において、前記ディスク収納部の側壁に前記ディスクの外側面が当接するよう、前記ディスクの中心を前記ディスク収納部の中心に対してオフセットさせて保持するディスク保持部を前記第１および第２のシャッタに有し、前記第１および第２のディスク保持部のそれぞれは、ディスク収納部の前記底部と垂直な方向に配置され、前記底部に面するよう傾斜した第１および第２の斜面と、第１および第２の斜面の間に設けられ、前記底部とほぼ平行な水平面とを有する。
【００２８】
また、本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、および、前記ディスク収納部内の前記第１および第２のシャッタ上に支持されており、前記ディスク収納部内で回転することによって、前記第１および第２のシャッタが開閉動作を行うように前記第１および第２のシャッタに係合している回転部材を備え、前記回転部材は、前記第１および第２のシャッタが閉塞した状態にあるときに前記ディスクの第２の面の外周縁部と接触して前記ディスクを受けるディスク受け部と、ディスク受け部外周を囲む側壁と、前記第１および第２のシャッタが開放した状態にあるときに前記ヘッド開口部に位置するよう前記ディスク受け部および側面の一部に設けられた切り欠きを有し、前記切り欠きが設けられた側壁部分は、他の部分に比べて、外周側に突き出しており、前記カートリッジ本体は、シャッタ開放時において、前記切り欠きが設けられた側壁部分を支持する支持部を前記ヘッド開口部近傍に有している。
【００２９】
また、本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、および、前記ディスク収納部内の前記第１および第２のシャッタ上に支持されており、前記ディスク収納部内で回転することによって、前記第１および第２のシャッタが開閉動作を行うように前記第１および第２のシャッタに係合している回転部材を備え、前記回転部材は、前記第１および第２のシャッタが閉塞した状態にあるときに前記ディスクの第２の面の外周縁部と接触して前記ディスクを受けるディスク収納部の底部と平行な接触領域と、前記接触領域の内側に設けられ、前記ディスクと接触しない非接触領域とを有するディスク受け部を含み、前記回転部材の非接触領および前記第１および第２のシャッタのディスクと対向する面はシボ加工されている。
【００３０】
また、本発明のディスクカートリッジは、ディスク開口部および底部を有し、第１および第２の面を有するディスクを回転可能な状態で、かつ、前記ディスク開口部から前記第１の面を外部に露出するように収納するディスク収納部と、前記ディスクを外部からチャッキングするために前記ディスク収納部の底部に設けられたチャッキング開口部と、信号の記録および／または再生を行うヘッドが前記ディスクの第２の面へアクセスするために前記ディスク収納部の底部に設けられたヘッド開口部とを含むカートリッジ本体、前記ディスク収納部の底部上に設けられており、前記ヘッド開口部を外部に対して、開放または閉塞するための第１および第２のシャッタ、および、前記ディスク収納部内の前記第１および第２のシャッタ上に支持されており、前記ディスク収納部内で回転することによって、前記第１および第２のシャッタが開閉動作を行うように前記第１および第２のシャッタに係合している回転部材を備え、前記カートリッジ本体は、前記底部上の前記チャッキング開口部および前記ヘッド開口部の周囲に凸部を有し、前記第１および第２のシャッタは、シャッタ閉塞時において前記カートリッジ本体の凸部を挟む第１および第２の凸部を前記底部と対向する面に有している。
【００３１】
ある好ましい実施形態において、前記第１および第２のシャッタは、前記回転部材の回転中心以外の点をそれぞれ回転軸として回動し、前記第１および第２のシャッタのそれぞれは、前記第１および第２の凸部と等しい高さを有し、前記回転軸を中心とする円弧に沿って伸びる第３の凸部を前記底部と対向する面に有する。
【００３２】
また、本発明のディスクドライブ装置は、上記いずれかに記載のディスクカートリッジを装填し、前記ディスクに対して情報を記録すること、および／または、前記ディスクから情報を再生することを行う。
【００３３】
また、本発明のディスクドライブ装置は、ディスクを回転させるための駆動手段と、前記ディスクに対して情報を記録すること、および／または、前記ディスクから情報を再生することを行うヘッドと、前記ディスクを収納した請求項２に記載のディスクカートリッジを前記駆動手段に対して所定の位置において支持する支持構造と、前記ディスクカートリッジのシャッタを開放し、前記ディスクを前記ディスクカートリッジのディスク収納部内で回転し得るように前記ディスクカートリッジのディスク保持部に前記ディスクの保持動作を解除させるシャッタ開閉機構とを備えている。
【００３４】
ある好ましい実施形態において、ディスクドライブ装置は、前記ディスクを駆動手段に固定するためのクランパーを更に備える。
【００３５】
ある好ましい実施形態において、前記支持構造は、前記ディスクカートリッジの位置を決定するための位置決めピンを有する。
【００３６】
本発明のディスクカートリッジの製造方法において、ディスクカートリッジは、ディスク開口部および底部を有し、第１および第２の面を有するディスクを回転可能な状態で、かつ、前記ディスク開口部から前記第１の面を外部に露出するように収納するディスク収納部を有するカートリッジ本体を備えている。本発明の方法は、ディスクを外部からチャッキングするためのチャッキング開口部と、信号の記録および／または再生を行うヘッドがディスクへアクセスするためのヘッド開口部とを底部に有するカートリッジ下体上に、前記ヘッド開口部を開閉するための第１および第２のシャッタを配置し、前記第１および第２のシャッタを駆動するための回転部材を、第１および第２のシャッタ上に配置する工程と、前記ディスク開口部を有するカートリッジ上体を前記カートリッジ下体と接合し、カートリッジ本体を形成する工程と、前記ディスク開口部から前記カートリッジ本体へ前記ディスクを挿入する工程と、前記ディスク開口部へその一部が張り出すように、脱落防止部材を前記カートリッジ本体の上面に固定する工程とを包含する。
【００３７】
ある好ましい実施形態において、前記カートリッジ上体と前記カートリッジ下体との接合を超音波融着によって行う。
【００３８】
ある好ましい実施形態において、前記カートリッジ上体および前記カートリッジ下体はＡＢＳ樹脂からなり、前記回転部材および前記第１および第２のシャッタはポリアセタール樹脂からなる。
【発明の効果】
【００３９】
本発明のディスクカートリッジによれば、特に片面のみに記録面を有するディスクを収納するのに適している。カートリッジ本体がディスクの信号記録面のみを覆い、片面を露出させる構造を備えることにより、カートリッジの厚みを小さくできる。また、シャッタを、ディスクカートリッジの片側のみを覆う形状にすることによって、構造の簡素化を図り、シャッタのコストを低下させることができる。また、ディスク保持部あるいはディスク保持部材がディスクをシャッタあるいはカートリッジ本体に押し付けて保持するので、カートリッジ本体内においてディスクがガタつくことを防止でき、ディスクの信号記録面への埃等の付着も防止できる。加えてディスク開口部に露出したディスクレーベル面を利用することによりデザイン的に優れる。
【００４０】
したがって、本発明によれば、薄型で、防塵性が高く、デザインに優れ、種々のドライブ装置に使用可能なディスクカートリッジが提供される。
【発明を実施するための最良の形態】
【００４１】
（第１の実施形態）
以下、本発明の第１の実施形態に係わるディスクカートリッジ３０１について、その全体構成をディスク１００と共に斜め上方から示した斜視図である図１、斜め下方から示す図２、及びこれを分解した状態を示す各パーツの斜視図である図３とを参照しながら説明する。
【００４２】
なお、ディスク１００は、第１および第２の面を備えており、図１では、第１の面であり、通常ディスクのラベル等が描かれている面が示されている。ディスク１００の第２の面である信号記録面１００Ａは、図３において裏面として示されている。
【００４３】
図１に示すように、ディスクカートリッジ３０１は、カートリッジ下体１１、カートリッジ上体１２、ディスク保持部材１３、１４およびシャッタ２１を含む。
【００４４】
図３に示すように、カートリッジ下体１１は、外部からディスク１００を回転させるためのスピンドルモータ等のチャッキング部材が侵入できるよう開口したチャッキング開口部１１ｃと、ディスク１００の信号記録面１００Ａに対して信号の再生および記録の少なくとも一方を行うヘッドが侵入し、アクセスできるよう開口したヘッド開口部１１ｈとを有する。また、ディスクドライブ装置の一対のカートリッジ位置決めピン２１０と嵌合してディスクドライブ装置に対するディスクカートリッジ３０１の位置決めを行う一対の位置決め孔１１ｗを有する。カートリッジ下体１１は、ディスク１００の信号記録面１００Ａと対向する。
【００４５】
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。
【００４６】
カートリッジ下体１１のディスク１００の信号記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄ（図１）が構成される。これにより、第１の内側面１１ｕがディスク収納部１０ｄの底部となる。カートリッジ下体１１の第１の内側面１１ｕには、ディスク１００への傷つきもしくは信号記録面１００Ａへの埃塵の侵入を防止する保護層１１ｐが設けられている。
【００４７】
保護層１１ｐは、傷つき防止用不織布、防塵用不織布、傷つき防止用コーティング層、および防塵用コーティング層から適宜選択することができる。本実施形態では、防塵用不織布からなるシートを保護層１１ｐとして貼着もしくは超音波溶着させている。
【００４８】
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
【００４９】
図３に示すように、ディスク保持部材１３は、一対の弾性部１３ｄと、斜めに貫通した穴部１３ｗを有しており、ディスクカートリッジ３０１は、同一の形状を有するディスク保持部材１３を２つ備える。ディスク保持部材１３の弾性部１３ｄがカートリッジ上体１２とカートリッジ下体１１とで挟まれることにより、ディスク保持部材１３の先端は矢印１３Ｂ方向に付勢され、これにより、ディスク１００を第１の内側面１１ｕに押し付けている。またこの一対のディスク保持部材１３は、それぞれ一対の位置決め孔１１ｗの真上に穴部１３ｗがほぼ位置するよう配置されている。
【００５０】
ディスク保持部材１４は、回動軸１４ｓと弾性部１４ｄとを有する。回転軸１４ｓ周りの回転可能なようにディスク保持部材１４はカートリッジ本体１０に固定され、弾性部１４ｄがカートリッジ上体１２とカートリッジ下体１１とで挟まれることにより、ディスク保持部材１４の先端は矢印１４Ｂ方向に付勢される。これにより、ディスク１００を第１の内側面１１ｕに押し付けている。
【００５１】
シャッタ２１は、ディスク１００の信号記録面１００Ａと向かい合うようカートリッジ下体１１の外側に設けられている。図１および２に示すように、矢印２１Ａまたは２１Ｂ方向にシャッタが移動して、チャッキング開口部１１ｃおよびヘッド開口部１１ｈを外部に対して開放または閉塞する。シャッタバネ３１は、シャッタ２１とカートリッジ本体１０との間に張架され、シャッタ２１を閉じる方向に付勢している。
【００５２】
図２に示すように、カートリッジ本体１０（カートリッジ下体１１）の表面には、収納されるディスク１００に書き込まれた内容などを記述することのできるラベル面または凹部１０ｆが設けられている。また、カートリッジ本体１０の左右に設けた一対の凹部１０ｃは、ドライブ装置がディスクカートリッジ３０１を引き込みローディングする際の、あるいはディスクカートリッジ３０１がチェンジャに収納された場合の、引き込み用の係止もしくは位置決め用の凹みとして用いることができる。また、片側だけに設けた凹部１０ｇは誤挿入防止形状であり、ディスクカートリッジ３０１が正しい方向に挿入された場合のみドライブ装置に設けた凸部と正常にはまり合う。一方、ディスクカートリッジ３０１を間違って上下あるいは前後反対向けにディスクドライブ装置へ挿入した場合、互いに干渉して正常に挿入することができない。これにより誤挿入を防止することができる。
【００５３】
ここでディスク保持部材１３および１４によるディスク１００の保持動作について図４、図５を用いてさらに詳しく説明する。図４および図５はそれぞれ、図１から図３に示すディスク１００が保持された状態におけるディスク保持部材１３およびディスク保持部材１４のディスク半径方向の断面図である。
【００５４】
図４および図５に示すように、ディスク保持部材１３および１４の先端には、ディスク投影領域上であってディスク１００の外周上方に張り出すように傾斜した斜面１３'およ
び１４'が設けられている。弾性部１３ｄおよび１４ｄによって矢印１３Ｂおよび１４Ｂ
方向にそれぞれ付勢されたディスク保持部材１３および１４は、斜面１３'および１４'をディスク１００の外周の稜１００ｃに当接させ、ディスク１００を把持すると共にディスク１００を厚み方向１００ｔへ押圧し、シート１１ｐに信号記録面１００Ａを面接触させる。これにより、ディスク１００をカートリッジ本体１０に保持固定する。この状態ではディスク１００の信号記録面１００Ａの外周部分はシート１１ｐに密着しているため、信号記録面１００Ａへの埃塵の付着が防止できる。
【００５５】
次に、ディスク保持部材１３および１４によるディスク１００の解放動作について図６、７および８を用いてさらに詳しく説明する。
【００５６】
図６は、カートリッジ上体１２とディスク１００を取り除いたディスクカーットリッジの斜視図である。図６において、シャッタ２１は、Ｌ字形状部２１ｓを図示しないディスクドライブ装置のシャッタ開放機構によって矢印２１Ａ方向に押されており、その結果、チャッキング開口部１１ｃおよびヘッド開口部１１ｈを外部に対して開放している。また、ディスクドライブ装置の一対のカートリッジ位置決めピン２１０がカートリッジ本体１０の位置決め孔１１ｗと嵌合している。
【００５７】
また図７は図６の状態におけるディスク保持部材１３のディスク半径方向の断面図であり、図８は図６の状態におけるディスク保持部材１４とシャッタ２１の関係を示す要部拡大図である。
【００５８】
ディスク保持部材１３では、図７に示すように、位置決め孔１１ｗからディスクドライブ装置のカートリッジ位置決めピン２１０が挿入されると、ディスク保持部材１３の斜めに貫通した穴部１３ｗにカートリッジ位置決めピン２１０が嵌合する。このため、ディスク保持部材１３は１３Ａ方向に持ち上げられ、ディスク１００は斜面１３'による圧接か
ら開放されフリーの状態になる。この時、ディスク保持部材１３の先端の庇１３ｅは、依然としてディスク投影領域にあるディスク外周上に張り出している。したがって、ディスク１００が垂直になるよう構成されたディスクドライブ装置においてディスク開放状態になったときでも、ディスクカートリッジ３０１からディスク１００が脱落するのを防止することができる。
【００５９】
ディスク保持部材１４では、図８に示すように、シャッタ２１が開放状態になったとき、シャッタ上に設けられたガイドリブ２１ｘがディスク保持部材１４の凹部１４ｗに入り込み凹部１４ｗの天井を押し上げる。これにより、ディスク保持部材１４は１４Ａ方向に持ち上げられ、ディスク１００は斜面１４'による圧接から開放されフリーの状態になる
。この時、ディスク保持部材１４の先端の庇１４ｅは依然としてディスク投影領域上であるディスク外周上に張り出している。このため、ディスク１００が垂直になるよう構成されたディスクドライブ装置において、ディスクが解放状態になったときでも、ディスクカートリッジ３０１からディスク１００が脱落するのを防止することができる。
【００６０】
また強制的にディスクを取り出そうとすれば、ディスク保持部材１４と一対のディスク保持部材１３のあわせて３カ所を同時に解除して取り出さねばならない。このため、操作者による安易なディスクの取り外しも防止できる。
【００６１】
なお、本実施形態において、図２に示すようにシャッタ２１のディスク１００と対向する側の端部２１ｒにブラシもしくは塵埃払拭材を設け、シャッタ２１の開放動作に伴ってディスク１００の信号記録面１００Ａ上の塵埃を除去してもよい。また、ディスクを保持した状態でディスク保持部材をカートリッジ本体１０に固定支持するロック機構を有していてもよい。
【００６２】
（第２の実施形態）
本発明の第２の実施形態に係わるディスクカートリッジ３０２について、ディスク１００を保持した状態の全体構成を示す平面図である図９およびディスク１００を開放した状態の全体構成を示す平面図である図１０を参照しながら説明する。図９および図１０において、第１の実施形態と同じ構成要素には同一の番号を付して説明を省略する。
【００６３】
ディスクカートリッジ３０２は第１の実施形態のディスクカートリッジ３０１とディスク保持部材が異なっており、図９に示すように、ディスクカートリッジ３０２は、矢印１５Ａまたは１５Ｂ方向にスライドするそれぞれ一対のディスク保持部材１５、１６を備える。
【００６４】
各ディスク保持部材１５は弾性部１５ｄを有し、弾性部１５ｄにより矢印１５Ｂ方向に付勢され、第１の実施形態におけるディスク保持部材１３、１４と同様、先端に設けた斜面１５'によりディスク１００をカートリッジ本体１０へ保持固定している。
【００６５】
ディスク保持部材１６は回動軸１６ｃを有し、回動軸１６ｃを中心に回動可能なようにディスク保持部材１６がカートリッジ本体１０に設けられている。ディスク保持部材１６も第１の実施形態におけるディスク保持部材１３、１４と同様、先端に設けた斜面１６'
によりディスク１００をカートリッジ本体１０へ保持固定する。ディスク保持部材１５は連結ピン１５ｐを有し、ディスク保持部材１６に設けられた溝部１６ｇと連結ピン１５ｐとが係合し連動する。
【００６６】
ディスクドライブ装置の一対のカートリッジ位置決めピン２１０がカートリッジ本体１０の位置決め孔１１ｗと嵌合すると、図１０に示すようにディスク保持部材１５は突起１５ｓが位置決めピン２１０に押されるため矢印１５Ａ方向に移動し、斜面１５'はディスク１００を解放する。また、ディスク保持部材１５の移動に連動してディスク保持部材１６は矢印１６Ａ方向に回動し、斜面１６'もディスク１００を解放する。
【００６７】
（第３の実施形態）
本発明の第３の実施形態に係わるディスクカートリッジ３０３について、ディスク１００を保持した状態の全体構成を示す平面図である図１１、ディスク１００を開放した状態の全体構成を示す平面図である図１２を参照しながら説明する。図１１および図１２において、第１の実施形態と同じ構成要素には同一の番号を付して説明を省略する。
【００６８】
ディスクカートリッジ３０３は、第１の実施形態のディスクカートリッジ３０１とディスク保持部材が異なっており、図１１に示すように、ディスクカートリッジ３０３は、矢印１７Ｂおよび１８Ｂ方向に付勢されたそれぞれ一対のディスク保持部材１７、１８を備える。各ディスク保持部材１７、１８は、カートリッジ本体１０と一体に成形されている。
【００６９】
ディスク保持部材１７は弾性部１７ｄを有しており、弾性部１７ｄにより矢印１７Ｂ方向に付勢される。ディスク保持部材１７も第１の実施形態におけるディスク保持部材１３、１４と同様、先端に設けられた斜面１７'によりディスク１００をカートリッジ本体１０へ保持固定している。
【００７０】
ディスク保持部材１８も弾性部１８ｄを有し、弾性部１８ｄによりディスク保持部材１８が矢印１８Ｂ方向に付勢される。また、先端に設けられた斜面１８'によりディスク１００をカートリッジ本体１０へ保持固定している。
【００７１】
このディスクカートリッジ３０３がディスクドライブ装置２００に挿入されると、ディスクドライブ装置２００に設けられた一対のディスク解除ピン２１７がディスク保持部材１７の突起１７ｓを押す。これにより、図１２に示すようにディスク保持部材１７はディスク１００を解放する。また同時にディスクドライブ装置２００に設けられた一対のディスク解除ピン２１８もディスク保持部材１８の側面１８ｓに当接して、ディスク保持部材１８がディスク１００を解放する。
【００７２】
（第４の実施形態）
本発明の第４の実施形態に係わるディスクカートリッジ３０４について、ディスク１００を保持した状態の全体構成を示す平面図である図１３、ディスク１００を開放した状態の全体構成を示す平面図である図１４を参照しながら説明する。図１３および図１４において、第１の実施形態と同じ構成要素には同一の番号を付してその説明を省略する。
【００７３】
ディスクカートリッジ３０４は、第１の実施形態のディスクカートリッジ３０１とディスク保持部材が異なっており、リング状のディスク保持部材１９を備えている。
【００７４】
図１３に示すように、ディスク保持部材１９は、ゴムリングのような自在に形状を変えることのできるリング状の弾性部材から形成されている。ディスク保持部材１９は、外部から力が加えられていない場合、楕円形状を有しているが、外部から力を加え、おおよそ真円形状を有するように変形させることもできる。おおよそ真円となるようにディスク保持部材１９を変形させた場合、その内径はディスク１００の直径よりも大きくなっている。
【００７５】
図１３に示すように、ディスク保持部材１９は楕円形状の複数の箇所においてディスク１００と接し、ディスク１００をカートリッジ本体１０へ保持固定している。このディスクカートリッジ３０４がディスクドライブ装置２００に挿入されると、図１４に示すようにディスクドライブ装置２００に設けられた一対の凸部２１９がリング状のディスク保持部材１９の長軸側を押し、ディスク保持部材１９を変形させる。これにより、ディスク保持部材１９は概ね真円形状を有するようになり、ディスク１００とディスク保持部材１９との接触がなくなる。つまり、ディスク保持部材１９はディスク１００を解放する。
【００７６】
ディスク１００の解放を行うために、ディスク保持部材１９を変形させる力は、誤挿入防止用の凹部１０ｇ（図２）にはまり合うディスクドライブ装置の凸部によってディスク保持部材１９に加えられても良い。あるいは、ディスクカートリッジ３０４の左右に設けられたディスクドライブ装置への引き込み用凹部１０ｃ（図２）にはまり合うディスクドライブ装置の凸部によってディスク保持部材１９に加えられても良い。
【００７７】
（第５の実施形態）
以下に、本発明の第５の実施形態を図１５から１８を参照して説明する。図１５および１７は、本実施形態によるディスクカートリッジ３０５において、カートリッジ上体を取り除いた残りの部分の構造を示す平面図であって、図１５はシャッタ２１が開口部１１ｈ、１１ｃを閉塞している状態を示しており、図１７はシャッタ２１が開口部１１ｈ、１１ｃを開放している状態を示している。また、図１６および１８は、シャッタ２１の閉塞状態および開放状態におけるディスク保持部４３の状態を示している。
【００７８】
本実施の形態において第１の実施形態のディスクカートリッジと同じ構成要素には同じ参照符号を付している。
【００７９】
本実施の形態のディスクカートリッジに特徴的なところは、ディスク保持部材４３のディスク保持・解放動作が、ディスク保持連動部材４４によってシャッタ２１の開閉動作と連動させられている点にある。
【００８０】
図１５および１７において矢印４４Ａで示すように、ディスク保持連動部材４４は、カートリッジ下体１１のチャッキング開口部１１ｃの周りに回転摺動ができるように、カートリッジ下体１１の第１の内側面１１ｕ上に設けられている。ディスク保持連動部材４４はチャッキング開口部１１ｃを内径とするリングの一部を切り取ったような扇形をしている。
【００８１】
ディスク保持連動部材４４には、カートリッジ下体１１側（図１５および１７では紙面の奥へ向かう方向）に突出する係合ピン４７が設けられている。この係合ピン４７と係合する案内溝１１ｍおよび２１ｍがカートリッジ下体１１およびシャッタ２１にそれぞれ設けられている。また、ディスク保持連動部材４４の外周に、外側およびカートリッジ上体側（図１５および１７では紙面の手前へ向かう方向）へ突き出した複数の突起４５が設けられている。ディスク保持連動部材４４の上面には、ディスク１００への傷つきあるいは信号記録面へ埃塵付着を防止するための不織布またはコーティング材が付与されている。
【００８２】
ディスクカートリッジにディスクを収納した時、ディスクの外周部を保持し得るように、カートリッジ下体１１の領域には複数のディスク保持部材４３が間隔を隔てて設けられている。図１５および１７では、ディスク保持部材４３は３つ設けられているように示しているが、２つ、４つあるいはそれ以上の数のディスク保持部材４３を設けてもよい。ディスク保持部材４３は、それぞれ回転軸４３Ａを軸として摺動するようカートリッジ下体１１に保持されている。
【００８３】
図１６に示すように、ディスク保持部材４３は、ディスク保持連動部材４４の外周近傍上にその一部が重なるように位置している。また、ディスク保持部材４３は、例えば図５に示す弾性部１４ｄのような機構（図１６には示していない）によってカートリッジ下体１１へ向かう方向４３Ｂに押し付けられている。その結果、ディスク保持部材４３の斜面４３'は、ディスク１００の稜と当接しながらディスク１００がディスク保持連動部材４
４に接するようにディスク１００を４３Ｂの方向に押し付けるとともにディスク１００を保持している。
【００８４】
図１５に示すように、ディスク（図示せず）を保持したディスクカートリッジが、ディスクドライブ装置２００に対して矢印１Ａの方向で挿入されると、ディスクドライブ装置２００のシャッタ開閉レバー（図示せず）がシャッタ２１を２１Ａの方向に移動させて、開放する。シャッタ２１が２１Ａの方向に移動し始めると、シャッタ２１の案内溝２１ｍに挿入されているディスク保持連動部材４４の係合ピン４７にも矢印２１Ａの方向へ力が加わる。その結果、係合ピン４７はカートリッジ下体１１の案内溝１１ｍに沿って移動させられ、これに伴って、ディスク保持連動部材４４が矢印４４Ａで示すようにチャッキング開口部１１ｃの周りに回転し始める。ディスク保持連動部材４４がシャッタ２１に連動して動くように、案内溝１１ｍはシャッタ２１の移動方向におおよそ沿って伸びていることが好ましい。
【００８５】
シャッタ２１が完全に開放状態になると、図１７に示すように、ディスク保持連動部材４４の外周に設けられた複数の突起４５がディスク保持部材４３の下方に位置するようになる。図１８に示すように、突起４５によってディスク保持部材４３は上方へ押し上げられ、ディスク保持部材４３の斜面４３'がディスク１００の外周の稜から離れる。これに
よって、ディスク１００をディスク面に垂直な方向に押す力４３Ｂを解放し、ディスク１００が回転可能なように開放される。このとき、ディスク保持部材４３の先端にある庇４３ｅはディスク１００の投影領域上であるディスク１００の外周上方に張り出している。このため、ディスク１００を垂直に保持するようなディスクドライブ装置においても、ディスクが解放状態になったときにディスクがカートリッジから脱落するのを防止することができる。
【００８６】
本実施の形態のディスクカートリッジ３０５によれば、ディスクドライブ装置２００にディスクカートリッジを挿入しなくてもディスクを解放状態にすることができる。例えば、手によって、シャッタ２１を開放すれば、シャッタ２１の動作に連動してディスク保持部材４３がディスク１００を開放する。したがって、使用者の意図によって、例えば、ディスクをカートリッジから取り出し、別のディスクをカートリッジに挿入することが可能である。
【００８７】
（第６の実施形態）
以下に、本発明の第６の実施形態を説明する。図１９および２０は、本実施の形態によるディスクカートリッジ３０６においてカートリッジ上体を取り除いた残りの部分の構造を示す平面図であって、図１９はシャッタがヘッド開口部を閉塞している状態を示しており、図２０はシャッタがヘッド開口部を開放している状態を示している。図１９および２０において第１の実施形態および第５の実施形態のディスクカートリッジとおなじ構成要素には同じ参照符号を付している。
【００８８】
本実施の形態のディスクカートリッジに特徴的なところは、第５の実施形態において説明したディスク保持連動部材がシャッタを兼ねている点にある。図１９および２０において矢印４６Ｂで示すように、シャッタ４６は、カートリッジ下体１１のチャッキング開口部１１ｃの周りに回転摺動できるように、カートリッジ下体１１の第１の内側面１１ｕ上に設けられている。シャッタ４６はチャッキング開口部１１ｃを内径とするリングの一部を切り取ったような扇形をしている。
【００８９】
シャッタ４６には、カートリッジ下体１１側（図１９および２０では紙面の奥へ向かう方向）に突出する係合ピン４６ｐが設けられている。この係合ピン４６ｐと係合する案内溝１１ｍがカートリッジ下体１１に設けられている。係合ピン４６ｐが案内溝１１ｍの一端に位置するとき、シャッタ４６によって、ヘッド開口部１１ｈは塞がれており、案内溝１１ｍの他端に係合ピン４６ｐがあるとき、ヘッド開口部１１ｈは開放される。案内溝１１ｍはチャック開口部１１ｃと同心円となる円弧の一部に沿って設けられている。ディスクドライブ装置への挿入動作に伴って、シャッタ４６が開放されるように、案内溝１１ｍは、ディスクカートリッジの挿入方向１Ａに対しておおよそ沿って伸びているほうが好ましい。
【００９０】
シャッタ４６の外周には、外周方向およびカートリッジ上体１２側（図１９および２０では紙面の手前へ向かう方向）へ突き出した複数の突起４６ｃが設けられている。シャッタ４６の上面にはディスク１００への傷つき防止あるいは信号記録面へ埃塵が付着するのを防止するための不織布またはコーティング材が付与されている。
【００９１】
カートリッジ下体１１の領域には、実施の形態５のディスク保持部材と同様の構造を有する複数のディスク保持部材４３が間隔を隔てて設けられている。ディスク保持部材４３およびシャッタ４６に設けられた突起４６ｃは実施の形態５において説明したようにシャッタ４６の動作に連動してディスクを保持あるいは開放する。
【００９２】
本実施の形態のディスクカートリッジがディスクドライブ装置２００に図１９の矢印１Ａで示すように挿入されると、ディスクドライブ装置２００に設けられた当接部材２０１にシャッタ４６の係合ピン４６ｐが当接する。更にディスクカートリッジをディスクドライブ装置２００内へ挿入すると、当接部材２０１によって、係合ピン４６ｐが案内溝１１ｍに沿って移動し始める。これにともなって、シャッタ４６は矢印４６Ｂで示すように、カートリッジ下体１１のチャッキング開口部１１ｃの周りを回転し始め、回転に伴って、ヘッド開口部１１ｈが開いてくる。
【００９３】
図２０に示すように、ディスクカートリッジがディスクドライブ装置２００へ完全に挿入されると、係合ピン４６ｐが案内溝１１ｍの他端に達し、ヘッド開口部１１ｈは完全に開放される。このとき、実施の形態５で説明したように、突起４６ｃがディスク保持部材４３の下方に位置するようになり、突起４６ｃによってディスク保持部がカートリッジ上体側（図２０において紙面手前側）へ押し上げられる。これによって、ディスク保持部材４３により保持されていたディスク１００は解放され、自由に回転できるようになる。
【００９４】
本実施の形態のディスクカートリッジによれば、ディスク保持連動部材が不要であるため、実施の形態５のディスクカートリッジに比べ厚みを薄くすることが可能である。また、係合ピン４６ｐを案内溝１１ｍに沿って、手などで移動させることによって、シャッタ４６を開放状態にできると共にディスク保持部材を解放状態にしてディスクを取り出すことも可能である。
【００９５】
なお、本実施の形態において、シャッタ４６はカートリッジ上体側から見て時計周りに回転するが、案内溝１１ｍの位置を変更することによって、シャッタ４６を反時計周りに回転するようにしてもよい。
【００９６】
（第７の実施形態）
以下に、本発明の第７の実施形態を説明する。図２１および２２は、本実施の形態によるディスクカートリッジ３０７においてカートリッジ上体を取り除いた残りの部分の構造を示す平面図であって、図２１はシャッタがヘッド開口部を閉塞している状態を示しており、図２２はシャッタがヘッド開口部を開放している状態を示している。図２１および２２において第３の実施形態および第６の実施形態のディスクカートリッジとおなじ構成要素には同じ参照符号を付している。
【００９７】
本実施の形態のディスクカートリッジでは、第６の実施形態のディスクカートリッジとディスク保持部材の構造が異なっている。具体的には、図２１および２２に示すように、本実施の形態のディスクカートリッジは複数のディスク保持部材１７を備えている。ディスク保持部材１７は、実施の形態３において説明したディスク保持部材と同様、弾性部１７ｄを有しており、シャッタ４６が閉塞している時には、弾性部１７ｄの弾性力によって、ディスク１００をディスクの中心方向１７Ｒへ押さえつけるようにディスクを保持する。本実施の形態において、ディスク保持部材１７はカートリッジ下体１１と一体に形成されているが、カートリッジ下体１１と別々に形成されていてもよい。
【００９８】
ディスク保持部材１７のディスク半径方向の断面形状は、図１８に示されるディスク保持部材４３と同様、ディスク投影領域であるディスク外周上方に張り出すように傾斜した斜面を有している。このため、斜面にディスクの稜が当接するようディスク保持部材１７がディスクを保持することによって、ディスクはシャッタ４６へ押し付けられる。
【００９９】
シャッタ４６はその外周部に複数の突起４６ｃを備えている。本実施の形態において突起４６ｃはその外側方向に突き出しており、シャッタ４６が開放状態にあるとき、突起４６ｃがディスク保持部材１７の弾性部１７ｄに当接するような位置に突起４６ｃはシャッタ４６の外周部に設けられる。
【０１００】
図２２に示すように、シャッタ４６が開放状態になると、突起４６ｃが弾性部１７ｄをその弾性力に抗してディスク１００の外側に向かう方向１７ｓへ押し付ける。これによりディスク１００が解放される。しかし、ディスク保持部材１７の先端には庇１７ｅがそれぞれ設けられていて、ディスク１００が解放される状態になっても、庇１７ｅはディスクの投影領域へせり出している。このため、ディスク１００が垂直に保持されるようディスクカートリッジがディスクドライブ装置２００に挿入されても、ディスク１００がディスクカートリッジから脱落することはない。
【０１０１】
本実施の形態のディスクカートリッジによれば、実施の形態６において説明した特徴に加えて、ディスク保持部材１７をカートリッジ下体１１と一体に形成することが可能である。この場合、ディスクカートリッジに構造を簡単にすることができ、また、製造コストを低減することができる。
【０１０２】
（第８の実施形態）
以下、本発明の第８の実施形態に係わるディスクカートリッジ３０８について、図を参照しながら説明する。
【０１０３】
まず、図２３および２４を参照して、ディスクカートリッジ３０８のおおまかな構造を説明する。なお、第１の実施形態と同様、図２３および２４に示されるディスク１００は第１および第２の面を備えており、図２３では、第１の面であり、通常ディスクのラベル等が描かれている面が示されている。ディスク１００の第２の面である信号記録面１００Ａは、図２４において裏面として示されている。
【０１０４】
図２３および２４に示すように、ディスクカートリッジ３０８は、カートリッジ下体１１、カートリッジ上体１２、一対のシャッタ２１、２２および脱落防止部材２３を含む。
【０１０５】
カートリッジ下体１１は、図２４に示すように、外部からディスク１００を回転させるためのスピンドルモータ等のチャッキング部材が侵入できるよう開口したチャッキング開口部１１ｃと、ディスク１００の信号記録面１００Ａに対して信号の再生および記録の少なくとも一方を行うヘッドが侵入し、アクセスできるよう開口したヘッド開口部１１ｈとを有する。カートリッジ下体１１は、ディスク１００の信号記録面１００Ａと対向する。また、ヘッド開口部１１ｈは、カートリッジ下体１１の側面に達している。
【０１０６】
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。
【０１０７】
カートリッジ下体１１のディスク１００の信号記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄが構成される。これにより、第１の内側面１１ｕがディスク収納部１０ｄの底部となる。
【０１０８】
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
【０１０９】
脱落防止部材２３は、その一部がディスク開口部１２ｗに突出するようにカートリッジ上体１２に着脱可能に設けられている。図２３および２４に示すように、本実施形態では脱落防止部材２３は２つ設けられている。一方、カートリッジ上体１２には、カートリッジ上体１２と一体に形成されており、ディスク開口部１２ｗから突出している脱落防止部１２ｓが設けられている。２つの脱落防止部材２３および脱落防止部１２ｓは、ディスク開口部１２ｗの円周上において、おおよそ等間隔に配置されており、ディスク開口部１２ｗからディスク１００が脱落することを防止する。特に、ディスクカートリッジをドライブ装置に垂直に挿入して使用する場合において脱落防止の効果を発揮する。
【０１１０】
シャッタ２１および２２は、ディスク１００の信号記録面１００Ａとディスク収納部１０ｄの内側面１１ｕとの間に設けられている。シャッタ２１および２２は、回動孔２１ｕおよび２２ｕをそれぞれ有しており、カートリッジ本体１０のディスク収納部１０ｄ以外の領域であって、かつヘッド開口部１１ｈと反対側に設けられた一対の回動軸１１ｓに回動孔２１ｕ、２２ｕが回動自在にそれぞれ嵌合している。このため、チャッキング開口部１１ｃおよびヘッド開口部１１ｈを外部に対して開放または閉塞するようシャッタ２１および２２は回動軸１１ｓを中心に移動する。
【０１１１】
シャッタ２１および２２の回動孔２１ｕおよび２２ｕ近傍にはそれぞれカム２１ｃおよびフォロワ２２ｃが設けられている。カム２１ｃおよびフォロワ２２ｃは互いに噛み合う形状を備え、シャッタ２１および２２を互いに連動しながら開閉させる連動機構２０ｃを構成している。
【０１１２】
シャッタ２１および２２のディスク信号記録面１００Ａと向かい合う面にはディスク１００への傷つき、もしくは信号記録面１００Ａへの埃塵の侵入を防止する保護層２１ｐ、２２ｐが設けられている。
【０１１３】
保護層２１ｐおよび２２ｐは、傷つき防止用不織布、防塵用不織布、傷つき防止用コーティング層、および防塵用コーティング層から適宜選択することができる。本実施形態では、防塵用不織布からなるシートを保護層２１ｐ、２２ｐとして貼着もしくは超音波溶着させている。
【０１１４】
シャッタ２１および２２は、ディスク収納部１０ｄ以外の領域にそれぞれ設けられたシャッタバネ３１および３２によって、シャッタ２１および２２が閉じる方向に付勢されている。バネ以外の他の弾性部材を用いてシャッタ２１および２２を閉じる方向に付勢してもよい。
【０１１５】
図２４に示すように、ディスクカートリッジ３０８は、シャッタ２１および２２の端部にディスク保持部２１ａ、２１ｂ、２２ａ、２２ｂを備えている。ディスク保持部２１ａ、２１ｂ、２２ａ、２２ｂは、シャッタ２１および２２が閉塞している状態において、ディスク１００の外周を保持するよう、シャッタ２１および２２の端部において逆テーパ状の斜面を有している。ディスク保持部２１ａ、２１ｂ、２２ａ、２２ｂの構造およびその動作については以下において詳述する。
【０１１６】
図２３に示すように、カートリッジ本体１０（カートリッジ上体１２）の上面には、収納されるディスク１００に書き込まれた内容などを記述することのできるラベル面１０ｆや、ディスクカートリッジ３０８のドライブ装置への挿入方向（矢印１Ａ）を示す矢印形の刻印または凹部１０ａが設けられている。また、カートリッジ本体１０の挿入方向１Ａと平行な一対の側面にそれぞれ設けた凹部１０ｃは、ドライブ装置がディスクカートリッジ３０８をローディングする際の、あるいはディスクカートリッジ３０８がチェンジャに収納された場合の、引き込み用の係止もしくは位置決め用の凹みとして用いることができる。
【０１１７】
図２５は、カートリッジ上体１２とディスク１００がない場合におけるシャッタ２１、２２がチャッキング開口部１１ｃおよびヘッド開口部１１ｈを外部に対して閉塞している状態を示す斜視図である。図２５において、シャッタ２１、２２に設けられたディスク保持部２１ａ、２１ｂ、２２ａ、２２ｂは図示しないディスク１００の外周を掴むように位置している。
【０１１８】
図２６は、カートリッジ上体１２とディスク１００がない場合におけるシャッタ２１、２２がチャッキング開口部１１ｃおよびヘッド開口部１１ｈを外部に対して開放している状態を示す斜視図である。シャッタ２１、２２が回動孔２１ｕ、２２ｕを中心として回転することにより、チャッキング開口部１１ｃおよびヘッド開口部１１ｈを外部に対して開放している。また、シャッタ２１、２２の移動にともなって、ディスク保持部２１ａ、２１ｂ、２２ａ、２２ｂも回動孔２１ｕ、２２ｕを中心として回転し、図示しないディスク１００の外周から離れた状態になる。
【０１１９】
図２７は、ディスク１００がない場合におけるシャッタ２１、２２がチャッキング開口部１１ｃおよびヘッド開口部１１ｈを外部に対して閉塞している状態を示す斜視図である。図２７に示すように、ディスク保持部２１ａ、２１ｂ、２２ａ、２２ｂはディスク収納部１０ｄに突出した状態にあり、図示しないディスク１００を保持する。一方、図２８は、ディスク１００がない場合におけるシャッタ２１、２２がチャッキング開口部１１ｃおよびヘッド開口部１１ｈを外部に対して開放している状態を示す斜視図である。図２８に示すように、シャッタ２１、２２が開放状態にあるとき、ディスク保持部２１ａ、２１ｂ、２２ａ、２２ｂは、カートリッジ本体のディスク保持部１０ｄ以外の領域に収納される。
【０１２０】
次に、シャッタ２１、２２の構成および動作について図２９、３０および３１を用いてさらに詳しく説明する。図２９はディスク１００の中心を通る断面図である。図２９に示すように、カートリッジ本体１０におけるディスク収納部１０ｄの第２の内側面１２ｉには、開閉動作を行うシャッタ２２（２１）と干渉しないよう切り欠き１０ｗを設け、さらに開放状態の時のシャッタ２２（２１）の一部を収納するシャッタ収納部１０ｓがカートリッジ本体１０内に設けている。またシャッタ閉塞時にシャッタ２１と２２の突き合わされる縁部のうち、少なくともヘッド開口部１１ｈとチャッキング開口部１１ｃの上で突き合わされる縁部２１ｆと２２ｆは、図２９に示すようにディスク１００の厚み方向に重畳している。
【０１２１】
一方、図３０に示すように、ディスク保持部２１ａ、２１ｂ、２２ａ、２２ｂは、ディスク投影領域上であって、ディスク１００の外周上に張り出すように傾斜した斜面２１ａ'（２１ｂ'、２２ａ'、２２ｂ'）を有する形状を備えている。つまり、斜面２１ａ'は逆テーパ状をしており、ディスク１００に向かって傾いている。シャッタ２１および２２がチャッキング開口部１１ｃとヘッド開口部１１ｈを閉塞する時は、斜面２１ａ'をディスク１００の稜１００ｃに当接させることでディスク１００を把持すると共にディスク１００を厚み方向１００ｔへ押圧し、シャッタ２１および２２のシート２１ｐおよび２２ｐに信号記録面１００Ａを面接触させ、ディスク１００をカートリッジ本体１０に保持固定する。この状態において、ディスク１００の信号記録面１００Ａはシート２１ｐおよび２２ｐに密着しているため、信号記録面１００Ａへの埃塵の付着を防止できる。
【０１２２】
また外部から露出したディスク１００の片面を強制的に回転させることにより、またはシャッタ２１および２２を強制的に開閉動作させることにより、ディスク１００の信号記録面１００Ａに付着した埃塵や指紋等の汚れを払拭することもできる。
【０１２３】
また図３１に示すように、シャッタ２１には外部からシャッタを開閉させるためのシャッタ開閉操作部２１ｔおよび弾性部２１ｖとこれを介して形成されるロック突起部２１ｋが一体に形成されている。シャッタ２１がチャッキング開口部１１ｃおよびヘッド開口部１１ｈを閉塞した状態では、図３１に示すように、弾性部２１ｖにより付勢されたロック突起部２１ｋが、カートリッジ本体１０に形成されたロック孔１０ｋに嵌合しシャッタ２１を回動しないようカートリッジ本体１０に固定支持する。シャッタ２１が固定されると、連動機構２０ｃにより連結されているシャッタ２２も固定される。
【０１２４】
従って、外部から突起物等によりロック突起部２１ｋを矢印２０Ａ方向に押してロック孔１０ｋとの嵌合を外しながら、同時に開閉操作部２１ｔを矢印２０Ｂ方向に押すことによってのみ、シャッタ２１および２２を回動させてチャッキング開口部１１ｃとヘッド開口部１１ｈを外部に対して開放し、同時にディスク保持部２１ａ、２１ｂ、２２ａ、２２ｂによるディスク１００の保持を解除することができる。このようにして、操作者による安易なディスクの取り外しを防止できる。
【０１２５】
脱落防止部材２３の構造および動作について図２４および３２を用いてさらに詳しく説明する。図３２は着脱可能に設けられた脱落防止部材２３を上下逆にして斜めから見た斜視図である。脱落防止部材２３は、その凸部２３ａ、２３ｂ、２３ｃがそれぞれ図２４に示すカートリッジ上体１２のディスク開口部１２ｗ近くに設けられた凹部１２ａ、１２ｂ、１２ｃと嵌合し、着脱自在に取り付けられる。
【０１２６】
また、ディスクカートリッジ３０８のドライブ装置への誤挿入を防止する機構について、図３３を用いてさらに詳しく説明する。図３３は図２３におけるディスクカートリッジ３０８のドライブ装置への挿入方向（矢印１Ｂ）から見た正面図である。図３３に示すように、カートリッジ本体１０には、その片側面に、厚み中心からずれた位置に凹部１０ｇが形成されており、ドライブ装置への挿入方向１Ａ（図２３）に対して非対称になっている。
【０１２７】
このような構造のため、ドライブ装置に設けた凸部がこの凹部１０ｇに嵌まり込む場合にのみ、ディスクカートリッジ３０８がドライブ装置に正しく挿入でき、ドライブ装置が正常に動作する。
【０１２８】
一方、間違って上下反対向けにディスクカートリッジ３０８をドライブ装置に挿入しようとした場合、ドライブ装置に設けた凸部が、凹部１０ｇの無い方の側面と干渉して、カートリッジ３０８をドライブ装置に挿入することはできない。また、間違って前後および上下の方向において同時に反対向けに挿入した場合でも、ドライブ装置に設けた凸部が凹部１０ｇを設けた側面の凹みのない部分に干渉してやはり挿入することができない。これにより誤挿入を防止することができる。
【０１２９】
なお、本実施形態において説明したディスクカートリッジ３０８に対し、種々の改変が可能である。
【０１３０】
例えば、シャッタ２１、２２が閉塞状態の時、脱落防止部材２３がカートリッジ上体１２の上面１２ｆ(図２４）から突出しない程度に、カートリッジ本体１０の厚みをさらに薄くする。そして、シャッタ２１、２２が開放状態にあるときには、シャッタ２１、２２の開放動作に連動して、例えばディスク保持部２１ａ、２２ａが脱落防止部材２３の下方を通過する際、脱落防止部材２３の凸部２３ａを下方から押すなどしてカートリッジ上体１２の上面１２ｆから脱落防止部材２３を突出させる。このような構造にすれば、ディスク１００がディスク収納部１０ｄ内で回転する際に必要な空間を十分確保した上でディスクカートリッジの厚みを更に薄くすることができる。
【０１３１】
また、脱落防止部材２３はカートリッジ本体１０と一体に形成され、かつ、折ることができる構造を備え、脱落防止部材２３を抜脱可能に設けてもよい。
【０１３２】
また、シャッタバネ３１、３２はシャッタ２１、２２が開く方向に付勢してもよい。連動機構によるシャッタ同士の動作が確実であればシャッタバネ３１、３２のうちいずれか一方のみを設けてもよい。
【０１３３】
またロック突起部２１ｋはシャッタ２１に形成していたが、カートリッジ本体１０に形成したロックレバーの弾性部を介した先端にロック突起部および凸部を設け、この凸部とシャッタに設けた凹部との嵌合を、カートリッジ本体に設けたロック孔からロック突起部を押すことにより外し、シャッタを回動自在に開放するようにしてもよい。またこの場合、ロックレバーはシャッタバネ（弾性部材）と共に、カートリッジ本体１０と一体に成形される樹脂バネで形成してもよい。
【０１３４】
（第９の実施形態）
以下、本発明の第９の実施形態に係わるディスクカートリッジ３０９について、図を参照しながら説明する。
【０１３５】
図３４および３５に示すように、ディスクカートリッジ３０９は、カートリッジ下体４１、カートリッジ上体４２、脱落防止部材４２ａ、４２ｂ、４２ｃ、４２ｄおよび一対のシャッタ５１および５２を含む。
【０１３６】
カートリッジ下体４１は、図３５に示すように、外部からディスク１００を回転させるためのスピンドルモータ等のチャッキング部材が侵入できるよう開口したチャッキング開口部４１ｃと、ディスク１００の信号記録面１００Ａに対して信号の再生および記録の少なくとも一方を行うヘッドが侵入し、アクセスできるよう開口したヘッド開口部４１ｈとを有する。カートリッジ下体４１は、ディスク１００の信号記録面１００Ａと対向する。また、ヘッド開口部４１ｈは、カートリッジ下体４１の側面に達している。
【０１３７】
カートリッジ上体４２は、ディスク１００の出し入れが可能であり、ディスクの上面を露出するようにディスク１００の全投影領域を開口する円形のディスク開口部４２ｗを有する。カートリッジ上体４２とカートリッジ下体４１とは外縁部で接着もしくは溶着されてカートリッジ本体４０を構成している。
【０１３８】
カートリッジ下体４１のディスク１００の信号記録面１００Ａと向かい合う第１の内側面４１ｕと、カートリッジ上体４２のディスク開口部４２ｗを構成する略円筒状の第２の内側面４２ｉとにより、ディスク１００を収納するディスク収納部４０ｄが構成される。これにより、第１の内側面４１ｕがディスク収納部４０ｄの底部となる。
【０１３９】
ディスク収納部４０ｄにおいて、第２の内側面４２ｉとディスク１００との間にはディスク１００が回転可能な程度の空間が設けられる。また、ディスク収納部４０ｄの上部はディスク開口部４２ｗになっており、ディスク収納部４０ｄに保持されたディスク１００は、その片面をディスク開口部４２ｗから外部に露出する。
【０１４０】
脱落防止部材４２ａ、４２ｂ、４２ｃ、４２ｄは、ディスク開口部４２ｗにその一部がそれぞれ突出するよう、カートリッジ上体４２からスリットにより分割されており、カートリッジ上体４２に一体に設けられている。脱落防止部材４２ａ、４２ｂ、４２ｃ、４２ｄは、ディスク開口部４２ｗからディスク１００が脱落することを防止している。特に、ディスクカートリッジをドライブ装置に垂直に挿入して使用する場合において脱落防止の効果を発揮する。脱落防止部材４２ａ、４２ｂ、４２ｃ、４２ｄは、弾性部材を介してカートリッジ上体４２に一体に形成されていてもよい。
【０１４１】
シャッタ５１および５２は、ディスク１００の信号記録面１００Ａとディスク収納部４０ｄの内側面４１ｕとの間に設けられている。シャッタ５１および５２は、回動孔５１ｕおよび５２ｕをそれぞれ有しており、カートリッジ本体４０のディスク収納部４０ｄ以外の領域であって、かつヘッド開口部４１ｈと反対側に設けられた一対の回動軸４１ｓに回動孔５１ｕ、５２ｕが回動自在にそれぞれ嵌合している。このため、チャッキング開口部４１ｃおよびヘッド開口部４１ｈを外部に対して開放または閉塞するようシャッタ５１および５２は回動軸４１ｓを中心に移動する。
【０１４２】
シャッタ５１および５２の回動孔５１ｕおよび５２ｕ近傍にはそれぞれカム５１ｃおよびフォロワ５２ｃが設けられている。カム５１ｃおよびフォロワ５２ｃは互いに噛み合う形状を備え、シャッタ５１および５２を互いに連動しながら開閉させる連動機構５０ｃを構成している。
【０１４３】
シャッタ５１および５２のディスク信号記録面１００Ａと向かい合う面にはディスク１００への傷つき、もしくは信号記録面１００Ａへの埃塵の侵入を防止する保護層５１ｐ、５２ｐが設けられている。
【０１４４】
保護層５１ｐおよび５２ｐは、傷つき防止用不織布、防塵用不織布、傷つき防止用コーティング層、および防塵用コーティング層から適宜選択することができる。本実施形態では、防塵用不織布からなるシートを保護層５１ｐ、５２ｐとして貼着もしくは超音波溶着させている。
【０１４５】
シャッタ５１および５２は、ディスク収納部４０ｄ以外の領域にそれぞれ設けられたシャッタバネ６１および６２によって、シャッタ５１および５２が閉じる方向に付勢されている。シャッタバネ６１、６２はシャッタ５１、５２が開く方向に付勢してもよい。また、連動機構によるシャッタ同士の動作が確実であればシャッタバネ６１、６２のうちいずれか一方のみを設けてもよい。
【０１４６】
図３５に示すように、第８の実施形態と同様、シャッタ５１および５２の端部にディスク保持部５１ａ、５１ｂ、５２ａ、５２ｂが設けられている。更に、以下で詳述するように、シャッタ５１、５２のディスク１００のセンタホールに対応する領域に凸部５１ｅ、５２ｅが設けられている。
【０１４７】
図３４に示すように、カートリッジ本体４０（カートリッジ上体４２）の上面には、ディスクカートリッジ３０９のドライブ装置への挿入方向（矢印１Ａ）を示す矢印形の刻印または凹部４０ａが設けられている。また、カートリッジ本体４０の挿入方向１Ａに対し平行な一対の側面にはそれぞれ凹部４０ｃが設けられている。凹部４０ｃは、ドライブ装置がディスクカートリッジ３０９をローディングする際の、あるいはカートリッジ３０９がチェンジャに収納された場合の、引き込み用の係止もしくは位置決め用の凹みとして用いることができる。またこの凹部４０ｃをカートリッジ３０９の一側面にのみ設けることで、ディスクカートリッジ３０９をドライブ装置に挿入または装着する際の表裏の誤挿入防止機構にもなる。カートリッジ本体４０の上面には操作者がカートリッジ３０９を持つための握り部４０ｅが設けられている。この握り部４０ｅには滑り止め用として凹凸形状が施されている。
【０１４８】
図３６はディスク１００がない場合におけるシャッタ５１、５２がチャッキング開口部４１ｃおよびヘッド開口部４１ｈを外部に対して閉塞している状態を示す斜視図である。図３７はディスク１００がない場合におけるシャッタ５１、５２がチャッキング開口部４１ｃおよびヘッド開口部４１ｈを外部に対して開放している状態を示す斜視図である。
【０１４９】
以下に、シャッタ５１、５２の構造および動作についてさらに詳しく説明する。図３４及び図３５に示すように、シャッタ５１および５２に設けられたディスク保持部５１ａ、５１ｂ、５２ａ、５２ｂは、第８の実施形態と同様、ディスク投影領域上であって、ディスク１００の外周上に張り出すように傾斜した斜面を有する形状を備えている。つまり、斜面は逆テーパ状をしており、ディスク１００に向かって傾いている。これによって、第８の実施形態と同様の効果を発揮する。
【０１５０】
また、シャッタ５２には外部からシャッタを開閉させるための開閉操作部５２ｔが設けられ、シャッタ５１には弾性部５１ｖとこれを介して形成されるロック突起部５１ｋが一体に形成されている。これによって、シャッタ５１、５２がチャッキング開口部４１ｃおよびヘッド開口部４１ｈを閉塞した状態では、弾性部５１ｖにより付勢されたロック突起部５１ｋが、カートリッジ本体４０に形成されたロック孔４０ｋに嵌合し、シャッタ５１を回動しないようカートリッジ本体４０に固定支持する。シャッタ５１が固定されると、連動機構５０ｃにより連結されているシャッタ５２も固定される。
【０１５１】
従って、図３６に示すように、外部から突起物等によりロック突起部５１ｋを矢印５０Ａ方向に押してロック孔４０ｋとの嵌合を外しながら、同時に開閉操作部５２ｔを矢印５０Ｂ方向に押すことによってのみ、シャッタ５１および５２を回動させてチャッキング開口部４１ｃとヘッド開口部４１ｈを外部に対して開放し同時にディスク保持部５１ａ、５１ｂ、５２ａ、５２ｂによるディスク１００の保持を解除することができる。このようにして、操作者による安易なディスクの取り外しを防止できる。
【０１５２】
また、第８の実施形態とは異なり、シャッタ５１、５２に設けられたロック突起部５１ｋと開閉操作部５２ｔとが別々のシャッタ５１、５２にそれぞれ設けられている。このような構造は、特に小径ディスク用のディスクカートリッジに対して効果を発揮する。なぜなら、小径ディスク用のディスクカートリッジでは、カートリッジ全体およびシャッタが小さくなるため、一つのシャッタにロック突起部と開閉操作部とを形成するのが設計上困難になるからである。また、ロック突起部と開閉操作部とをひとつのシャッタに形成できるとしても、ドライブ装置側に設けるシャッタ開閉機構とロック解除機構との間隔が非常に狭くなったり、小さなスペースに両方の機構を設ける必要が生じたりして、ドライブ装置の設計を困難なものにしてしまうためである。
【０１５３】
なお、ロック突起部５１ｋはシャッタ５１に形成していたが、カートリッジ本体４０に形成したロックレバーの弾性部を介した先端にロック突起部および凸部を設け、この凸部とシャッタに設けた凹部との嵌合を、カートリッジ本体に設けたロック孔からロック突起部を押すことにより外し、シャッタを回動自在に開放するようにしてもよい。またこの場合、ロックレバーはシャッタバネ（弾性部材）と共に、カートリッジ本体４０と一体に成形される樹脂バネで形成してもよい。
【０１５４】
次にシャッタ５１、５２に設けられた凸部５１ｅ、５２ｅの働きを説明する。図３８はディスク１００中心を通るディスク中心付近の断面図である。図３８に示すように、シャッタ５１、５２が閉塞状態では、凸部５１ｅ、５２ｅはセンタホール１００ｈ内に突出しており、ディスク１００はシャッタ５１、５２と面接触した状態にある。
【０１５５】
図３９に示すように、シャッタ５１、５２が開放状態へと移行する際、凸部５１ｅ、５２ｅはセンタホール１００ｈ内からディスク１００の下面へと潜り込み、ディスク１００を持ち上げ、シャッタ５１、５２とディスク１００との面接触を解除する。これにより、シャッタ５１、５２の開閉動作時において、シャッタ５１、５２が信号記録面１００Ａへ傷を付けるのを防止することができる。シャッタ５１、５２の開閉動作による凸部５１ｅ、５２ｅの移動領域は信号記録面１００Ａの信号記録領域よりも内周側であるので、凸部５１ｅ、５２ｅが信号記録領域と接することはなく、信号記録領域に傷を付けることはない。
【０１５６】
次に脱落防止部材の構造及び動作について図４０および４１を用いてさらに詳しく説明する。図４０はディスク１００中心を通るディスク外周付近の断面図であり、脱落防止部材４２ｃ（４２ａ、４２ｂ、４２ｄ）の裏面には凸部４２ｃ'（４２ａ'、４２ｂ'、４２
ｄ'）が形成されている。図４０に示すように、シャッタ５１、５２が閉塞している状態
では、脱落防止部材４２ｃはディスク１００とおおよそ平行であり、カートリッジ３０９の厚み内に収まっている。この状態のディスクカートリッジ３０９の外観は、図３６に示される。
【０１５７】
シャッタ５１、５２が開放している状態では、図４１に示すように、シャッタ５１、５２に形成された傾斜部５２ｆ、５１ｆ、５１ｄ、５２ｄがそれぞれ凸部４２ａ'、４２ｂ'、４２ｃ'、４２ｄ'と当接し、脱落防止部材４２ａ、４２ｂ、４２ｃ、４２ｄをディスク１００の上方へ押し上げる。この状態のディスクカートリッジ３０９の外観は、図３７に示される。この構造によって、特に、ディスクカートリッジ３０９がディスクドライブ装置に垂直に挿入されてからディスク１００がチャッキングされるまでの間、ディスク１００がディスクカートリッジ３０９から脱落するのを防止できる。一方、ディスク１００がチャッキングされるときには、ディスク１００が動作し得る空間を広げることができる。またこの構造によって、カートリッジ本体をさらに薄くすることができる。
【０１５８】
なお、シャッタ５１、５２が開放している状態において、シャッタ開放状態を一時的に保持するために、傾斜部５１ｃ（５２ｆ、５１ｆ、５２ｄ）に凸部４２ａ'（４２ｂ'、４２ｃ'、４２ｄ'）が係止めするための凸部あるいは凹部を設けてもよい。
【０１５９】
（第１０の実施形態）
以下、本発明の第１０の実施形態に係わるディスクカートリッジ３１０について、図を参照しながら説明する。本実施形態のディスクカートリッジ３１０の主要な特徴は、脱落防止部材がシャッタに設けられている点にある。
【０１６０】
図４２および４３に示すように、ディスクカートリッジ３１０は、カートリッジ下体７１、カートリッジ上体７２、脱落防止部材８１ｄ、８１ｆ、８２ｄおよび一対のシャッタ８１および８２を含む。
【０１６１】
カートリッジ下体７１は、図４３に示すように、外部からディスク１００を回転させるためのスピンドルモータ等のチャッキング部材が侵入できるよう開口したチャッキング開口部７１ｃと、ディスク１００の信号記録面１００Ａに対して信号の再生および記録の少なくとも一方を行うヘッドが侵入し、アクセスできるよう開口したヘッド開口部７１ｈとを有する。カートリッジ下体７１は、ディスク１００の信号記録面１００Ａと対向する。また、ヘッド開口部７１ｈは、カートリッジ下体７１の側面に達している。
【０１６２】
カートリッジ上体７２は、ディスク１００の出し入れが可能であり、ディスクの上面を露出するようにディスク１００の全投影領域を開口する円形のディスク開口部７２ｗを有する。カートリッジ上体７２とカートリッジ下体７１とは外縁部で接着もしくは溶着されてカートリッジ本体７０を構成している。
【０１６３】
カートリッジ下体７１のディスク１００の信号記録面１００Ａと向かい合う第１の内側面７１ｕと、カートリッジ上体７２のディスク開口部７２ｗを構成する略円筒状の第２の内側面７２ｉとにより、ディスク１００を収納するディスク収納部７０ｄが構成される。これにより、第１の内側面７１ｕがディスク収納部７０ｄの底部となる。
【０１６４】
ディスク収納部７０ｄにおいて、第２の内側面７２ｉとディスク１００との間にはディスク１００が回転可能な程度の空間が設けられる。また、ディスク収納部７０ｄの上部はディスク開口部７２ｗになっており、ディスク収納部７０ｄに保持されたディスク１００は、その片面をディスク開口部７２ｗから外部に露出する。
【０１６５】
シャッタ８１および８２は、ディスク１００の信号記録面１００Ａとディスク収納部７０ｄの内側面７１ｕとの間に設けられている。シャッタ８１および８２は、回動孔８１ｕおよび８２ｕをそれぞれ有しており、カートリッジ本体７０のディスク収納部７０ｄ以外の領域であって、かつヘッド開口部７１ｈと反対側に設けられた一対の回動軸７１ｓに回動孔８１ｕ、８２ｕが回動自在にそれぞれ嵌合している。このため、チャッキング開口部７１ｃおよびヘッド開口部７１ｈを外部に対して開放または閉塞するようシャッタ８１および８２は回動軸７１ｓを中心に移動する。
【０１６６】
シャッタ８１および８２の回動孔８１ｕおよび８２ｕ近傍にはそれぞれカム８１ｃおよびフォロワ８２ｃが設けられている。カム８１ｃおよびフォロワ８２ｃは互いに噛み合う形状を備え、シャッタ８１および８２を互いに連動しながら開閉させる連動機構８０ｃを構成している。
【０１６７】
シャッタ８１および８２のディスク信号記録面１００Ａと向かい合う面にはディスク１００への傷つき、もしくは信号記録面１００Ａへの埃塵の侵入を防止する保護層８１ｐ、８２ｐが設けられている。
【０１６８】
保護層８１ｐおよび８２ｐは、傷つき防止用不織布、防塵用不織布、傷つき防止用コーティング層、および防塵用コーティング層から適宜選択することができる。本実施形態では、防塵用不織布からなるシートを保護層８１ｐ、８２ｐとして貼着もしくは超音波溶着させている。
【０１６９】
シャッタ８１および８２は、ディスク収納部７０ｄ以外の領域にそれぞれ設けられたシャッタバネ９１および９２によって、シャッタ８１および８２が閉じる方向に付勢されている。シャッタバネ９１、９２はシャッタ８１、８２が開く方向に付勢してもよい。また、連動機構によるシャッタ同士の動作が確実であればシャッタバネ９１、９２のうちいずれか一方のみを設けてもよい。
【０１７０】
図４３に示すように、第８の実施形態と同様、シャッタ８１および８２の端部にディスク保持部８１ａ、８１ｂ、８２ａ、８２ｂが設けられている。凸部８１ｅ、８２ｅも同様にシャッタ８１、８２に設けられている。
【０１７１】
更に、以下で詳述するように、脱落防止部材８１ｆ、８１ｄ、８２ｄがシャッタ８１、８２のディスク保持部８１ａ、８１ｂ、８２ｂ近傍にそれぞれシャッタ８１、８２と一体に形成されている。脱落防止部材８１ｆ、８１ｄ、８２ｄは、弾性部材を介してシャッタ８１、８２と一体に形成されていてもよい。
【０１７２】
図４２に示すように、カートリッジ本体７０（カートリッジ上体７２）の上面には、ディスクカートリッジ３１０のドライブ装置への挿入方向（矢印１Ａ）を示す矢印形の刻印または凹部７０ａが設けられている。また、カートリッジ本体７０の挿入方向１Ａに対し平行な一対の側面にはそれぞれ凹部７０ｃが設けられている。凹部７０ｃは、ドライブ装置がディスクカートリッジ３１０をローディングする際の、あるいはディスクカートリッジ３１０がチェンジャに収納された場合の、引き込み用の係止もしくは位置決め用の凹みとして用いることができる。またこの凹部７０ｃをカートリッジ３１０一側面にのみ設けることで、ディスクカートリッジ３１０をドライブ装置に挿入または装着する際の表裏の誤挿入防止機構にもなる。カートリッジ本体７０の上面には操作者がカートリッジ３１０を持つための握り部７０ｅが設けられている。この握り部７０ｅには滑り止め用として凹凸形状が施されている。
【０１７３】
図４４はディスク１００がない場合におけるシャッタ８１、８２がチャッキング開口部７１ｃおよびヘッド開口部７１ｈを外部に対して閉塞している状態を示す斜視図である。図４５はディスク１００がない場合におけるシャッタ８１、８２がチャッキング開口部７１ｃおよびヘッド開口部７１ｈを外部に対して開放している状態を示す斜視図である。
【０１７４】
以下に、シャッタ８１、８２の構造および動作についてさらに詳しく説明する。図４２及び図４３に示すように、シャッタ８１および８２に設けられたディスク保持部８１ａ、８１ｂ、８２ａ、８２ｂは、第８の実施形態と同様、ディスク投影領域上であって、ディスク１００の外周上に張り出すように傾斜した斜面を有する形状を備えている。つまり、斜面は逆テーパ状をしており、ディスク１００に向かって傾いている。これによって、第８の実施形態と同様の効果を発揮する。
【０１７５】
また、シャッタ８２には、外部からシャッタを開閉させるための開閉操作部８２ｔおよび弾性部８２ｖとこれを介して形成されるロック突起部８２ｋが一体に形成されている。これによって、シャッタ８１、８２がチャッキング開口部７１ｃおよびヘッド開口部７１ｈを閉塞した状態では、弾性部８２ｖにより付勢されたロック突起部８２ｋが、カートリッジ本体７０に形成されたロック孔７０ｋ（図４４）に嵌合し、シャッタ８２を回動しないようカートリッジ本体７０に固定支持する。シャッタ８２が固定されると、連動機構８０ｃにより連結されているシャッタ８１も固定される。
【０１７６】
従って、図４４に示すように、外部から突起物等によりロック突起部８２ｋを矢印７０Ａ方向に押してロック孔７０ｋとの嵌合を外しながら、同時に開閉操作部８２ｔを矢印７０Ｂ方向に押すことによってのみ、シャッタ８１および８２を回動させてチャッキング開口部７１ｃとヘッド開口部７１ｈを外部に対して開放し同時にディスク保持部８１ａ、８１ｂ、８２ａ、８２ｂによるディスク１００の保持を解除することができる。このようにして、操作者による安易なディスクの取り外しを防止できる。
【０１７７】
なお、ロック突起部８２ｋはシャッタ８２に形成していたが、カートリッジ本体７０に形成したロックレバーの弾性部を介した先端にロック突起部および凸部を設け、この凸部とシャッタに設けた凹部との嵌合を、カートリッジ本体に設けたロック孔からロック突起部を押すことにより外し、シャッタを回動自在に開放するようにしてもよい。またこの場合、ロックレバーはシャッタバネ（弾性部材）と共に、カートリッジ本体７０と一体に成形される樹脂バネで形成してもよい。
【０１７８】
次に脱落防止部材８１ｆ、８１ｄ、８２ｄの構造および動作について、さらに詳しく説明する。シャッタ８１、８２が閉塞している状態において、脱落防止部材８１ｆ、８１ｄ、８２ｄは図４６および４８に示すように、ディスク１００とおおよそ平行であり、ディスクカートリッジ３１０の上面より脱落防止部材８１ｆ、８１ｄ、８２ｄが突出することはない。この状態のディスクカートリッジ３１０の外観は、図４４に示される。
【０１７９】
図４７および４９に示すように、シャッタ８１、８２が開放状態に移行する時、脱落防止部材８１ｆ、８１ｄ、８２ｄはそれぞれカートリッジ７０の内側壁部に設けられたスリット７０ｓおよび内側上壁に設けられた傾斜部７２ｓに案内され、ディスク１００の上方へ押し上げられる。またカートリッジ上体７２には、脱落防止部材８１ｆ、８１ｄ、８２ｄが押し上げられたとき、カートリッジ上体７２と干渉しないよう、切り欠き部７２ａ、７２ｂ、７２ｃがカートリッジ上体７２に設けられている。この状態のディスクカートリッジ３１０の外観は、図４５に示される。
【０１８０】
またシャッタ８１、８２が閉塞した状態において、脱落防止部材８１ｆ、８１ｄ、８２ｄはディスク１００の投影領域でかつディスク１００の上部に位置するので、ディスク１００を厚み方向においてシャッタ８１、８２に押し付け、ディスク１００を保持する構成とし、これによって、シャッタ８１、８２のディスク保持部８１ａ、８１ｂ、８２ａ、８２ｂをなくすことも可能である。
【０１８１】
この構造によって、特に、ディスクカートリッジ３１０がディスクドライブ装置に垂直に挿入されてからディスク１００がチャッキングされるまでの間、ディスク１００がディスクカートリッジ３１０から脱落するのを防止できる。一方、ディスク１００がチャッキングされるときには、ディスク１００が動作し得る空間を広げることができる。またこの構造によって、カートリッジ本体をさらに薄くすることができる。
【０１８２】
（第１１の実施形態）
以下、本発明の第１１の実施形態に係わるディスクカートリッジ３１１について、図を参照しながら説明する。
【０１８３】
図５０および５１に示すように、ディスクカートリッジ３１１は、カートリッジ下体１１、カートリッジ上体１２、一対のシャッタ２１、２２および脱落防止部材２３を含む。これら構成要素の構造や機能は、図５２から５６に示すように、第８の実施形態において説明した通りであるので、詳細な説明は省略する。
【０１８４】
図５０および５１に示すように、本実施形態のディスクカートリッジ３１１は、シャッタ２１、２２に孔２０ｈが設けられている点で第８の実施形態のディスクカートリッジ３０８とは異なっている。
【０１８５】
具体的には、ディスクカートリッジ３１１のシャッタ２１、２２が閉塞した状態において、シャッタ２１、２２のディスク１００のセンタホール１００ｈに対応する領域には、孔２０ｈが設けられている。孔２０ｈは、シャッタ２１および２２にそれぞれ設けられた切り欠き２１ｈおよび２２ｈによって構成される。
【０１８６】
この構造によれば、ディスクカートリッジ３１１を図５０に示すようにディスク１００の上面を上向きにして放置した場合、センタホール１００ｈから進入にする埃は、シャッタ２１、２２に設けられた孔２０ｈを通過して、ディスクカートリッジ３１１に留まることなく外部へ出てしまう。つまり、埃が、シャッタ２１、２２に堆積しない。これにより、シャッタ２１、２２が開いた状態、即ちドライブ装着状態において、埃がディスクの信号記録面側１００Ａに付着するのを防止できる。
【０１８７】
孔２０ｈは、ディスクカートリッジ３１１が表向き（図５０に示される状態）にも裏向き（カートリッジ下体１１が上にくる状態）にも放置されることを考慮して、センタホール１００ｈとほぼ同じ直径同径を備えていることが好ましい。このような関係を満たすことによって、ディスクカートリッジ３１１が表向きに放置される場合においてシャッタ２１、２２に埃が付着することを防ぎ、ディスクカートリッジ３１１が裏向きに放置される場合において、ディスク１００の信号記録面側１００Ａに直接埃が付着するのを防止できるためである。
【０１８８】
なお、ディスクカートリッジ３１１において、シャッタ２１、２２を開閉するための開閉操作部は、シャッタ２２に設けられており、第８の実施形態のディスクカートリッジ３０８とは異なっている。具体的には、図５１および５７に示すように、開閉操作部２２ｔおよび弾性部２２ｖとこれを介して形成されるロック突起部２２ｋがシャッタ２２と一体に形成されている。このため、第８の実施形態とは異なって、ディスク１００側から見て、開閉操作部２２ｔはヘッド開口部２１ｈの右側に位置している。開閉操作部２２ｔの機能や動作は第８の実施形態のディスクカートリッジ３０８と同じである。
【０１８９】
（第１２の実施形態）
以下、本発明の第１２の実施形態に係わるディスクカートリッジ３１２について、図を参照しながら説明する。
【０１９０】
ディスクカートリッジ３１２は、ディスク収納部１０ｄの内側側面１２ｉに鍔１２ｔを有する点およびシャッタ２１、２２の孔２０ｈの周囲に凸部２０ｗを有する点で第１１の実施形態のディスクカートリッジ３１１とは異なっている。以下に、これらの特徴について説明をする。
【０１９１】
図５８に示すように、鍔１２ｔは、カートリッジ上体１２の内側側面１２ｉからディスク１００の内周方向に張り出しており、ディスク収納部１０ｄの外周部のほぼ全域に形成されている。ディスク１００がディスク収納部１０ｄに収納されたときのディスクカートリッジ３１２の断面は図５９に示されている。シャッタ２１および２２が閉じた状態では、図５９に示すように、ディスク１００の信号記録面１００Ａの外周部は鍔１２ｔに当接する。これにより、ディスク１００の外周部とカートリッジ本体との隙間が塞がり、信号記録面１００Ａ側へ埃が進入するのを防止することができる。
【０１９２】
カートリッジ本体１０の鍔１２ｔとカートリッジ下体１１との間には、空隙１０ｗを設けており、シャッタ２１、２２が開くとき、図６０および６１に示すように、空隙１０ｗにシャッタ２１、２２の一部が入り込んで、カートリッジ本体１０とシャッタ２１、２２とが干渉するのを防いでいる。
【０１９３】
このような構造においては、図５９に示すように、シャッタ２１、２２が閉じている時、ディスク１００とシャッタ２１、２２との間に外部に通じる隙間１０ｚが生じる。この隙間１０ｚを塞ぐためディスクセンタホール１００ｈ近傍に凸部２１ｗおよび２２ｗをシャッタ２１および２２に設けている。図５８に示すように、シャッタ２１、２２が閉じた状態では、凸部２１ｗ、２２ｗは密着し、ディスクセンタホール１００ｈ近傍の全周を塞ぐ凸部２０ｗが形成される。これによりディスクセンタホール１００ｈ近傍からディスク１００の信号記録面１００Ａ側への埃の進入を防止できる。
【０１９４】
凸部２１ｗ、２２ｗの先端は、ディスク１００の信号記録面１００Ａと接触する可能性がある。このため、凸部２１ｗ、２２ｗの稜線を丸くして、ディスクへの傷付きを防止することが好ましい。また、凸部２１ｗ、２２ｗは、シャッタ２１、２２とそれぞれ一体に形成してもよい。この場合、凸部２０ｗのディスク１００と当接する部分にディスクへの傷付き防止用の不織布を粘着あるいは超音波溶着するか、傷付き防止用のコーティングを形成することが好ましい。また、凸部２１ｗ、２２ｗ自体をディスクへの傷付き防止用の不織布あるいは傷付き防止用のコーティングで形成し、シャッタ２１および２２上に直接、超音波溶着するか、または固着してもよい。
【０１９５】
また、図５９に良く示されているように、シャッタ２１および２２が閉塞状態では、ディスク１００は凸部２０ｗと鍔１２ｔとにより、シャッタ２１および２２から空隙１０ｚだけ浮いた状態でシャッタ２１および２２に保持されている。すなわち、ディスク１００の信号記録面１００Ａの大部分はシャッタ２１および２２には面接触していない。従って、シャッタ２１および２２に傷付防止用不織布の貼り付け等の処理が施されていない場合でも、信号記録面１００Ａに傷がつくことを防止できるという効果もある。
【０１９６】
図６２および６３は、ディスク１００の外周方向に拡大された凸部２１ｗ'および２２
ｗ'を有するディスクカートリッジを示しており、図６２はシャッタ２１、２２が閉じた
状態を示し、図６３はシャッタ２１、２２が開いた状態を示している。
【０１９７】
図６２および６３に示すように凸部２１ｗ'および２２ｗ'は、シャッタ２１、２２が開放している状態において、ディスク収納部１０ｄに設けられた鍔１２ｔよりもディスク収納部の中心側に設けられていることが好ましい。これにより、凸部２１ｗ'および２２ｗ'と鍔１２ｔとが接触したり干渉したりすることを防ぐことができる。
【０１９８】
凸部２１ｗ'および２２ｗ'はシャッタ２１および２２とそれぞれ一体に形成してもよい。この場合、凸部２１ｗ'および２２ｗ'のディスク１００と当接する部分にディスクへの傷付き防止用の不織布を粘着あるいは超音波溶着するか、傷付き防止用のコーティングを形成することが好ましい。また、凸部２１ｗ'および２２ｗ'自体をディスクへの傷付き防止用の不織布あるいは傷付き防止用のコーティングで形成し、シャッタ２１および２２上に直接、超音波溶着するか、または固着してもよい。
【０１９９】
（第１３の実施形態）
以下、本発明の第１３の実施形態に係わるディスクカートリッジ３１３について、図を参照しながら説明する。
【０２００】
まず、図６４および６５を参照して、ディスクカートリッジ３１３のおおまかな構造を説明する。なお、第８の実施形態と同様、図６４および６５に示されるディスク１００は第１および第２の面を備えており、図６４では、第１の面であり、通常ディスクのラベル等が描かれている面が示されている。ディスク１００の第２の面である信号記録面１００Ａは、図６５において裏面として示されている。
【０２０１】
図６４および６５に示すように、ディスクカートリッジ３１３は、カートリッジ下体１１、カートリッジ上体１２、一対のシャッタ２１、２２および脱落防止部材２３を含む。
【０２０２】
カートリッジ下体１１は、図６５に示すように、外部からディスク１００を回転させるためのスピンドルモータ等のチャッキング部材が侵入できるよう開口したチャッキング開口部１１ｃと、ディスク１００の信号記録面１００Ａに対して信号の再生および記録の少なくとも一方を行うヘッドが侵入し、アクセスできるよう開口したヘッド開口部１１ｈとを有する。カートリッジ下体１１は、ディスク１００の信号記録面１００Ａと対向する。またカートリッジ下体１１は合成樹脂を成形して形成されている。
【０２０３】
ヘッド開口部１１は、カートリッジ下体１１の側面にまで達しており、ヘッド開口部１１ｈによりカートリッジ下体１１の剛性が弱くなるのを防止するために、ヘッド開口部１１ｈを繋ぐ橋梁部１１ｂをカートリッジ下体１１は有している。またカートリッジ下体１１の裏面には、ドライブ装置側のカートリッジ位置決めピンを挿入するための位置決め１１ｗを２ヶ所設けている。
【０２０４】
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。カートリッジ上体１２も合成樹脂から形成されている。
【０２０５】
カートリッジ下体１１のディスク１００の信号記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄが構成される。これにより、第１の内側面１１ｕがディスク収納部１０ｄの底部となる。
【０２０６】
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
【０２０７】
脱落防止部材２３は、その一部がディスク開口部１２ｗに突出するようにカートリッジ上体１２に着脱可能に設けられている。図６４および６５に示すように、本実施形態では脱落防止部材２３は２つ設けられている。一方、カートリッジ上体１２には、カートリッジ上体１２と一体に形成されており、ディスク開口部１２ｗから突出している脱落防止部１２ｓが設けられている。２つの脱落防止部材２３および脱落防止部１２ｓは、ディスク開口部１２ｗの円周上において、おおよそ等間隔に配置されており、ディスク開口部１２ｗからディスク１００が脱落することを防止する。また脱落防止部１２ｓの一部に凸形状のディスク当接部１２ｓ'を２ヶ所設けている。このディスク当接部１２ｓ'の高さは、ディスク１００から見た場合、脱落防止部材２３のディスク当接部２３ａと同じ高さである。
【０２０８】
この構造によって、ディスクカートリッジ３１３が垂直、或いは裏向きの状態で使用されても、ディスク１００の姿勢を安定に保つことができる。従って、ディスクカートリッジ３１３を垂直、あるいは裏向きの状態でドライブ装置に挿入して使用する場合において、特に脱落防止の効果を発揮する。なお、脱落防止部材２３は、着脱可能にカートリッジ本体１０に取り付けられていなくてもよい。ディスク１００がカートリッジ本体１０から取り出せる程度にディスク収納部１０ｄ内において回動あるいは昇降できる限り、カートリッジ上体１２に脱落防止部材２３が固定されていてもよい。
【０２０９】
シャッタ２１および２２は、ディスク１００の信号記録面１００Ａとディスク収納部１０ｄの内側面１１ｕとの間の同一平面上に設けられている。シャッタ２１および２２は、回動孔２１ｕおよび２２ｕをそれぞれ有しており、カートリッジ本体１０のディスク収納部１０ｄ以外の領域であって、かつヘッド開口部１１ｈと反対側に設けられた一対の回動軸１１ｓに回動孔２１ｕ、２２ｕが回動自在にそれぞれ嵌合している。このため、チャッキング開口部１１ｃおよびヘッド開口部１１ｈを外部に対して開放または閉塞するようシャッタ２１および２２は回動軸１１ｓを中心に移動する。シャッタ２１および２２も合成樹脂から形成される。
【０２１０】
シャッタ２１および２２の回動孔２１ｕおよび２２ｕ近傍にはそれぞれリング形状部２１ｃおよびピン状部２２ｃが設けられている。リング形状部２１ｃおよびピン状部２２ｃは互いに噛み合う形状を備え、シャッタ２１および２２を互いに連動しながら開閉させる連動機構２０ｃを構成している。連動機構２０ｃは、カム機構、あるいは歯車機構等の連動動作可能な他の機構で構成してもよい。
【０２１１】
シャッタ２１および２２のディスク信号記録面１００Ａと向かい合う面にはディスク１００への傷つき、もしくは信号記録面１００Ａへの埃塵の侵入を防止する保護層２１ｐ、２２ｐが設けられている。
【０２１２】
保護層２１ｐおよび２２ｐは、傷つき防止用不織布、防塵用不織布、傷つき防止用コーティング層、および防塵用コーティング層から適宜選択することができる。本実施形態では、防塵用不織布からなるシートを保護層２１ｐ、２２ｐとして貼着もしくは超音波溶着させている。
【０２１３】
シャッタ２１に設けられたロック突起部２１ｋと、これと噛み合うよう、シャッタ２２に設けられたロック係合部２２ｋとは、シャッタ２１および２２を互いに開閉ロックさせるロック機構２０ｋを構成している。この構造により、シャッタ２１および２２同士を開閉ロックすることができるので、操作者が容易にシャッタを開放させてしまうことを防ぐ。そして、ディスク１００の信号記録面１００Ａへの埃・指紋・傷等の付着を防止する。ロック突起部２１ｋはシャッタ２１と、ロック係合部２２ｋはシャッタ２２と、それぞれ一体に形成されている。
【０２１４】
また、シャッタ２１および２２には切り欠き２１ｈおよび２２ｈが設けられている。シャッタ２１および２２が閉塞状態では切り欠き２１ｈと２２ｈとが当接し、孔２０ｈを形成する。シャッタ２１および２２が閉塞している状態において、孔２０ｈは、ディスク１００のセンタホール１００ｈに対応する位置にあり、孔２０ｈの直径はディスク１００のセンタホール１００ｈの直径とほぼ等しい。これにより、ディスクカートリッジ３１３が表向きに放置される場合においてシャッタ２１、２２に埃が付着することを防ぎ、ディスクカートリッジ３１３が裏向きに放置される場合において、ディスク１００の信号記録面側１００Ａに直接埃が付着するのを防止できる。
【０２１５】
第８の実施形態等で説明したように、シャッタ２１および２２には、シャッタが閉塞状態の時にディスク１００を保持するためのディスク保持部２１ａ、２１ｂ、２２ａ、２２ｂがディスク円周上に散在する形でシャッタ２１および２２と一体に成形されている。ディスク保持部２１ａ、２１ｂ、２２ａ、２２ｂのディスク１００と当接する部分は逆テーパ状の斜面になっている。これらの斜面により、シャッタ２１、２２が閉塞状態において、ディスク１００をシャッタ２１、２２側に押圧しながら確実に保持することができる。
【０２１６】
また、本実施形態では、ディスク保持部２１ｂのみ、シャッタ２１に固定されずに弾性部２１ｄにより結合されており、ディスク１００の半径方向（ディスクの中心へ向かって）自在に移動できるように形成されている。これにより、装着されるディスクの直径、あるいは厚みがばらついた場合でも、ガタつきなく確実にディスク保持部２１ａ、２１ｂ、２２ａ、２２ｂがディスク１００を保持できる。
【０２１７】
回動孔２２ｕの反対側、即ちディスク保持部２２ａの近傍にはシャッタ２２を開閉操作するためのシャッタ開閉操作部２２ｔがシャッタ２２に一体に形成されている。そしてカートリッジ本体１０にシャッタ２１および２２装着された場合、シャッタ開閉操作部２２ｔは橋梁部１１ｂの下側のヘッド開口部１１ｈ内に位置する。シャッタ２１および２２を開閉操作する際、開閉操作部２２ｔは、橋梁部１１ｂに沿って、ヘッド開口部１１ｈ内で移動する。この配置により、カートリッジ本体１０にシャッタ開閉操作部２２ｔが移動するための空隙を別途設ける必要がなくなる。言い換えれば、カートリッジ本体１０に余計な空隙を設ける必要がなくなり、カートリッジ本体１０内への埃の進入を防止することができる。またシャッタ開閉操作部２２ｔをカートリッジ本体１０のヘッド開口部に配置することができるので、デザイン的に優れたカートリッジを提供することができる。
【０２１８】
図６６に示すように、シャッタ２１とシャッタ２２とは、一直線上において当接するのではなく、直線上にない複数の接合面を有する。具体的には、チャッキング開口部１１ｃ領域では、シャッタ２１およびシャッタ２２は、それぞれ第１の接合面である２１ｆおよび２２ｆを有し、ヘッド開口部１１ｈ領域では、シャッタ２１およびシャッタ２２は、それぞれ第２の接合面である２１ｇおよび２２ｇを有している。接合面２１ｆおよび２２ｆは、本実施形態ではディスクカートリッジ３１３の対称中心線上で当接する。一方、接合面２１ｇおよび２２ｇは、対称中心線から所定の角度、ここでは約１５〜１６度だけずれた直線上で当接している。このような形状にすることにより、シャッタ開閉操作部２２ｔ近傍から一体化した形状でシャッタ２２を形成することができ、シャッタ２２の剛性を十分確保することができる。
【０２１９】
シャッタ２１および２２は、ディスク収納部１０ｄ以外の領域にそれぞれ設けられたシャッタバネ３１および３２によって、シャッタ２１および２２が閉じる方向に付勢されている。シャッタバネ３１および３２は、カートリッジリッジ下体１１に２ヶ所設けたバネ柱１１ｔにそれぞれ挿入される。本実施形態では、シャッタバネ３１および３２としてねじりコイルバネを使用している。同じ形状のバネをシャッタバネ３１および３２として用いることにより、コストを低減している。ねじりコイルバネ以外に、圧縮バネ、板バネ、樹脂弾性バネ等、種々の弾性部材をシャッタバネとして用いることができる。
【０２２０】
図６５に示すように、ディスクカートリッジ３１３は、ライトプロテクト部材４０を備えている。ライトプロテクト部材４０は、カートリッジ下体１１の溝部１１ｖに摺動可能に装着される。ライトプロテクト部材４０を摺動することにより、凸部４０ｔの位置が移動し、ドライブ装置に設けられた検出スイッチが、凸部４０ｔの位置に対応してＯＮまたはＯＦＦ状態になる。これによってディスク１００への記録を禁止したり、許可したりすることができる。
【０２２１】
上述したカートリッジ下体１１とカートリッジ上体１２からなるカートリッジ本体１０、脱落防止部材２３、シャッタ２１、２２、シャッタバネ３１、３２、ライトプロテクト部材４０により、ディスクカートリッジ３１３は構成されている。
【０２２２】
カートリッジ下体１１とカートリッジ上体１２が接合される際、カートリッジ下体１１の２つの回動軸１１ｓはカートリッジ上体１２の２つの凹部１２ｈにそれぞれ嵌合されるようになっている。これにより回動軸１１ｓの剛性が上がり、シャッタ２１および２２が開放状態の時においても、シャッタバネ３１および３２の付勢力によるシャッタ回動周辺部のねじれが低減でき、確実なシャッタ開放量を確保できる。
【０２２３】
カートリッジ本体１０（カートリッジ上体１２）の上面には、収納されるディスク１００に書き込まれた内容などを記述することのできるラベル面１０ｆ、ディスクカートリッジ３１３のドライブ装置への挿入方向（矢印１Ａ）を示す矢印形の刻印または凹部１０ａが設けられている。
【０２２４】
また、挿入方向１Ａに平行なカートリッジ本体１０の２つの側面に設けた一対の凹部１０ｃおよび１０ｅは、ドライブ装置がディスクカートリッジ３１３をローディングする際の、或いはカートリッジ３１３がチェンジャに収納された場合の、引き込み用の係止もしくは位置決め用の窪みとして用いることができる。またカートリッジ本体の一側面に設けたスリット部１０ｂは、ドライブ装置にディスクカートリッジ３１３を挿入する際の表裏検出用の窪みとして用いることができる。
【０２２５】
次に、ディスクカートリッジ３１３の動作について、シャッタが閉じた状態を示す図６６、シャッタが開いた状態を示す図６７、シャッタロック部詳細図である図６８、およびシャッタのディスク保持部の詳細図である図６９を参照しながら説明する。
【０２２６】
まずディスクカートリッジ３１３がドライブ装置に装着されない状態、即ち保管状態について説明する。このとき、図６６に示すようにシャッタ２１および２２は閉塞している状態にあり、図６９に示すように、シャッタ２２のディスク保持部２２ａの斜面部２２ａ'がディスク１００の稜に当接することにより、ディスク１００を保持し、かつ厚み方向
１００ｔ方向へ押圧し、シャッタ２２のシート２２ｐに信号記録面１００Ａを面接触させ、ディスク１００をカートリッジ本体１０に保持固定する。その他のディスク保持部２１ａ、２１ｂ、２２ｂについてもそれぞれ斜面部２１ａ'、２１ｂ'、２２ｂ'が形成されて
おり、斜面部２２ａ'と同様にディスク１００をカートリッジ本体１０に保持固定する。
【０２２７】
この状態では、ディスク１００の信号記録面１００Ａがシート２１ｐおよび２２ｐに密着しているため、信号記録面１００Ａへの埃の付着を防止できる。また、外部から露出したディスク１００の片面を強制的に回転させることにより、またはシャッタ２１および２２を強制的に開閉動作させることにより、ディスク１００の信号記録面１００Ａに付着した埃や指紋等の汚れを払拭することもできる。
【０２２８】
またロック機構２０ｋによりシャッタ２１および２２は開閉ロックされているので、操作者が簡単にはシャッタ２１および２２を開放できない。従って、ディスク１００の信号記録面側１００Ａを保護でき、埃、指紋、傷等の付着を防止できる。
【０２２９】
またディスク１００のセンタホール１００ｈに対応するシャッタ２１および２２の領域には、シャッタ２１および２２のそれぞれの切り欠き２１ｈと２２ｈとによって形成される孔２０ｈを設けている。したがって、カートリッジ３１３が放置された状態において、センタホール１００ｈから進入による埃がシャッタ２１および２２に付着するのを防止できる。
【０２３０】
またシャッタ２１および２２が閉塞している時、シャッタ２１と２２との接合面のうち、少なくともヘッド開口部１１ｈとチャッキング開口部１１ｃの上で突き合わされる接合面２１ｆおよび２２ｆならびに接合面２１ｇおよび２２ｇは、図７０および７１に示すように、ディスク１００の厚み方向に重畳している。従って、ディスク１００の直径がばらついている等の理由によって、シャッタ２１および２２が完全には閉塞しない場合、あるいはシャッタ２１とシャッタ２２とのロックが不完全であるため、シャッタ２１および２２が完全には閉塞しない場合であっても、シャッタ２１および２２の接合面には隙間を生じない。このため、このような場合でも、ディスク１００に埃、指紋、傷等が付着することを確実に防止できる。
【０２３１】
また図７０に示すように、ヘッド開口部１１ｈ周辺において、シャッタ２１と２２とは、シャッタ２２の接合面２２ｇがシャッタ２１の接合面２１ｇよりも上になるように接合している。一方、図７１に示すように、チャッキング開口部１１ｃ周辺においては、シャッタ２１と２２とは、シャッタ２１の接合面２１ｆがシャッタ２２の接合面２２ｆよりも上になるように接合している。この様にシャッタ２１および２２が当接する複数の接合面の間で接合面の角度が異なるようにしてもよい。このような構造にすることによって、ディスクの厚み方向に対して２枚のシャッタ２１および２２が確実に係合するので、シャッタ２１および２２のそれぞれが浮きあがることを防止でき、更に、シャッタ２１および２２が閉塞した状態において、シャッタ２１および２２の接合面の剛性を高めることができる。
【０２３２】
なお、本実施形態において、シャッタ２１および２２は、図７０および７１に示すような接合面２１ｇ、２２ｇ、２１ｆ、２２ｇを有しているが、シャッタ２１および２２の接合面の位置や接合の仕方は、図７０および７１に示す以外の位置や接合の仕方であってもよい。例えば、図７０において示している接合面２１ｇ、２２ｇをヘッド開口部１１ｈ周辺に配置し、接合するようにしてもよいし、逆に図７１において示している接合面２１ｆ、２２ｆをチャッキング開口部１１ｃ周辺に配置し、接合するようにしてもよい。これにより、シャッタ２１および２２の閉塞時の剛性がより向上し、接合面の隙間を減少させることができ、カートリッジ内部への埃の侵入を防止できる。
【０２３３】
またシャッタ２１および２２が閉塞している状態では、図６８に示すシャッタ２１および２２に設けた凸部２１ｊ、２２ｊがそれぞれ図６５に示すカートリッジ上体１２に設けられた２個のシャッタストッパー部１２ｆに当接している。したがって、シャッタ２１および２２は回動に対して規制されており、閉塞している状態から移動することはない。これにより、シャッタのガタを防止することができ、また、操作者の故意的な扱いによるシャッタの破損を防止することができる。さらにシャッタ２１および２２の回動が規制されるため、シャッタ開閉操作部２２ｔの位置が変動しない。このため、ディスクカートリッジ３１３をドライブ装置に挿入した場合、ドライブ装置のシャッタ開閉機構がシャッタ開閉操作部２２ｔを確実に係合することができる。
【０２３４】
次にディスクカートリッジ３１３がドライブ装置に装着される状態を説明する。図６６に示すように、ディスクカートリッジ３１３を１Ａ方向にドライブ装置に挿入すると、ドライブ装置に設けたカートリッジ位置決めピンがディスクカートリッジ３１３の位置決め孔１１ｗに係合し、ドライブ装置内でのディスクカートリッジ３１３の水平方向および高さ方向の位置決めがなされる。
【０２３５】
次にドライブ装置内に備えられたシャッタ開閉機構のシャッタ開閉部材が図６８に示すシャッタ開閉操作部２２ｔに係合し、かつシャッタ開閉機構のロック解除部材がシャッタ２１のロック弾性部２１ｅで繋がったロック押圧部２１ｙを２０Ａ方向に押圧する。これにより、ロック機構２０ｋのロック突起部２１ｋとロック係合部２２ｋとが離れ、ロックが解除される。この状態で同時にシャッタ開閉部材によりシャッタ開閉操作部２２ｔが２０Ｂ方向に移動する。図６７に示すように、シャッタ２１は回動軸１１ｓを回動中心にして、シャッタバネ３１の付勢力に反して回動する。これに伴い、連動機構２０ｃで連動したシャッタ２２も同様にシャッタバネ３２の付勢力に反して回動する。したがって、シャッタ２１が完全に開くと、シャッタ２２も開放が完了する。
【０２３６】
またこのとき、ロック突起部２１ｋおよびロック押圧部２１ｙはロック弾性部２１ｅにより元の形状位置に復帰している。したがって、樹脂によって形成されたロック弾性部２１ｅの塑性変形は発生しない。この様にして、ディスク１００の信号記録面１００Ａはチャッキング開口部１１ｃとヘッド開口部１１ｈを通じて外部に露出される。またディスク保持部２１ａ、２１ｂ、２２ａ、２２ｂにより保持されていたディスク１００は、シャッタ２１および２２が回動することにより、保持から開放され、ディスク収納部１０ｄ内で回転可能な状態となる。
【０２３７】
続いて、ドライブ装置のスピンドルモータおよびターンテーブル、ヘッドが、それぞれチャッキング開口部１１ｃとヘッド開口部１１ｈに進入し、ディスク１００への記録あるいは再生が可能な状態となる。
【０２３８】
この様に、外部から突起物等によりロック突起部２１ｋを２０Ａ方向に押してロック係合部２２ｋとの嵌合を外しながら、同時にシャッタ開閉操作部２２ｔを矢印２０Ｂ方向に押すことによってのみ、シャッタ２１および２２を回動させてチャッキング開口部１１ｃとヘッド開口部１１ｈを外部に対して開放し、同時にディスク保持部２１ａ、２１ｂ、２２ａ、２２ｂによるディスク１００の保持を解除することができる。従って、操作者による安易なシャッタの開放、あるいはディスクの取り外しを防ぐことができるので、ディスク１００への埃・指紋・傷等の付着を防止することができる。
【０２３９】
次にディスクカートリッジ３１３がドライブ装置からイジェクトされる状態を説明する。ドライブ装置のイジェクト機構が作動すると、シャッタ開閉操作部２２ｔに係合したシャッタ開閉部材がシャッタ開閉操作部２２ｔより離れる。これによりシャッタ２１および２２の開放維持ができなくなり、シャッタバネ３１および３２で閉塞方向に付勢されているシャッタ２１および２２は、閉塞方向に回動する。その結果、シャッタ２１および２２がヘッド開口部１１ｈおよびチャッキング開口部１１ｃを閉塞する。この時、シャッタ２１および２２はロック機構２０ｋにより開閉ロックされる。またディスク１００はディスク保持部２１ａ、２１ｂ、２２ａ、２２ｂにより保持され、元の状態に戻る。この状態でカートリッジ３１３はドライブ装置からイジェクトされる。
【０２４０】
なお、ディスクカートリッジ３１３において、図６９に示すように、カートリッジ本体１０に設けた脱落防止部材２３のディスク当接部２３ａの高さとカートリッジ上体１２のディスク当接部１２ｓ'の高さは同じである。またシャッタ２１および２２のディスク保
持部２１ａ（２１ｂ、２２ａ、２２ｂ）の斜面部２１ａ'（２１ｂ'、２２ａ'、２２ｂ'）は、ディスク当接部２３ａおよび１２ｓ'よりもディスク１００の上方向即ち１００ｕ方
向へ向けて高く形成されている。これにより、ドライブ装置の形態次第によってディスクカートリッジ３１３が垂直の状態、あるいは裏向きの状態で使用された場合でも、シャッタ２１および２２はディスク１００を確実に保持することができる。例えば、特にディスク１００が裏向きの状態で使用された場合、ディスク１００はチャッキング状態から開放されるとディスク当接部２３ａおよび１２ｓ'に当接し、安定した水平状態を維持する。
この状態でシャッタ２１および２２が閉塞状態に移行すると、ディスク１００は斜面２１ａ'（２１ｂ'、２２ａ'、２２ｂ'）に当接し、斜面を滑らかに滑り込みディスク保持部２１ａ（２１ｂ、２２ａ、２２ｂ）により確実に保持される。
【０２４１】
以上述べたように、本実施形態のディスクカートリッジによれば、カートリッジ本体にディスク開口部を有する構造を備え、ディスクの一方の面のみを覆っておる。また、シャッタの開閉操作部をカートリッジ本体のヘッド開口部に設けることにより、カートリッジ本体に不要な隙間を形成する必要がなくなる。これによって、カートリッジ本体内への埃の進入を防止することができる。
【０２４２】
また、２枚のシャッタをチャッキング開口部領域ではディスクの中心線上で当接させ、ヘッド開口部領域ではディスクの中心線から所定の角度だけずれた直線上で当接させている。これにより、シャッタ開閉操作部近傍から一体化した形状にすることができ、シャッタの剛性を十分確保することができる。
【０２４３】
また２枚のシャッタは互いに開閉ロックされる構成としているため、操作者は容易にシャッタを開放することができない。したがって、ディスクへの埃・指紋・傷等の付着を防止することができる。
【０２４４】
また複数のディスク保持部のうち、少なくとも一つはシャッタに固定されずに弾性部により結合されており、シャッタバネの力も付加されディスクの半径方向に弾性変形できる。これにより装着されるディスクの径がばらついた場合でも、ガタつきなく確実にディスクを保持することができる。
【０２４５】
（第１４の実施形態）
以下に本発明の第１４の実施形態によるディスクカートリッジ３１４について図７２から８１を参照して説明する。本実施形態のディスクカートリッジ３１４において第１３実施形態のディスクカートリッジ３１３と同じ構成要素には同じ参照符号を付している。
【０２４６】
ディスクカートリッジ３１４が、第１３の実施形態のディスクカートリッジ３１３と異なっている点は、カートリッジ上体１２の内側上面１２ｕの形状（図７９）、ディスク保持部２１ａ、２１ｂ、２２ａおよび２２ｂの形状（図７２から７９）、ならびに脱落防止部材５３の形状（図７２、７７、７８）である。また、ディスクカートリッジ３１４は更にディスク受け部６０（図７２および８１）を有している。以下にディスクカートリッジ３１４のこれら相違点を主に説明する。
【０２４７】
第１３の実施形態のディスクカートリッジ３１３において、ディスク保持部２１ａ、２１ｂ、２２ａ、２２ｂの高さは、ディスク１００の外周に沿ってほぼ同じであった。これに対し、本実施の形態のディスクカートリッジ３１４では、図７３および７９に示すように、ディスク保持部２１ｂ、２２ａおよび２２ｂの一部に突起が設けられている。具体的には、ディスク保持部２１ｂ、２２ａおよび２２ｂは、突起を含み、第１の高さｈ１を有する第１の領域１２１ｂ、１２２ａおよび１２２ｂと、第２の高さｈ２を有する第２の領域２２１ｂ、２２２ａおよび２２２ｂとをそれぞれ含んでいる。一方、ディスク保持部２１ａは、第２の高さｈ２を有する第２の領域２２１ａのみを含んでいる。
【０２４８】
第１の高さｈ１は第２の高さｈ２よりも大きいが、第１３実施形態のディスクカートリッジ３１３のディスク保持部２１ａ、２１ｂ、２２ａ、２２ｂの高さと同程度である。つまり、本実施の形態のディスク保持部２１ａ、２１ｂ、２２ａ、２２ｂは、第１の領域１２１ｂ、１２２ａおよび１２２ｂをのぞいて、第１３の実施形態のディスクカートリッジ３１３のディスク保持部２１ａ、２１ｂ、２２ａ、２２ｂよりも低くなっている。
【０２４９】
また、図７４および７５に示すように、ディスク保持部２２ａの第１の領域１２２ａの上面は、ディスクの外周に沿う方向にそって、ディスク側が高くなっている段差２２３が設けられている。ディスク保持部２１ｂの第１の領域１２１ｂの上面およびディスク保持部２２ｂの第１の領域１２２ｂも同様に段差を備えている。
【０２５０】
第１の領域１２１ｂ、１２２ａおよび１２２ｂは、シャッタ２１および２２が閉じてきたときにそれぞれのディスク保持部２１ｂ、２２ａおよび２２ｂにおいて、一番早くディスクと接する領域であり、したがって、第２の領域２２１ｂ、２２２ａ、２２２ｂよりも先にディスク１００と接する。
【０２５１】
ディスク保持部２１ａ、２１ｂ、２２ａ、２２ｂはシャッタ２１および２２の開閉にともなって移動する。図７７および７８はシャッタ２１および２２が閉じているときおよび開いているときのディスク保持部２１ａ、２１ｂ、２２ａ、２２ｂの位置をよく示している。また、図７９および８０には、図７８に示されるＢ−Ｂ断面およびＣ−Ｃ断面が示されている。
【０２５２】
図７７から７９に示すように、カートリッジ上体１２の内側上面１２ｕであって、シャッタ２１および２２を開閉したとき、ディスク保持部２１ｂ、２２ａ、２２ｂの第１の領域１２１ｂ、１２２ａ、１２２ｂが通過する領域１２ｙ、１２ｘ、１２ｚは窪んでいる。一方、第２の領域２２１ｂ、２２２ａ、２２２ｂが通過する領域１２ｙ'、１２ｘ'、１２ｚ'は窪んでいない。したがって、領域１２ｘ、１２ｙ、１２ｚにおけるカートリッジ上
体１２の厚みは、領域１２ｘ'、１２ｙ'、１２ｚ'や他の領域に比べて薄くなっている。
【０２５３】
図７６および７９に示すように、第１の領域１２２ａの先端は、脱落防止部材５３の下面よりも上に位置している。また、ディスク保持部２２ａの第１の領域１２２ａの先端部分が、カートリッジ上体１２の内側上面１２ｕに設けられた領域１２ｘの凹部に入り込んでおり、領域１２ｘの凹部が第１の領域１２２ａの先端部分を受けている。第１の領域１２２ａの先端部分では、段差２２３により、第１の領域１２２ａの上面の一部のみが内側上面１２ｕと接している。第２の領域２２２ａは、カートリッジ上体１２の内側上面１２ｕと接していない。
【０２５４】
シャッタ２１および２２の開閉動作を円滑にするために、ディスク保持部２２ａの第１の領域１２２ａの先端部分とカートリッジ上体１２の内側上面１２ｕとの接触による摩擦は小さいほうが好ましい。このため、ディスク保持部２２ａの第１の領域１２２ａの先端部分は、ディスク１００の半径方向に沿う断面が円弧の一部となる凸部形状になっている。段差２２３は、先端部分を鋭利な形状とすることによる強度の不足を補い、先端部分の成形精度を上げると共に成形を容易にするために設けられている。
【０２５５】
図８０に示すように、ディスク保持部２２ｂにおいても、第１の領域１２２ｂの先端は、脱落防止部材５３の下面より上方に位置している。また、第１の領域１２２ｂの先端部分は、カートリッジ上体１２の内側上面１２ｕに設けられた領域１２ｚの凹部に入り込んでおり、領域１２ｚの凹部が第１の領域１２２ｂの先端部分を受けている。図示しないが、ディスク保持部２１ｂにおいても、第１の領域１２１ｂの先端が脱落防止部材５３の下面より上方に位置しており、カートリッジ上体１２の内側上面１２ｕに設けられた領域１２ｙの凹部に入り込んでいる。
【０２５６】
このように、カートリッジ上体１２の内側上面１２ｕの領域１２ｘ、１２ｙ、および１２ｚを窪ませ、その凹部に、ディスク保持部の一部を入り込ませることによって、領域１２ｘ、１２ｙ、および１２ｚの凹部の深さ分だけ、ディスクカートリッジ３１４全体を薄くすることができる。
【０２５７】
このような構造によれば、仮にカートリッジが垂直あるいは裏向きの状態で使用された場合でも、ディスク１００がチャッキングから開放され、シャッタ２１および２２が閉じてくると、確実にディスク保持部２２ａの第１の領域１２２ａの傾斜部１２２ａ'がディ
スク１００に当接する。そして傾斜部１２２ａ'を滑らかに滑り込んで、ディスク保持部
２２ａの第２の領域２２２ａの傾斜部２２２ａ'も当接するようになる（図７４）。このとき、突起の設けられていないディスク保持部２１ａの第２の領域２２１ａの傾斜部２２１ａ'もディスク１００に当接する。その結果、ディスク保持部２１ａおよび２２ａが、
協同してディスク１００を保持するようになる。ディスク保持部２１ｂおよび２２ｂも同様の動作によって、ディスク１００を保持する。したがって、ディスクカートリッジを薄くしても、あらゆる姿勢においてシャッタを確実に閉じることができ、ディスクを確実に保持することができる。
【０２５８】
なお、もし、ディスク保持部の形状を第１の実施形態と同じにしたままで、ディスクカートリッジ全体を薄くしようとすれば、図７８に示すように、カートリッジ上体１２の内側上面１２ｕのディスク保持部２２ａ、２１ｂ、および２２ｂ全体が通過する領域１２ｘ、１２ｘ'、１２ｙ、１２ｙ'１２ｚ、および１２ｚ'を窪ませる必要がある。この場合、
カートリッジ上体１２において、かなり広い面積にわたって厚みが薄くなってしまい、ディスクカートリッジ全体の強度を損ねてしまう。これに対して、ディスクカートリッジ３１４によれば、厚みを薄くしている領域１２ｘ、１２ｙ、１２ｚは狭いので、ディスクカートリッジ全体の強度を損なうことなく、ディスクカートリッジの厚みを小さくすることができる。
【０２５９】
本実施の形態では、４つのディスク保持部のうち、３つに突起を設けて第１の領域としているが、ディスク保持部の数やシャッタの形状に合わせて種々の数を選ぶことができる。
【０２６０】
本実施形態のディスクカートリッジ３１４において第１３の実施形態のディスクカートリッジ３１３と異なる他の点は脱落防止部材５３の構成にある。
【０２６１】
図７２に示すように、脱落防止部材５３は円板の一部を切り取った形状をしている。カートリッジ上体１２のディスク開口１２ｗに接するように脱落防止部材５３にほぼ対応する切り欠き５４が設けられ、脱落防止部材５３は回転可能なように切り欠き５４に係合されている。図７７に示すように、脱落防止部材５３は、回転によって、カートリッジ上体１２のディスク開口１２ｗに脱落防止部材５３の一部が突出するように保持される。また、図７８に示すように、脱落防止部材５３を回転させることによって、脱落防止部材５３がカートリッジ上体に収まり、突出した部分がディスク開口１２ｗにない状態にも脱落防止部材５３を保持し得る。脱落防止部材５３が切り欠き５４から外れることが問題となる場合には、脱落防止部材５３の側面と切り欠き５４を形成しているカートリッジ上体１２の側面とに係合する凹凸などを設ければよい。
【０２６２】
このような構造にすることによって、脱落防止部材５３の厚みをカートリッジ上体１２の上面とほぼ同じにすることができるので、ディスクカートリッジ３１４全体の厚みを薄くすることができる。
【０２６３】
本実施形態のディスクカートリッジ３１４において、次に特徴的なところは、図７２、７７、７８および８１に示されるように、カートリッジ下体の内側下面１１ｕと内側側面１１ｉとがつくるディスク収納部の底部内周にディスク受け部６０が設けられている点である。ディスク受け部６０は、カートリッジ下体の内側下面１１ｕに平行な上面６０ａを有している。
【０２６４】
シャッタ２１および２２が閉塞状態にあり、ディスク１００がディスク保持部によって保持されているとき、ディスク１００の信号記録面１００Ａの外周近傍と、ディスク受け部６０の上面６０ａとが接する。これによって、ディスク１００の信号記録面１００Ａに埃が付着したり、カートリッジ下体の内側下面１１に埃がたまったりするのを防止することができる。
【０２６５】
ディスク受け部６０の形状は図８１以外のものであってもよい。例えば、図８２に示すように、カートリッジ下体の内側下面１１ｕと内側側面１１ｉとに接するように設けられたテーパ形状を有するディスク受け部７６を設けても良い。この場合、シャッタ２１および２２が閉塞状態にあり、ディスク１００がディスク保持部によって保持されているとき、ディスク１００の信号記録面１００Ａの外周がディスク受け部７６と接する。
【０２６６】
（第１５の実施形態）
以下に本発明の第１５の実施形態によるディスクカートリッジ３１５について図８３から８７を参照して説明する。本実施の形態のディスクカートリッジ３１５において第１４の実施形態のディスクカートリッジ３１４と同じ構成要素には同じ参照符号を付している。
【０２６７】
図８３に示すように、ディスクカートリッジ３１５は、カートリッジ下体１１の内側下面１１ｕのシャッタ２１および２２と接触する領域、ならびにシャッタ２１および２２の下面２１ｖおよび２２ｖに４種類の凹部８５、８６、８７、８８ａ〜８８ｃが設けられている点でディスクカートリッジ３１４と異なっている。これら４種類の凹部について順に説明する。なお、凹部の深さは、１２ｃｍのディスクを保持するディスクカートリッジの場合には、例えば約０．１ｍｍから０．３ｍｍである。
【０２６８】
シャッタ２１および２２が閉じた状態を示す図８４および開いた状態を示す図８５によくあらわされているように、まず、シャッタ２１および２２が開閉する際、シャッタ２１および２２のディスク保持部２１ａ、２１ｂ、２２ａおよび２２ｂが接するカートリッジ下体１１の内側下面１１ｕの領域において、第１の凹部８６が設けられている。
【０２６９】
ディスク保持部２１ａ、２１ｂ、２２ａおよび２２ｂは、ほぼ隙間なくカートリッジ上体１２および下体１１により挟み込まれている。ディスクカートリッジ３１５の組み立て時、あるいは、ディスクカートリッジ３１５を構成している部品の寸法ばらつきによって、ディスク保持部２１ａ、２１ｂ、２２ａおよび２２ｂは、カートリッジ上体１２および下体１１に強く接触する可能性がある。これによって、ディスク保持部２１ａ、２１ｂ、２２ａおよび２２ｂとカートリッジ上体１２あるいは下体１１との摩擦が大きくなり、シャッタ２１および２２の開閉動作が不安定になったり、摩擦によって発塵したりする。
【０２７０】
第１の凹部８６を設けることによって、ディスク保持部２１ａ、２１ｂ、２２ａおよび２２ｂの下部に隙間が形成されるため、このような摩擦を低減することができ、シャッタ２１および２２の開閉動作を安定させ、摩擦による発塵を低減することができる。
【０２７１】
第２の凹部８７は、シャッタ２１および２２が閉じているとき、シャッタ２１および２２の外形エッジ部が位置する領域に設けられる。図８４および８６に示すように、第２の凹部８７はシャッタ２１および２２の外形エッジ部と対応するカートリッジ下体１１の内側下面１１ｕの線を含んでその外側および内側に渡って設けられていることが好ましい。
【０２７２】
ディスクカートリッジ３１５はディスクの片面を露出させて収納するため、図８６に示すようにディスク１００を矢印Ａで示すように押さえつけることが可能である。ディスク１００の信号記録面１００Ａを保護するため、不織布２１ｓおよび２２ｓが設けられているが、シャッタ２１および２２の外形エッジ部にまで完全には貼り付けられていない。このため、ディスク１００を矢印Ａで示すように押さえつけるとシャッタ２１および２２の外形エッジ部が、ディスク１００の信号記録面１００Ａと接触して、信号記録面１００Ａに傷がつく恐れがある。
【０２７３】
しかし、第２の凹部８７を設けることによって、シャッタ２１および２２の外形エッジ部はその一部が第２の凹部８７のなかへ入り込むように変形することができるようになる。これによって、押さえつける力を分散し、ディスク１００の信号記録面１００Ａにシャッタ２１および２２の外形エッジ部が強く接触するのを防止する。
【０２７４】
第３の凹部は、チャッキング開口部１１ｃおよびヘッド開口部１１ｈを囲むように内側下面１１ｕ上設けられた第３の凹部８８ａと、シャッタ２１および２２が閉じている状態でシャッタ２１および２２とは重なっていない内側下面１１ｕの領域に設けられた第３の凹部８８ｂと、シャッタ２１および２２が閉じている状態でシャッタ２１および２２と重なっている内側下面１１ｕの領域に設けられた第３の凹部８８ｃを含む。第３の凹部８８ｂおよび８８ｃはディスク収納部の内側面に沿って円弧状に設けられている。また、本実施の形態では、第３の凹部８８ａは３本設けられている。
【０２７５】
ディスクカートリッジ３１５には、ディスク受け部等、埃がディスクカートリッジ内に入りこんだり、ディスクの信号記録面に埃が付着したりするのを防ぐための種々の構造が取り入れられているが、埃の進入や付着を完全に防止することは難しい。
【０２７６】
第３の凹部は、こうしたディスクカートリッジ３１５内に進入した埃を貯めておく働きをする。具体的には、シャッタ２１および２２の開閉動作にともなって、埃がこれら第３の凹部へ移動する。いったん第３の凹部へ入った埃は、シャッタ２１および２２と接することがないため、再び第３の凹部からでていくことなく、第３の凹部にとどまり続ける。このようにして第３の凹部に埃を貯めておくことによって、埃によるシャッタの動作不良や摩擦による発塵を低減することができる。
【０２７７】
なお、このような効果は、上記第１の凹部８６および第２の凹部８７によっても得られる。したがって、上記第１の凹部８６、第２の凹部８７および第３の凹部８８ａから８８ｃは、必ずしもすべてを備えている必要はなく、いずれかひとつを備えているだけでも、少なくとも埃によるシャッタの動作不良や摩擦による発塵を低減することができる。
【０２７８】
また、シャッタ２１および２２とカートリッジ下体１１の内側下面１１ｕとの間に入り込んだ埃をより効果的に取り除いて、第２の凹部８７等に溜め込むために、シャッタ２１および２２の下面２１ｖおよび２２ｖにおいて、外形エッジ部に沿って凹部８５を更に設けても良い。この場合、図８４に示すように、シャッタ２１および２２が閉じた状態で、第２の凹部８７よりもカートリッジの中心側に凹部８５を設けることが好ましい。また、図８６に示すように、シャッタ２１および２２の凹部８５とカートリッジ下体１１の内側下面１１ｕの第２の凹部８７とはシャッタ２１および２２が閉じた状態で連通していないことが好ましい。
【０２７９】
凹部８５を設けることにより、シャッタ２１および２２の外形エッジ部はより変形し易くなる。したがって、ディスク１００に対して矢印Ａで示される力が加わっても、信号記録面１００Ａにシャッタ２１および２２の外形エッジ部が強く接触して、信号記録面１００Ａに傷をつけたりする恐れをより小さくできるという効果もある。更に凹部８６、８７、８８ａ、８８ｂ、８８ｃ内に不織布等を溶着あるいは粘着して設けることによってカートリッジ本体の隙間を埋めることができ、外部からの埃の進入をさらに強固に防止することができる。
【０２８０】
本実施形態では、第１４の実施形態のディスクカートリッジ３１４に種々の凹部を設けた例を示したが、これらの凹部は第８〜１３の実施形態のディスクカートリッジに設けても良い。
【０２８１】
（第１６の実施形態）
以下に本発明の第１６の実施形態によるディスクカートリッジ３１６について図８８〜９３を参照して説明する。本実施の形態のディスクカートリッジ３１６において第１３の実施形態のディスクカートリッジ３１３と同じ構成要素には同じ参照符号を付している。
【０２８２】
図８８に示すように、本実施の形態のディスクカートリッジ３１６は、ディスクの挿入方向１Ａとおおよそ垂直となるカートリッジ本体の第１の側面１０ｐに第１の開閉操作部２２ｔを備え、第２の側面１０ｑには第２の開閉操作部９３を備えている。このうち、第１の開閉操作部２２ｔは、第１３の実施形態のディスクカートリッジの開閉操作部２２ｔと同じ構造を備えている。
【０２８３】
第２の開閉操作部９３は、図８９に示すように、カートリッジ下体１１に設けられた回転軸１１ｑに挿入可能な穴を有する歯車形状をしている。第２の開閉操作部９３が回転軸１１ｑに挿入されたとき、その一部がカートリッジ本体１０の第２の側面１０ｑから露出するように、カートリッジ下体１１の側面には開口１１ｒが設けられている。回転軸１１ｑはカートリッジ上体１２に設けられていてもよい。
【０２８４】
カートリッジ下体１１に設けられたヘッド開口部１１ｈとチャッキング開口部１１ｃを開放または閉塞する２つのシャッタ２１および２２のうち、第１のシャッタ部材であるシャッタ２２には第１の開閉操作部２２ｔが一体に形成されている。一方、第２のシャッタ部材であるシャッタ２１の外側面のディスク保持部２１ｂの近傍には、歯車状の第２の開閉操作部９３と係合するセクター歯車２１ｍが設けられている。セクター歯車２１ｍの中心はシャッタ２１の回動孔２１ｕと一致している。また、セクター歯車２１ｍに隣接して凹部２１ｎが設けられている。凹部２１ｎは、歯車状の第２の開閉操作部９３がセクター歯車２１ｍに係合し得る空間を作っている。
【０２８５】
第１の開閉操作部２２ｔを使ってシャッタ２１および２２を開閉するためには、まず図９０に示すように、ロック突起部２１ｋおよびロック係合部２２ｋからなるロック機構２０ｋの係合状態を解除する。そして矢印２２Ｗに示すように、カートリッジの第１の側面１０ｐに沿って第１の開閉操作部２２ｔをスライドさせる。これにより、図９１に示すようにシャッタ２２の動きが連動機構２０ｃを介してシャッタ２１に伝わり、シャッタ２１および２２が協同して、ヘッド開口部１１ｈおよびチャッキング開口部１１ｃを開放する。
【０２８６】
一方、第２の開閉操作部９３を使ってシャッタ２１および２２を開閉するためには、まず、図９０に示すように、ロック機構２０ｋの係合状態を解除する。次に、第２の開閉操作部９３を矢印９３Ａで示すように回転させる。すると、第２の開閉操作部９３の歯車に係合し、セクター歯車２１ｍが回動孔２１ｕを中心として回転し始める。この動きはシャッタ２１の開放動作となる。シャッタ２１の動きは連動機構２０ｃを介してシャッタ２２に伝わるので、シャッタ２１および２２が協同して、ヘッド開口部１１ｈおよびチャッキング開口部１１ｃを開放する。図９１に示すように、シャッタ２１および２２がヘッド開口部１１ｈおよびチャッキング開口部１１ｃを完全に開放したとき、第２の開閉操作部９３の一部は、シャッタ２１に設けられた凹部２１ｎに入り込む。
【０２８７】
シャッタ２１および２２を閉じるときには、第１の開閉操作部２２ｔを２２Ｗと反対の方向にスライドさせるか、第２の開閉操作部９３を９３Ａと反対の方向に回転させればよい。本実施の形態では、シャッタ２１および２２が閉じる方向に力が働くようにシャッタバネ３１および３２が設けられているため、シャッタバネ３１および３２の力に抗してシャッタ２１および２２を開放する力、あるいは開放状態に保持する力を第１の開閉操作部２２ｔおよび第２の開閉操作部９３に及さなければ、上述の動作を行わなくてもシャッタ２１および２２が閉じる。
【０２８８】
本実施形態のディスクカートリッジ３１６では、シャッタ２１および２２の開閉操作部がディスクの挿入方向に対して垂直な面と平行な面との両方に設けられている。したがって、シャッタの開閉操作部がディスクカートリッジの挿入方向に対して垂直な側面に設けられているディスクカートリッジにのみ対応したディスクドライブ装置であっても、シャッタの開閉操作部がディスクカートリッジの挿入方向に対して平行な側面に設けられているディスクカートリッジにのみ対応したディスクドライブ装置であっても、本実施の形態のディスクカートリッジに収納されているディスクに対して信号を記録／再生することができる。
【０２８９】
また、本実施の形態のディスクカートリッジ３１６によれば、ディスクカートリッジ３１６の挿入方向に対して平行な側面に設けられている第２の開閉操作部９３は歯車形状をしている。このため、ディスクドライブ装置に設けるシャッタ開閉機構も第２の開閉操作部９３に係合しうる種々の歯車によって形成することができ、比較的簡単な機構で確実にディスクカートリッジ３１６のシャッタ２１および２２を開閉することができる。
【０２９０】
なお、上記実施形態において、セクター歯車２１ｍはディスク保持部２１ｂ近傍に設けられていた。この位置に設ければ、セクター歯車２１ｍからシャッタ２１の回動孔２１ｕの距離が小さくでき、シャッタ２１を完全に開放するのに必要なセクター歯車２１ｍの長さを短くできるからである。しかし、セクター歯車２１ｍの形成場所はこの位置に限られるものではない。例えば図９２および９３に示すように、セクター歯車２１ｍの円弧の延長線上におおよそディスクの中心がくるような位置にセクター歯車２１ｍを設け、セクター歯車２１ｍに係合するように第２の開閉操作部９３を設けてもよい。この位置に第２の開閉操作部９３を設ければ、シャッタ２１を完全に開放するのに必要なセクター歯車２１ｍの長さは大きくなるが、回動孔２１ｕからの距離も長くできる。このことは、支点と作用点との間の距離を大きくすることに対応しており、より軽い力で第２の開閉操作部９３を回転させ、シャッタ２１および２２を開閉することができる。
【０２９１】
（第１７の実施形態）
以下に本発明の第１７の実施形態によるディスクカートリッジ３１７について図９４〜９７を参照して説明する。本実施の形態のディスクカートリッジ３１７において第１６の実施形態のディスクカートリッジ３１６と同じ構成要素には同じ参照符号を付している。
【０２９２】
図９４に示すように、本実施の形態のディスクカートリッジ３１７は、第１６の実施の形態のディスクカートリッジ３１６の第２の開閉操作部９３に替えて、第２の開閉操作部９４を第２の側面１０ｑに備えている。
【０２９３】
図９５によく示されているように、第２の開閉操作部９４は、カートリッジ下体１１の側面に設けられた開口１１ｒに沿ってスライドし得るリンク部材であって、その中ほどで屈曲している。また、第２の開閉操作部９４の端部には突起９４ａが設けられており、この突起９４ａはシャッタ２１のディスク保持部２１ｂ近傍に設けられた溝２１ｉに係合する。
【０２９４】
図９６および９７はディスクカートリッジ３１７のシャッタ２１および２２が閉塞している状態および開放している状態をそれぞれ示している。第１の開閉操作部２２ｔを矢印２２ｗの方向またはその逆方向にスライドさせることにより、シャッタ２１および２２を開閉させることができるのは第１３および第１６の実施形態で説明した通りである。
【０２９５】
第２の開閉操作部９４を使って、シャッタ２１および２２を開閉するためには、図９６に示すように、まず、ロック機構２０ｋの係合状態を解除する。次に、第２の開閉操作部９４を矢印９４Ｂで示す方向にスライドさせる。この動作によって、第２の開閉操作部９４の突起９４ａを矢印９４Ｂの方向に移動させるように力が働く。その結果、シャッタ２１が回動孔２１ｕを中心として開く。シャッタ２１の動きは連動機構２０ｃを介してシャッタ２２に伝わるので、その結果、シャッタ２１および２２が協同して、ヘッド開口部１１ｈおよびチャッキング開口部１１ｃを開放する。第２の開閉操作部９４を矢印９４Ｂと逆の方向にスライドさせることによりシャッタ２１および２２を閉塞状態にできる点やシャッタバネ３１および３２の力が及ぶ点は第１６の実施の形態と同じである。
【０２９６】
本実施の形態のディスクカートリッジも第１６の実施形態のディスクカートリッジと同様、シャッタの開閉操作部がディスクカートリッジの挿入方向に対して垂直な側面に設けられているディスクカートリッジにのみ対応したディスクドライブ装置であっても、シャッタの開閉操作部がディスクカートリッジの挿入方向に対して平行な側面に設けられているディスクカートリッジにのみ対応したディスクドライブ装置であっても、本実施の形態のディスクカートリッジに収納されているディスクに対して信号を記録／再生することができる。
【０２９７】
また、図９６および９７に示すように、シャッタ２１および２２を開放するために第２の開閉操作部９４を操作する方向（９４Ｂ）とディスクカートリッジの挿入方向（１Ａ）とは、逆向きであり、かつ平行である。このため、第２の開閉操作部９４に係合する突起等をディスクドライブ装置に設けておけば、本実施形態のディスクカートリッジをディスクドライブ装置に挿入する際、突起が第２の開閉操作部９４に係合し、ディスクカートリッジの挿入動作に連動してディスクカートリッジのシャッタ２１および２２を開放することができる。したがって、ディスクドライブ装置に設けるシャッタ開閉機構を簡便にすることができる。
【０２９８】
（第１８の実施形態）
以下に本発明の第１８の実施形態によるディスクカートリッジ３１８について図９８〜１０１を参照して説明する。本実施の形態のディスクカートリッジ３１８においても第１６の実施形態のディスクカートリッジ３１６と同じ構成要素には同じ参照符号を付している。
【０２９９】
図９８に示すように、本実施の形態のディスクカートリッジ３１８は、第１６の実施形態のディスクカートリッジ３１６の第２の開閉操作部９３に替えて、第２の開閉操作部９６を第２の側面１０ｑに備えている。
【０３００】
図９９に示すように、第２の開閉操作部９６は、シャッタ２１のディスク保持部２１ａに接続されたベルト部材である。ベルト部材の端部には突起９６ａが設けられており、突起９６ａは、カートリッジ下体１１の側面に設けられた開口１１ｒに沿ってスライドし得るようになっている。第２の開閉操作部９６はシャッタ２１と一体に形成してもよい。
【０３０１】
ディスクカートリッジ３１８のシャッタ２１および２２が閉塞している状態および開放している状態はそれぞれ図１００および１０１に示されている。第１の開閉操作部２２ｔを矢印２２ｗの方向またはその逆方向にスライドさせることにより、シャッタ２１および２２を開閉させることができるのは第１６および第１７の実施の形態で説明したとおりである。
【０３０２】
第２の開閉操作部９６を使って、シャッタ２１および２２の開閉動作を行うために、まず、図１００に示すように、ロック機構２０ｋの係合状態を解除する。次に、第２の開閉操作部９６の突起９６ａを矢印９６Ｂで示す方向にスライドさせる。この動作によって、シャッタ２１の先端部分が回動孔２１ｕを中心として矢印９６Ｃの方向に引っ張られるようシャッタ２１に力が働く。シャッタ２１の動きは連動機構２０ｃを介してシャッタ２２に伝わるので、シャッタ２１および２２が協同して、ヘッド開口部１１ｈおよびチャッキング開口部１１ｃを開放する。シャッタ２１および２２を閉じる場合は、逆の動作を行う。
【０３０３】
実施形態のディスクカートリッジも第１６の実施形態のディスクカートリッジと同様、シャッタの開閉操作部がディスクカートリッジの挿入方向に対して垂直な側面に設けられているディスクカートリッジにのみ対応したディスクドライブ装置であっても、シャッタの開閉操作部がディスクカートリッジの挿入方向に対して平行な側面に設けられているディスクカートリッジにのみ対応したディスクドライブ装置であっても、本実施の形態のディスクカートリッジに対して信号を記録／再生することができる。
【０３０４】
また、シャッタ２１と第２の開閉操作部９６とを一体に形成すれば、ディスクカートリッジを構成する部品の数を減らすことができる。これによって、ディスクカートリッジの製造コストを削減したり、製造工程を簡略にしたりすることができる。
【０３０５】
上記第１６から第１８の実施形態において、第２の開閉操作部は、ディスクカートリッジの挿入方向に対して左側の側面に設けられていた。しかし、第２の開閉操作部の形成場所は上記実施の形態で示した側面に限定されるものではない。例えば、ディスクの挿入方向に対して右側の側面（図８８に示す１０ｒ）に設けてもよい。あるいは、第２の開閉操作部をディスクカートリッジの裏面（図８８に示す１０ｔ）に設けてもよい。この場合には、例えば第１８の実施の形態で説明したベルト状の第２の開閉操作部９６であれば、大きな変更を加えることなくディスクカートリッジの裏面に第２の開閉操作部を設けることができる。
【０３０６】
（第１９の実施形態）
以下に本発明の第１９の実施形態によるディスクカートリッジ３１９について図１０２および１０３を参照して説明する。本実施の形態のディスクカートリッジ３１９において、第１３の実施形態のディスクカートリッジ３１３と同じ構成要素には同じ参照符号を付している。
【０３０７】
本実施形態のディスクカートリッジ３１９に特徴的なところは、ディスク保持部２１ｂ、２２ａおよび２２ｂに回転防止部材９７がそれぞれ設けられている点にある。また、不織布をシャッタ２１および２２に超音波溶着するための凹部８９が設けられている点にある。
【０３０８】
具体的には、ディスク保持部２１ｂ、２２ａおよび２２ｂに孔２１ｑ、２２ｒおよび２２ｑを設け、それぞれの孔２１ｑ、２２ｑおよび２２ｒに回転防止部材９７が埋め込まれている。図１０３に示すように、回転防止部材９７は、ディスク保持部２１ｂ（２２ａ、２２ｂ）において、それぞれの斜面２１ｂ'（２２ａ'、２２ｂ'）からその一部が突出しており、ディスク１００がディスク保持部２１ａ、２１ｂ、２２ａ、２２ｂによって保持されるときには、回転防止部材９７はディスク１００の外周と当接する。回転防止部材９７は弾性を有し、摩擦係数の大きい材料から形成されていることが好ましく、例えば、ゴムからなる回転防止部材９７を用いることが好ましい。
【０３０９】
また、回転防止部材９７は、ディスク保持部２１ａ、２１ｂ、２２ａ、２２ｂのうちの少なくとも１つに設けられておれば回転防止の効果を発揮する。しかし、より確実にディスク１００の回転を防ぐためには、図示したように３つの回転防止部材９７を設けることが好ましい。
【０３１０】
この構造によれば、ディスク１００がディスク保持部２１ａ、２１ｂ、２２ａ、２２ｂに保持されているとき、操作者が故意にディスク１００を回転させようとしても、ディスク１００に当接した回転防止部材９７の働きによって少しの力ではディスク１００回転させることはできない。したがって、操作者が、例えば、故意にディスク１００をシャッタ２１、２２に押し付けながらディスク１００を回転させようとしても、ディスク１００が回転してしまうことを防ぐ。これによって、シャッタ２１、２２に設けられた不織布に硬い埃が挟まっている場合に、上述した操作者の動作により、ディスクに傷がついてしまうことを防止できる。
【０３１１】
また、回転防止部材９７を設けることによって、ディスク保持部内においてディスク１００がガタつくことも防止できる。
【０３１２】
図１０２に示すように、シャッタ２１および２２は、ディスク１０の信号記録面との接触面に不織布を超音波溶着するための凹部８９を備えている。凹部８９は、図１０２では、シャッタ２１および２２の信号記録面と接触する部分の外周を囲むように設けられている。また、その外周を囲む凹部８９の内側の領域にも設けられている。凹部８９の形成領域は図１０２に示される形状に限定されるものではなく、シャッタ２１および２２に不織布を確実に貼付できるものであればよい。この凹部８９において不織布とシャッタ２１および２２は超音波溶着される。凹部８９を設けることによって超音波溶着による不織布の硬化部あるいはシャッタ２１および２２を構成している樹脂材料の不織布からの突出部が発生した場合でも、硬化部あるいは突出部が凹部８９内に収まって、ディスクに接触することを避けることができる。これによりディスクへの傷付きを防止できる。この凹部８９は、上記第１から１８の実施形態においても不織布を設ける場合にはシャッタに形成することが好ましい。
【０３１３】
（第２０の実施形態）
以下に、本発明によるディスクカートリッジの第２０の実施形態を説明する。
【０３１４】
まず、図１０４を参照して、ディスクカートリッジ３２０の構造の概略を説明する。ディスクカートリッジ３２０は、カートリッジ下体１１、カートリッジ上体１２、第１のシャッタ２１、第２のシャッタ２２、脱落防止部材２３、シールド部材２４および回転部材２５を備えている。これらの部材は合成樹脂等によって好適に形成される。また、これらの部材は、同じ材料を用いて形成される必要はなく、各部材に要求される強度や外観等を考慮して、各部材に最適な材料が決定される。
【０３１５】
カートリッジ下体１１は、図１０４に示すように内側下面１１ｕを有している。内側下面１１ｕには、外部からディスク１００を回転させるためのスピンドルモータ等のチャッキング部材が侵入できるよう開口したチャッキング開口部１１ｃと、信号（情報）の記録および／または再生を行うヘッドが侵入し、ディスク１００にアクセスできるよう開口したヘッド開口部１１ｈとが設けられている。ヘッド開口部１１ｈとチャッキング開口部１１ｃは連通している。ヘッド開口部１１ｈは、カートリッジ下体１１の側面に達するように設けられており、ヘッド開口部１１ｈの設けられた側面に隣接する側面には開口１１ｒが設けられている。
【０３１６】
以下で詳述するように、内側下面１１ｕには、回転部材２５に設けられた凸部２５ｅおよび２５ｆの先端を受ける溝１１ｅおよび１１ｆが設けられている。溝１１ｅおよび１１ｆは、内側下面１１ｕを貫通していないことが好ましい。また、第１のシャッタ２１および第２のシャッタ１１にそれぞれ設けられた回転軸３７および３８を受ける回動孔３９が内側下面１１ｕに設けられている。回動孔３９も内側下面１１ｕを貫通していないことが好ましい。また、本実施形態では、第１のシャッタ２１および第２のシャッタ２２に回転軸３７および３８を設け、カートリッジ下体に回動孔３９を設けているが、第１のシャッタ２１および第２のシャッタ２２に回動孔を設け、カートリッジ下体１１に回転軸を設けてもよい。
【０３１７】
カートリッジ上体１２は、ディスク１００の全投影領域を開口する円形のディスク開口部１２ｗを有しており、ディスク開口部１２ｗは、円筒状の側面１２ｉによって規定される。このディスク開口部１２ｗを通してディスク１００をカートリッジにセットすることができる。側面１２ｉの一部には切り欠き１２ｇが設けられている。
【０３１８】
カートリッジ上体１２の上面１２ｄには切り欠き１２ｊが設けられている。この切り欠き１２ｊは、脱落防止部材２３と係合する。図には示されていないが、脱落防止部材２３がカートリッジ上体１２から容易に外れないように、脱落防止部材２３およびカートリッジ上面１２ｄには、互いに嵌合する凸部および凹部のような嵌合部が設けられている。脱落防止部材２３をカートリッジ上体１２に装着した場合、脱落防止部材２３の一部はディスク開口部１２ｗへ張り出している。なお、本実施形態では、カートリッジ本体をできるだけ薄くするために、カートリッジ上面１２ｄの一部を完全に除去する切り欠き１２ｊを設けている。しかし、本実施形態のディスクカートリッジよりも多少厚くなってもよい場合には、カートリッジ上面１２ｄに凹部を形成するような切り欠きを設け、その切り欠きに対応する脱落防止部材を配置してもよい。例えば、第８の実施形態のディスクカートリッジ３０８が備えている切り欠きおよび脱落防止部材２３を、本実施形態のディスクカートリッジにおいて採用してもよい。
【０３１９】
また、カートリッジ上体１２の上面１２ｄには、上面１２ｄと一体に形成され、開口部１２ｗへ張り出している脱落防止部材１２ｓが形成されている。脱落防止部材１２ｓおよび２３は、ディスク開口部１２ｗからディスク１００が脱落することを防止する。特に、ディスクカートリッジをドライブ装置に垂直に挿入して使用する場合において脱落防止の効果を発揮する。ディスクをディスクカートリッジから取り出す場合、脱落防止部材２３とカートリッジ上体１２との嵌合を解き、脱落防止部材２３をカートリッジ上体１２から取り外し、たとえば、切り欠き１２ｊ近傍からディスク１００を持ち上げる。脱落防止部材の数は３個以上であってもよい。また、他の形状を有する脱落防止部材を設けてもよいし、脱落防止部材を設ける場所も図１０４に示される以外の場所であってもよい。
【０３２０】
カートリッジ上体１２とカートリッジ下体１１とは外縁部で接着もしくは溶着され、あるいは、ねじなどの接続部材を用いて接合されることにより、カートリッジ本体を構成している。また、カートリッジ下体１１の内側下面１１ｕとカートリッジ上体１２の側面１２ｉとは、ディスク１００を収納するディスク収納部を構成している。
【０３２１】
ディスク収納部において、側面１２ｉが規定する空間は、ディスク１００が回転しても接触しない程度にディスク１００よりも大きく、ディスク１００は収納部内で回転することが可能である。ディスク収納部の上部はディスク開口部１２ｗとして開放されており、ディスク収納部にセットされたディスク１００の第１の面１００Ａの全面が、ディスク開口部１２ｗから外部に露出される。一方、ディスク１００の情報記録面である第２の面１００Ａは、内側下面１１ｕに面している。
【０３２２】
このような構造を採用することにより、ディスクの両面を覆う従来のカートリッジを形成する場合に較べて、カートリッジ３２０を薄くすることができる。また、ディスク開口部１２ｗからディスクのレーベル面を露出させることができるため、レーベル面（第１の面）１００Ｂに書かれたディスクのコンテンツ等を確認することが容易となる。また、レーベル面の意匠を露出させることによって、ディスクが収納されたディスクカートリッジ全体の意匠も優れたものとなる。
【０３２３】
第１のシャッタ２１および第２のシャッタ２２は、カートリッジ下体１１の内側下面１１ｕ上に設けられ、ディスク１００がディスクカートリッジ３２０に収納されているときには、ディスク１００の信号記録面（第２の面）１００Ａと内側下面１１ｕとの間に位置している。第１のシャッタ２１および第２のシャッタ２２は、回転軸３７および３８をそれぞれ有しており、回転軸３７および３８は、カートリッジ下体１１の回動孔３９に挿入されている。このため、第１のシャッタ２１および第２のシャッタ２２は、回転軸３７および３８を回転軸として回転し、ヘッド開口部１１ｈおよびチャッキング開口部１１ｃを外部に対して開放または閉塞する。第１のシャッタ２１および第２のシャッタ２２が開放状態にあるとき、ディスク１００の第２の面１００Ａの一部はヘッド開口部１００ｈから外部に露出する。
【０３２４】
第１のシャッタ２１および第２のシャッタ２２が閉塞状態にあるとき、ディスク収納部に収納されたディスク１００のセンタホール１００ｈと重なる領域において、孔２０ｈが形成されるように第１のシャッタ２１および第２のシャッタ２２には切り欠きが設けられている。第１のシャッタ２１および第２のシャッタ２２の切り欠きの周縁には、凸部２１ｗおよび２２ｗが形成されている。第１のシャッタ２１および第２のシャッタ２２が閉塞状態にあるとき、凸部２１ｗおよび２２ｗは密接し、ディスク１００のセンタホール１００ｈ近傍の全周に接触する凸部２０ｗを構成する。第１２の実施形態で詳述したとおり、凸部２０ｗはセンタホール１００ｈからディスク１００の信号記録面１００Ａ側へ埃が侵入するのを防ぐ。凸部２１ｗおよび２２ｗには突起３５および３６が形成されている。突起３５および３６の上面は、凸部２１ｗおよび２２ｗの上面よりも高くなっている。
【０３２５】
また、第１のシャッタ２１および第２のシャッタ２２が閉塞状態にあるときにディスク収納部内でディスク１００を保持するために、第１のシャッタ２１はディスク保持部２１ｂを有し、第２のシャッタ２２はディスク保持部２２ａおよび２２ｂを有している。これらのディスク保持部は第８から第１９の実施形態で説明したディスク保持部と同様の働きをする。第８から第１９の実施形態では第１のシャッタ２１にはディスク保持部２１ａも設けられていたが、本実施形態では第１のシャッタ２１は、ディスク保持部２１ａに代えて、凸部２７ａが設けられている。凸部２７ａは、第１のシャッタ２１および第２のシャッタ２２が閉塞状態にあるとき、カートリッジ下体１１の側面に達したチャッキング開口部１１ｈからディスク１００の側面が露出するのを防ぐ。
【０３２６】
第１のシャッタ２１および第２のシャッタ２２は、一直線上において当接するのではなく、直線上にない複数の接合面を有する。具体的には、接合面２１ｆおよび２２ｆはおおよそディスクカートリッジ３２０の対称中心線上に位置しているが、接合面２１ｇおよび２２ｇは対称中心線から所定の角度、ここでは約１５から１８度だけずれた直線上で当接している。このような構造による効果は第１３の実施形態において詳述したとおりである。また、第１３の実施形態において説明したように、接合面２１ｇおよび２２ｇはディスク１００の厚み方向において重畳している。
【０３２７】
以下で詳述するように、第１のシャッタ２１および第２のシャッタ２２は、回転部材２５の凸部２５ｅおよび２５ｆに係合する案内溝２７ｅおよび２８ｆを有している。回転部材２５の凸部２５ｅおよび２５ｆが突き抜けるよう、案内溝２７ｅおよび２８ｆは第１のシャッタ２１および第２のシャッタ２２を貫通している。
【０３２８】
回転部材２５は、側壁２５ｉと側壁２５ｉの底部に設けられたディスク受け部２５ａとを含む。側壁２５ｉは、収納されたディスク１００の側面を取り囲むようなサイズと形状を備えた円筒状を有し、切り欠き２５ｄ、２５ｇおよび２５ｈによって分断されている。ディスク受け部２５ａは、平らなリング形状を有しており、その一部に切り欠き２５ｃが設けられている。第１のシャッタ２１および第２のシャッタ２２が開放状態にあるとき、回転部材２５が回転して、切り欠き２５ｃが、ヘッド開口部１１ｈと重なる。切り欠き２５ｄの近傍にはシールド部材２４を可動させるための突起２５ｍが設けられている。
【０３２９】
ディスク受け部２５ａの下面には、ディスク下体１１側へ突出した凸部２５ｅおよび２５ｆが設けられている。また、側壁２５ｉの外側にはディスクドライブ装置のシャッタ開閉機構と係合する操作部２５ｊが設けられている。歯車を備えたシャッタ開閉機構と係合するために、操作部２５ｊの代わりに歯車を側壁２５ｉの外側に設けてもよい。
【０３３０】
シールド部材２４はカートリッジ上体１２の側壁１２ｉの切り欠き１２ｇ部分に配置される。シールド部材の構造および動作は以下において詳述する。
【０３３１】
各構成部材は、図１０４に示すような上下関係を維持して組み立てられる。その結果、第１のシャッタ２１および第２のシャッタ２２がカートリッジ下体１１に配置され、これらの上に回転部材２５が位置するように、カートリッジ下体１１とカートリッジ上体１２が接合される。
【０３３２】
図１０５は、カートリッジ上体１２を取り除いたディスクカートリッジ３２０の平面図を示しており、図１０６は、図１０５のＦ−Ｆ線における断面を示している。第１のシャッタ２１および第２のシャッタ２２は閉塞状態にある。
【０３３３】
図１０５に示すように、回転部材２５の切り欠き２５ｄの位置で第２のシャッタ２２のディスク保持部２２ａが、ディスク１００を保持している。また、回転部材２５の切り欠き２５ｇおよび２５ｈの位置において、第１のシャッタ２１のディスク保持部２１ｂおよび第２のシャッタ２２のディスク保持部２２ｂがそれぞれディスク１００を保持している。
【０３３４】
回転部材２５の操作部２５ｊはカートリッジ下体１１に設けられた開口１１ｒ内に位置している。また、第１のシャッタ２１および第２のシャッタ２２に設けられた突起３５および３６は、ディスク１００のセンタホール１００ｈ内に突出している。回転部材２５の回転中心はディスク１００の中心と実質的に一致しており、回転軸の中心として回転できるようにディスク収納部内に配置される。
【０３３５】
また、第１のシャッタ２１および第２のシャッタ２２の回転軸３７および３８は、回転部材２５のディスク受け部２５ａの下に位置している。図１０６に示すように、回転部材２５の側壁２５ｉの上面とカートリッジ上体１２の上面１２ｄとの間には空隙がほとんどないため、回転部材２５の上下方向への移動が規制されている。このため、第１のシャッタ２１および第２のシャッタ２２が回転したときに回転軸３７および３８がカートリッジ下体１１に設けられた回動孔３９から浮き上がって外れてしまうのを回転部材２５が有効に防ぐことができる。
【０３３６】
図１０６に示すように、回転部材２５のディスク受け部２５ａの上面２５ｋには傾斜がつけられているため、ディスク１００は、ディスク受け部２５の上面２５Ｋの側壁２５ｉ近傍とのみ接する。このような構造にすることによって、回転部材２５の強度を確保するためにディスク受け部２５ａのリングの幅を大きくしても、上面２５Ｋは、ディスク１００の信号記録面の外周近傍だけと接することとなり、信号記録領域とディスク受け部２５ａとが接触することを防ぐことができる。なお、ディスク受け部２５のディスク１００と接している部分における上面の位置は、第１のシャッタ２１および第２のシャッタ２２の凸部２１ｗおよび２２ｗの上面の位置と一致している。
【０３３７】
次に、第１のシャッタ２１および第２のシャッタ２２のディスク保持動作および開閉動作について説明する。図１０７は、第１のシャッタ２１および第２のシャッタ２２が閉塞している状態における、第１のシャッタ２１、第２のシャッタ２２および回転部材２５の配置を示す平面図であり、図１０８は、図１０７のＧ−Ｇ線における断面を示している。また、図１０９は、第１のシャッタ２１および第２のシャッタ２２が開放している状態における、第１のシャッタ２１、第２のシャッタ２２および回転部材２５の配置を示す平面図であり、図１１０は、図１０７のＨ−Ｈ線における断面を示している。図１０７および図１０９において、ディスク１００は二点鎖線で示されている。
【０３３８】
第１のシャッタ２１および第２のシャッタ２２が閉塞している時、図１０７に示すように、ディスク保持部２１ｂ、２２ａおよび２２ｂが回転部材２５の側壁２５ｉに設けられたきり欠き２５ｇ、２５ｈおよび２５ｄからそれぞれディスク１００の中心へ向かって突出し、ディスク１００を保持している。図１０８に示すように、ディスク保持部２２ａおよび２２ｂには逆テーパ状斜面２２ａ'および２２ｂ'が設けられており、斜面がディスク１００の第１の面１００Ｂの稜と接するため、ディスク保持部２２ａおよび２２ｂは、ディスク１００をディスク１００の中心へ向かう方向に押し付けるとともに、ディスク１００を第１のシャッタ２１および第２のシャッタ２２の方向へも押し付ける。図示しないディスク保持部２１ｂも同じ状態にある。このため、ディスク１００の信号記録面１００Ａの外周近傍がディスク受け部２５ａと接する。また、第１２の実施形態で説明したように、第１のシャッタ２１および第２のシャッタ２２の凸部２１ｗおよび２２ｗがディスク１００の信号記録面１００Ｂのセンタホール１００ｈ近傍と接触する（不図示）。回転部材のディスク受け部２５ａと第１のシャッタ２１および第２のシャッタ２２の凸部２１ｗおよび２２ｗとによって、ディスク１００の信号記録面１００Ａの信号記録領域は外部から遮断され、信号記録領域に埃や塵が付着することが防止でき、また、信号記録領域に傷が付くことを防止することができる。
【０３３９】
また、第１のシャッタ２１および第２のシャッタ２２に設けられた孔２０ｈは、おおよそディスク１００のセンタホール１００ｈとほぼ等しい大きさである。このため、第１のシャッタ２１および第２のシャッタ２２が閉塞してディスクカートリッジ３２０を裏向きの状態で放置しても、ディスク１００の信号記録面１００Ａのどの部分も第１のシャッタ２１および第２のシャッタ２２から露出しない。このため、ディスク１００の信号記録面１００Ａに埃や塵が堆積することを防ぐことができる。
【０３４０】
第１のシャッタ２１および第２のシャッタ２２を開放させるには、ディスクドライブ装置のシャッタ開閉機構と操作部２５ｊを係合させ、操作部２５ｊを矢印２５Ａで示す方向に移動させる。この操作により、回転部材２５がディスク収納部内で回転し始め、同時に、突起２５ｅおよび２５ｆもディスク１００の中心を回転軸として回転し始める。突起２５ｅおよび２５ｆは案内溝２７ｅおよび２８ｆに係合されているので、突起２５ｅおよび２５ｆの回転に伴って、突起２５ｅおよび２５ｆは案内溝２７ｅおよび２８ｆの側壁を押しながら、案内溝２７ｅおよび２８ｆ中をそれぞれ矢印２７Ｅおよび２８Ｆの方向に進んでゆく。突起２５ｅおよび２５ｆに案内溝２７ｅおよび２８ｆの側壁が押されることによって、第１のシャッタ２１および第２のシャッタ２２は、回転軸３７および３８を中心として、それぞれ矢印２１Ａおよび２２Ａの方向に動き始める。
【０３４１】
また、ディスク保持部２１ｂも回転軸３７を中心として矢印２１Ａの方向へ移動し始める。ディスク保持部２２ａおよび２２ｂは矢印２２Ａの方向へ移動する。したがって、ディスク保持部２１ｂ、２２ａおよび２２ｂはディスク１００から離れ、ディスク１００を解放する。
【０３４２】
第１のシャッタ２１および第２のシャッタ２２の開放動作にともなって、第１のシャッタ２１および第２のシャッタ２２に設けられた突起３５および３６も矢印２１Ａおよび２２Ｂの方向へ移動する。この時ディスク１００は移動しないので、突起３５および３６は信号記録面１００Ａの１００ｅで示される非信号記録領域と接触する。突起３５および３６は凸部２１ｗおよび２２ｗよりも突出しているので、信号記録面１００Ａと突起３５および３６が接触することによって、凸部２１ｗおよび２２ｗは信号記録面１００Ａから非接触の状態となる。これによって、凸部２１ｗおよび２２ｗが信号記録面１００Ａ、特に信号記録領域に接触することを防ぐことができる。
【０３４３】
図１０９に示すように、回転部材２５の回転が進むと、凸部２５ｅおよび２５ｆは案内溝２７ｅおよび２８ｆの端部に達する。この時、第１のシャッタ２１および第２のシャッタ２２はヘッド開口部１１ｈおよびチャッキング開口部１１ｃを完全に開放し、第１のシャッタ２１および第２のシャッタ２２が開放状態となる。
【０３４４】
この時、回転部材２５のディスク受け部２５ａに設けられた切り欠き２５ｃは、ヘッド開口部１１ｈと重なっており、ヘッド開口部１１ｈにはディスク受け部２５ａが突出していない。このため、第１のシャッタ２１および第２のシャッタ２２が完全に開放した状態では、ディスクドライブ装置のヘッドがディスク１００に十分に近接することができ、ヘッドのディスク１００へのアクセスが妨げられることがない。
【０３４５】
また、図１０９および図１１０に示すように、第１のシャッタ２１および第２のシャッタ２２が開放状態になっても、第１のシャッタ２１および第２のシャッタ２２の突起３５および３６は、信号記録面１００Ａの非信号記録領域１００ｅ内でディスク１００と接触している。このため、突起３５および３６が信号記録領域に接して、傷をつけることを防ぐことができる。
【０３４６】
第１のシャッタ２１および第２のシャッタ２２を閉塞するときには、上記動作と逆の動作を行う。第１のシャッタ２１および第２のシャッタ２２の閉塞動作が進むにつれて、ディスク保持部２１ｂ、２２ａおよび２２ｂがディスク１００に近接してきて、ディスク１００を保持する動作は、第８から第１３の実施形態においてすでに詳述しているので、説明を省略する。
【０３４７】
続いてシールド部材２４の構造および動作を説明する。図１１１に示すように、シールド部材２４は、側壁部２４ｄと側壁部２４ｄに設けられた一対の回転軸２４ｂとを有する。側壁部２４ｄの先端には、第１の当接部２４ａが設けられている。第１の当接部２４ａはディスク１００の外側面に当接する必要があるので、第１の当接部２４ａは、ディスク１００の外側面と同じ曲率半径を有する曲面で構成されている。また、側壁部２４ｄの裏面は第２の当接部２４ｆになっている。各回転軸２４ｂの近傍には腕部２４ｃが設けられ、その先端に第３の当接部２４ｅを有している。
【０３４８】
図１１２に示すように、シールド部材２４は、カートリッジ上体１２の上面１２ｄと回転部材２５の側壁２５ｉとの間に回転軸２４ｂが位置するよう保持され、矢印２４Ａに示すように、回転軸２４ｂを軸として揺動し得る。一対の回転軸２４ｂの中心を結ぶ直線はディスク１００の接線に対して平行であり、かつ、ディスクの第１の面１００Ｂより上方に位置している。
【０３４９】
図１１３および図１１４は、第１のシャッタ２１および第２のシャッタ２２が閉塞した状態におけるシールド部材２４の端部および中央部での断面を示している。これらの図に示すように、回転部材２５に設けられた凸部２５ｍがシールド部材２４の第２の当接部２４ｆと当接し、第１の当接部２４ａがディスク１００の外側面と当接するように側壁部２４ｄをディスク１００の中心方向へ押しつける。このため、ディスク受け部２５ａの切り欠き２５ｃ（図１０４）から埃や塵がディスク１００の信号記録面１００Ａへ回り込むのを防ぐ。このようにして、ディスク受け部２５ａおよびシールド部材２４がディスク１００の外周に連続して接触し、信号記録面１００Ａへ埃や塵が回り込むのを完全に防ぐ。
【０３５０】
第１のシャッタ２１および第２のシャッタ２２を開放するために、回転部材２５を回転させると、回転部材２５の凸部２５ｍがシールド部材２４から離れていくため、シールド部材２４はディスク１００側へ付勢されなくなる。
【０３５１】
第１のシャッタ２１および第２のシャッタ２２の開放が進み、回転部材２５がさらに回転すると、回転部材２５の側壁２５ｉの外側面がシールド部材２４の第３の当接部２４ｅと接触し、側壁部２４ｄをディスク１００の外側方向へ付勢する。図１１５および図１１６はこの状態を示すシールド部材２４の端部および中央部での断面を示している。図１１５に良く示されているように、ディスク１００の外側面は、シールド部材２４の第１の当接部２４ａから離れている。これによって、ディスク１００はディスク収納部内で回転可能な状態になる。
【０３５２】
このように、シールド部材２４は、回転部材２５と連動して揺動することによって、ディスク１００の外側面と当接する状態およびディスク１００が回転可能なようにディスク１００の外側面から離間する状態をとることができる。
【０３５３】
上述したように、本実施形態によれば、ディスクのレーベル面１００Ｂをディスクカートリッジから露出させ、ディスクカートリッジ全体の意匠を優れたものにするとともに、ディスクカートリッジを薄くすることができる。
【０３５４】
また、回転部材２５を回転させることによって、第１のシャッタ２１および第２のシャッタ２２を開閉することが可能となり、シャッタの閉塞時には、ディスク保持部２１ｂ、２２ａおよび２２ｂによってディスク１００を確実に保持することができる。
【０３５５】
さらに、回転部材２５に設けたディスク保持部２５ａ、第１のシャッタ２１および第２のシャッタ２２に設けた凸部２１をよび２２ｗ、ならびに回転部材２５と連動するシールド部材２４によって、ディスク１００が保持された状態では、ディスク１００のレーベル面１００Ｂが露出しているにもかかわらず、ディスク１００の信号記録面１００Ａに埃や塵が付着したり、信号記録面１００Ａに傷がついたりすることを確実に防止することができる。
【０３５６】
なお、本実施形態では、回転部材２５を回転させるための操作部２５ｊをヘッド開口部が設けられた側面に隣接する側面において操作するよう開口１１ｒを設けていたが、ディスクカートリッジの他の側面において、操作部を操作するようにしてもよい。あるいは、操作部を複数設けてもよい。例えば、本実施形態の操作部２５ｊを第１の操作部とし、ヘッド開口部１１ｈ内に第２の操作部が位置するよう、回転部材２５の側壁２５ｉに第２の操作部となる突起等を設けてもよい。あるいは、図１０５に示すように、第２のシャッタ２２のディスク保持部２２ａ近傍に第２の操作部となる突起等を設け、第２のシャッタ２２を直接操作するようにしてもよい。この場合には、第２のシャッタ２２の移動に伴って、回転部材２５が回転し、回転部材２５に連動して第１のシャッタ２１が移動する。
【０３５７】
また、本実施形態では、シールド部材２４を用いて、ディスク受け部２５ａに形成された切り欠き部分２５ｃから埃等がディスク１００の信号記録面１００Ａに侵入することを防いでいた。しかし、シールド部材２４を用いず、他の構造を採用することによって、切り欠き部分２５ｃから侵入し得る埃を防止してもよい。例えば、図１１７に模式的に示すように、ディスクカートリッジ上体１２の側壁１２ｉに設けられた切り欠き１２ｇの部分に側壁１２ｉを連続して設け、切り欠き１２ｇを塞いでしまう。そして、切り欠き１２ｇとディスク１００の中心に関して対称となる位置にディスク保持部２２ｂを第２のシャッタ２２（図示せず）を設ける。ディスク保持部２２ｂは、第１３の実施形態のディスク保持部のようにディスクの中心へ向かって可動であり、かつディスク中心へ向かって付勢されているものを用いる。第１９の実施形態のディスク保持部のように、ディスク保持部のディスクが接触する部分に弾性材料を設け、弾性によって、ディスク１００をディスク１００の中心方向へ付勢するものであってもよい。
【０３５８】
図１１８に示すように、このようなディス保持部２２ｂを用いると、ディスク保持部２２ｂがディスク１００と接触し、保持することによって、カートリッジ上体の側壁１２ｉの切り欠き２５ｃが設けられた領域にディスク１００の外側面が押し付けられる。ディスク収納部とディスク１００の大きさはほとんど変わらないため、側壁１２ｉの曲率半径と、ディスク１００の外側面の曲率半径もおおよそ一致する。その結果、ディスク１００の外側面はカートリッジ上体１２の側壁１２ｉと密着し、ディスク受け部２５ａと協同してディスク１００の信号記録面へ埃が侵入することを防止することができる。
【０３５９】
このような構造によれば、シールド部材２４が不要となるので、ディスクカートリッジの構造を簡単にすることができる。
【０３６０】
（第２１の実施形態）
以下に、本発明によるディスクカートリッジの第２１の実施形態を説明する。
【０３６１】
図１１９は、ディスクカートリッジ３２１を分解した状態の斜視図である。ディスクカートリッジ３２１は、脱落防止部材５５の形状が異なる点およびカートリッジ下体１１に取出し履歴ホール１１ｎが設けられている点で、図１０４に示すディスクカートリッジ３２０（第２０の実施形態）と異なっている。したがって、脱落防止部材５５および取出し履歴ホール１１ｎを以下に詳しく説明する。
【０３６２】
図１１９に示すように、脱落防止部材５５は、カートリッジ上体１２およびカートリッジ下体１１からなるカートリッジ本体のヘッド開口部１１ｈが設けられた側面と対向する側面に近接し設けられている。脱落防止部材５５の長手方向の一端近傍には回転軸５５ａが設けられており、長手方向の他端には、突起５５ｅを有する係止部５５ｄが設けられている。
【０３６３】
カートリッジ上体１２には、脱落防止部材５５の回転軸５５ａを受ける回動孔１２ｍ、係止部５５ｄが挿入される開口１２ｐ、および係止部５５ｄの突起５５ｅを受ける孔１２ｎが設けられている。また、脱落防止部材５５がカートリッジ上体１２に取り付けられたとき、脱落防止部材５５の上面がカートリッジ上体１２ｎ上面１２ｄと同じ高さとなるように、回動孔１２ｍおよび開口１２ｐを含む領域に凹部１２ｋを設けている。脱落防止部材５５が開口１２ｗへ張り出し、ディスク１００の上方へ突出した状態にある時、係止部５５ｄの突起５５ｅは孔１２ｎに挿入され、脱落防止部材５５が固定される。
【０３６４】
カートリッジ下体１１には、取出し履歴ホール１１ｎが設けられている。図１２０は、取出し履歴ホール１１ｎ近傍の構造を拡大して示している。取出し履歴ホール１１ｎには、蓋材５６が設けられており、取出し履歴ホール１１ｎの開口の一部を蓋材５６が覆うように、接続部５６ａが蓋材５６と取出し履歴ホール１１ｎの側面とを接続している。蓋材５６は柱状（ピン状）に形成されており、その先端には、突起５６ｂが設けられている。
【０３６５】
取出し履歴ホール１１ｎの中心は、カートリッジ上体１２の回動孔１２ｍの中心および脱落防止部材５５の回転軸５５ａの中心と一致している。以下で詳述するように、蓋材５６と脱落防止部材５５とは係合しており、脱落防止部材５５を回転軸５５ａの周りに回転させると、蓋材５６を軸５６Ｃの周りに回転させる力が働く。その結果、接続部５６が破断され、蓋材５６がカートリッジ下体１１から脱離し、取出し履歴ホール１１ｎの開口が完全に露出する。
【０３６６】
ディスクカートリッジ３２１が作製されるとき、ディスク１００は、カートリッジ上体１２の側壁１２ｉで規定されるディスク収納部に収納される。その後、ディスク１００をディスクカートリッジ３２１から取り出そうとして、脱落防止部材５５を回転させると、蓋材５６が脱離し、取出し履歴ホール１１ｎの開口が露出する。いったん、蓋材５６が脱離した後は、脱落防止部材５５を操作して、ディスク１００を異なる種類のディスクと交換しても、取出し履歴ホール１１ｎの開口は露出したままである。つまり、取出し履歴ホール１１ｎが蓋材５６で塞がっているかぎり、ディスクカートリッジ３２１内のディスク１００は、ディスクカートリッジ３２１が作製された時に収納されたものであることを示す。また、取出し履歴ホール１１ｎが開いている場合には、ディスクカートリッジ３２１内のディスク１００は、ディスクカートリッジ３２１が作製された時に収納されたものとは異なっている可能性があることを示す。
【０３６７】
ディスクカートリッジ３２１を装着するディスクドライブはこの取出し履歴ホール１１ｎの開閉状態を検出して、検出結果を記録・再生動作の制御に用いる。例えば、所定の規格で記録・再生の可能なディスクを収納したディスクカートリッジ３２１が製造された場合を考える。ディスクドライブは、挿入されたディスクカートリッジ３２１の取り出し履歴ホールの状態を検出する。取出し履歴ホール１１ｎが閉じていると、ディスクドライブは、ディスクカートリッジが所定の規格で記録・再生が可能なディスクを収納していると判断する。そして、直ちにその規格で記録または再生の動作を行う。一方、取出し履歴ホール１１ｎが開いていると、ディスクドライブはディスクカートリッジに収められているディスクの種類が既知ではないと判断する。そして、ディスクドライブは、ディスクカートリッジ内のディスクがどのような種類のディスクであるかを決定するために、種々のテスト信号をディスクに照射してディスクの種類を確認する動作をまず行う。続いて、確認結果に基づいて、最適な条件でディスクへ信号を記録し、または、ディスクから信号を再生する。
【０３６８】
以下に、脱落防止部材５５の構造およびディスク１００を取り出して他のデスクと交換する操作を詳述する。
【０３６９】
図１２１は、脱落防止部材５５が、ディスク１００の上方に突出し、ディスク１００がカートリッジ上体１２の開口１２ｗからディスク１００が脱落するのを防いでいる状態を示している。この状態で、ディスクカートリッジ３２１は、保管されたり、ディスクドライブに挿入されたりする。図１２１に示すＪ−Ｊ線断面のうち、回転軸５５ａ近傍の構造を図１２２に示し、係止部５５ｄ近傍の構造を図１２３に示す。また、図１２１に示すＫ−Ｋ線断面の構造を図１２４に示す。
【０３７０】
図１２１に示すように、脱落防止部材５５は、カートリッジ上体１２からディスク開口部１２へ張り出した脱落防止部材１２ｓと対向する位置に設けられている。脱落防止部材５５は、脱落防止部材５５の長手方向に沿って伸び、アーチ状に窪んだ側面５５ｆを有している。
【０３７１】
図１２２に示すように、カートリッジ上体１２には円筒状のボス１２ｑが形成されており、ボス１２ｑの内側空間が回動孔１２ｍを規定している。脱落防止部材５５の回転軸５５ａは回動孔１２ｍに挿入される。回転軸５５ａが回動孔１２ｍから抜けないように、回転軸５５ａの先端には、突起５５ｃが設けられている。また、回転軸５５ａの内側には取出し履歴ホール１１ｎの開口と同じ程度の開口を断面とする内空間が設けられており、その中に蓋材５６が収納される。蓋材５６の突起５６ｂは、脱落防止部材５５に設けられた凹部５５ｂに嵌合している。脱落防止部材５５の回転軸５５ａの中心は、蓋材５６の回転軸５６Ｃと一致している。また、上述したように蓋材５６と取出し履歴ホール１１ｎの側面とは接続部５６ａで接続されている。接続部５６ａは、カートリッジ下体１１に比べて薄くなっている。
【０３７２】
図１２３に示すように、脱落防止部材５５の端部に設けられた係止部５５ｄは、カートリッジ上体１２の開口１２ｐに挿入され、カートリッジ上体１２の裏面に接している。係止部５５ｄの先端には突起５５ｅが設けられており、カートリッジ上体１２の孔１２ｎに係合している。突起５５ｅを矢印５５Ａの方向に押したとき、係止部５５ｄの一部が弾性変形するよう、領域５５ｆの厚さを小さくしている。また、脱落防止部材５５の係止部５５ｄおよびカートリッジ上体１２の開口１２ｐの側面には互いに係合する段差５５ｇおよび１２ｏが設けられ、脱落防止部材５５を回転させたときに、係止部５５近傍がカートリッジ上体１２から浮き上がるのを防ぐ。
【０３７３】
ディスク１００をディスクカートリッジ３２１から取り出す場合、図１２３および１２４に示すように、カートリッジ上体１２の孔１２ｎに係合している突起５５ｅを矢印５５Ａの方向に押しながら、脱落防止部材５５を図１２１に示す矢印５５Ｂの方向へ回転させる。すると、図１２４に示すように、係止部５５ｄの領域５５ｆが弾性変形し、突起５５ｅの先端がカートリッジ上体１２の裏面に設けられた斜面１２ｖに接触しながら、係止部５５ｄが移動する。カートリッジ上体１２の裏面に斜面１２ｖが設けられているため、係止部５５ｄは、斜面１２ｖにそって大きな付勢を与えなくても図１２４の破線で示す位置まで移動する。係止部５５ｄの領域５５ｆに生じた弾性変形が復元するよう、この位置において、突起５５ｅの先端は、孔１２ｎに係合していた時の突起５５ｅの先端と同じ高さになっている。
【０３７４】
この時、図１２２に示すように、脱落防止部材５５は回転軸５５ａの中心５５Ｃの周りを矢印５５Ｂの方向へ回転する。これに伴って、回転軸５６Ｃを中心として、蓋材５６を矢印５５Ｂの方向へ回転させようとする力が働き、接続部５６ａが破断して、蓋材５６が脱離する。
【０３７５】
図１２５は、脱落防止部材５５の移動が完了し、ディスク１００を取り出すことのできる位置へ脱落防止部材５５が移動した状態を示している。この時、図１２４に示すように、係止部５５ｄはカートリッジ上体１２の側面と接触する位置まで移動しているので、これ以上脱落防止部材５５を矢印５５Ｂの方向へ移動させることはできない。
【０３７６】
図１２５に示すように、脱落防止部材５５の一部はディスク開口部１２ｗ内に突出しているが、ディスク１００を脱落防止部材１２ｓの方へ移動させることによって、脱落防止部材５５がディスク１００の上方には突出しないようにすることができる。したがって、例えば、ディスク１００のセンタホール１００ｈに指を入れ、脱落防止部材５５近傍においてディスク１００をカートリッジ上体１２から浮かせて、ディスク１００をディスクカートリッジ３２１から取り出すことができる。
【０３７７】
図１２５に示すＪ−Ｊ線断面の回転軸５５ａ近傍と係止部５５ｄ近傍の構造をそれぞれ図１２６および１２７に示す。上述したように、脱落防止部材５５を回転させる過程において、蓋材５６が脱離する。このため、図１２６に示すように、脱落防止部材５５の移動が完了すると、取出し履歴ホール１１ｎは完全に開いた状態となる。また、図１２７に示すように、係止部５５ｄの突起５５ｅはカートリッジ上体１２に設けられた凹部１２ｒに係合するため、係止部５５ｄの領域５５ｆの弾性変形が復元する。
【０３７８】
ディスク１００を取り出し、他のディスク１００をディスクカートリッジ３２１に収納した後、脱落防止部材５５を矢印５５Ｂと反対の方向へ移動させる。脱落防止部材５５が図１２１に示す位置まで戻ると、係止部５５ｄの突起５５ｅがカートリッジ上体１２の孔１２ｎと係合し、脱落防止部材５５はカートリッジ上体１２に対して固定される。
【０３７９】
ディスク１００を再び交換する場合には、上述の操作と同じようにして脱落防止部材５５を操作すればよい。ただし、蓋材５６はすでに脱離しているため、脱落防止部材５５の回動に伴って蓋材５６が脱離する動作は行われない。
【０３８０】
本実施形態によれば、脱落防止部材５５の側面５５ｆがアーチ状に窪んでいる。このため、脱落防止部材５５を大きく回転させなくても、脱落防止部材５５がディスク１００の上方に突出しない状態をとることができ、脱落防止部材５５の回転角度が小さいので、脱落防止部材５５の係止部５５ｄが、カートリッジ上体１２と接触し、係合した状態を維持できる。このためディスク１００を取り出す際にも、脱落防止部材５５の両端をカートリッジ上体１２と接触させた状態を維持し、脱落防止部材５５の機械的な強度を保つことができる。したがって、ディスク１００を取り出す際に、ディスクカートリッジ３２１を誤って落下させたり、操作者が強い力で脱落防止部材５５を操作したりしても、脱落防止部材５５が破損するのを防止することができる。
【０３８１】
また、脱落防止部材５５を回転させることによって、同時に取出し履歴ホールが開放状態となる。このため、従来のように操作者が履歴ホールのツメを折る必要がなくなる。
【０３８２】
本実施形態では蓋材５６は柱状に成形されているが、取出し履歴ホール１１ｎの少なくとも一部を覆うようにカートリッジ下体１１に接続され、脱落防止部材５５の回転に連動して脱離するものであれば、蓋材５６は、他の形状を備えていても良い。例えば、取出し履歴ホール１１ｎの開口部に設けられたツメと、脱落防止部材５５とツメとの間に設けられ、脱落防止部材５５の回転に伴ってツメを押し破るような補助部材とからなる蓋材であってもよい。
【０３８３】
また、本実施形態では、脱落防止部材５５をディスク１００と平行に回転させて、ディスク１００の脱落を防止する状態とディスク１００を取り出す状態をとるようにしていたが、脱落防止部材５５を他の方向に移動させてもよい。
【０３８４】
図１２８および１２９は平行に移動する脱落防止部材５７を示している。脱落防止部材５７もその長手方向に沿った側面５７ｆがアーチ状に窪んでいる。図１２８は、ディスクを保持した状態を示しており、脱落防止部材５７の一部をディスク１００の上方に突出させている。ディスク１００を取り出す場合には、脱落防止部材５７を図１２９に示すように長手方向と垂直な矢印５７Ａの方向に移動させる。脱落防止部材５７の側面５７ａには、カートリッジ上体１２と係合する凸部や凹部などを設け、脱落防止部材５７がカートリッジ上体１２から外れにくくなっていることが好ましい。
【０３８５】
脱落防止部材５７の側面５７ｆもアーチ状に窪んでいるため、脱落防止部材５７を僅かに移動させるだけで、脱落防止部材５７がディスク１００の上方に突出しない状態をとることができる。このため、脱落防止部材５７の大部分をカートリッジ上体１２に接触させたまま、ディスク１００を取り出すことができ、ディスク交換時に脱落防止部材５７の機械的強度が弱くなることを防ぐことができる。
【０３８６】
図１３０および図１３１に示す脱落防止部材５８は、その長手方向の両端に設けられた回転軸５８ａを中心として回転する。この場合、脱落防止部材５８がカートリッジ上体１２に接触した図１３０に示す配置をとるよう、バネ等によって脱落防止部材５８を付勢しておくことが好ましい。脱落防止部材５８は、図１３１に示す位置まで回転し得る。しかし、脱落防止部材５８もその長手方向に沿った側面５８ｆがアーチ状に窪んでいるため、ディスク１００を取り出すためには、図１３０に示す状態から僅かに脱落防止部材５８を回転させるだけでよい。
【０３８７】
脱落防止部材５７および脱落防止部材５８をディスクカートリッジに設ける場合には、脱落防止部材５７のスライド動作および脱落防止部材５８の回転動作に連動して蓋材が脱離する機構を採用してもよい。あるいは、取り出しホールを覆う蓋材は脱落防止部材５７および脱落防止部材５８とは連動せず、操作者が蓋材を脱離させることにより、脱落防止部材５７のスライド動作および脱落防止部材５８の回転動作が可能となるような機構を設けてもよい。
【０３８８】
（第２２の実施形態）
以下に、本発明によるディスクカートリッジの第２２の実施形態を説明する。
【０３８９】
図１３２は、ディスクカートリッジ３２２の平面図を示しており、図１３３は図１３３に示すＬ−Ｌ線断面図を示している。ディスクカートリッジ３２２は、図１１７および図１１８を参照して説明したディスクカートリッジと同様、シールド部材を用いずにディスク受け部２５ａに設けられた切り欠き２５ｃから侵入しうる埃を防止する。図１３２において詳細には示していないが、ディスクカートリッジ３２２は、第２０および第２１の実施形態において説明した第１のシャッタ２１、第２のシャッタ２２、回転部材２５および脱落防止部材５５を備える。これらの部材は、第２０および第２１の実施形態において説明した構造を備えている。
【０３９０】
図１０４および図１１９に示す第２０および第２１の実施形態のディスクカートリッジにおいて、カートリッジ上体１２の側壁１２ｉには切り欠き１２ｇが設けられていた。この切り欠き１２ｇの位置は、第１のシャッタ２１および第２のシャッタ２２が閉塞した状態にあるとき、ディスク受け２５ａに設けられた切り欠き２５ｃが位置する領域に対応している。
【０３９１】
本実施形態のディスクカートリッジ３２２では、切り欠き１２ｇの部分にも連続して側壁１２ｉを設ける。また、図１３４に示すように、切り欠き１２ｇに対応する領域において、ディスク１００が接する部分に側壁１２ｉ'を設ける。
【０３９２】
側壁１２ｉは、ディスク開口部１２ｗを規定するため、ディスク１００より大きい曲率半径を有している。これに対して、側壁１２ｉ'は図１３５に示すように、ディスク１０
０と同じ曲率半径を有している。図１３２に示すように、側壁１２ｉが形成している円筒の中心はディスク収納部の中心である点Ｃ１に一致する。これに対し、側壁１２ｉ'の曲
面の中心は点Ｃ２に一致している。点Ｃ２は点Ｃ１からオフセットされている。なお、回転部材２５の側壁２５ｉは、ディスク収納部の中心である点Ｃ１を中心とする円筒形を有しており、点Ｃ１を中心として回転する。
【０３９３】
また、ディスク１００の中心が点Ｃ２に一致する位置において、ディスク保持部２２ｂはディスク１００を保持する。図１３２では、ディスク保持部２２ｂのみが示されているが、図示しないディスク保持部２１ｂ、２２ａも協同してディスク１００の中心が点Ｃ２に一致するようディスク１００を保持する。この位置において、ディスク１００の情報記録面（裏面）に接触することなくディスク受け２５ａがディスク１００を受けるために、ディスク受け２５ａの位置も点Ｃ１からオフセットされている。点Ｃ１と点Ｃ２との距離は、側壁１２ｉが形成している円筒の半径とディスク１００の半径とに依存する。ディスク１００の直径が５インチである場合、点Ｃ１と点Ｃ２との距離は、約０．５ｍｍから約１．５ｍｍの範囲にあることが好ましい。この範囲よりも距離が小さい場合、ディスクカートリッジ３２２をディスクドライブ装置に挿入してディスク１００を回転させるときにディスク１００の面ぶれ等により、ディスク１００が側壁１２ｉと接触する可能性がある。また、点Ｃ１と点Ｃ２との距離が約１．５ｍｍより大きい場合、ディスク１００とディスク収納部の側壁１２ｉとの隙間が大きくなり過ぎ、隙間に堆積する埃や塵が多くなる可能性があるので好ましくない。
【０３９４】
図１３６は、図１３２のＬ−Ｌ線断面のディスク保持部２２ｂ近傍を示している。第２０の実施形態で説明したように、ディスク受け部２５ａの上面１５Ｋには傾斜が設けられているため、ディスク１００はディスク受け部２５の上面１５ｋの側壁２５ｉ（図示せず）近傍とのみ接する。本実施形態の場合、側壁２５ｉの近傍ではディスク受け部２５ａの上面２５ｋはカートリッジ下体１１と平行になっており、第１のシャッタ２１および第２のシャッタ２２が閉塞した状態にあり、ディスク保持部２１ｂ、２２ａ、２２ｂ（図せず）がディスク１００を保持するとき、この部分において、ディスク１００とディスク受け部２５ａとは接する。ディスク受け部２５ａとディスク１００とが接触する領域２５ｂの内周は線２５ｎにより規定される。
【０３９５】
図１３２に示すように、ディスク受け部２５ａの領域２５ｂは、切り欠き２５ｃが設けられた部分を除いて、ディスク１００の外周近傍に位置している。そして、領域２５ｂの内周２５ｎは、点Ｃ２を中心とする円周上に位置している。一方、領域２５ｂの外周はディスク１００の外周により規定される。したがって、領域２５ｂは、点Ｃ２を中心とする２つの同心円によって挟まれるリング状の領域から、切り欠き部２５ｃと重なる部分を除いた領域となる。
【０３９６】
第１のシャッタ２１および第２のシャッタ２２（図示せず）が閉塞し、第１のシャッタ２１および第２のシャッタ２２のディスク保持部２１ｂ、２２ａ、２２ｂ（図示せず）にディスク１００が保持される時、ディスク１００の中心は点Ｃ２に位置する。また、ディスク１００と側壁１２ｉ'との曲率半径は等しいため、ディスク１００の側面は、切り欠
き１２ｇが設けられていた位置において側面１２ｉ'と完全に密着する。つまり、ディス
ク１００の外側面が側壁１２ｉ'と当接してディスクが保持されるよう、ディスク保持部
２１ｂ、２２ａ、２２ｂが保持するディスクの中心の位置がディスク収納部の中心に対してオフセットされている。
【０３９７】
一方、第１のシャッタ２１および第２のシャッタ２２（図示せず）が閉塞状態では、ディスク受け部２５ａとディスクとが接触する領域２５ｂの内周も、ディスク収納部の中心に対してオフセットされている。これにより、ディスク１００の情報記録面（裏面）は、その外周近傍においてディスク受け部２５ａと接し、ディスク受け部２５ａのない切り欠き２５ｃにおいては、ディスク１００の側面が側壁１２ｉ'と密着する。
【０３９８】
一方、ディスクホール１００ｈの近傍では、第２０の実施形態で説明したように、ディスク１００は、第１のシャッタ２１および第２のシャッタ２２に設けられた凸部２１ｗおよび２２ｗと接触している。したがって、ディスク１００の情報記録領域は完全に外部から遮断され、埃がディスク１００の情報記録領域に付着することを防ぐことができる。
【０３９９】
また、図１３６および図１３７に示すように、ディスクカートリッジ３２２において、第２のシャッタ２２のディスク保持部２２ｂが設けられた底部にはテーパ２６ｃが設けられ、カートリッジ下体１１のディスク保持部２２ｂが位置する領域には凹部１１ｘが設けられている。このため、ディスク１００の厚さや直径がばらついており、規格値よりも僅かに大きい場合には、図１３７に示すように第２のシャッタ２２が、カートリッジ下体１１の凹部１１ｘ端に位置する領域２６ｂにおいて弾性変形する。このため、ディスク保持部２２ｂの傾斜部２２ｂ'が確実にディスク１００の外周の稜に接触し、第１のシャッタ２１および第２のシャッタ２２が、ディスク１００をがたつきなく確実に保持することができる。また、弾性変形によって、ディスク保持部２２ｂがディスク１００をその中心方向へ付勢する。これによって、図１３２および１３４に示すようにディスク１００は側壁１２ｉ'へ付勢され、ディスク１００の側面の側壁１２ｉ'への密着が高まる。そして、ディスク１００の情報記録領域へ埃が付着するのをより確実に防ぐことができる。
【０４００】
ディスク１００の厚さおよび直径のばらつきにかかわらず、確実にディスク１００を保持させるためには、厚さおよび直径が規格範囲の中央値になっているディスク１００を保持したときに、図１３７に示すように、第２のシャッタ２２が僅かに弾性変形するように設計し、厚さおよび直径が規格値の下限値になっているディスク１００を保持したときには、図１３６に示すように、第２のシャッタ２２がほとんど弾性変形しないように設計してもよい。
【０４０１】
このように、本実施形態によれば、シールド部材２４を用いずにディスク１００の情報記録領域へ埃が付着するのを防止できる。したがって、シールド部材２４やシールド部材を回転部材２５と連動させる構造が不要となり、ディスクカートリッジの構造を簡単にすることができる。
【０４０２】
（第２３の実施形態）
以下に、本発明によるディスクカートリッジの第２３の実施形態を説明する。
【０４０３】
本発明のディスクカートリッジは、従来のディスクカートリッジと異なり、ディスクの片面を露出させてディスクを収納する。このため、ディスクカートリッジの厚さを小さくすることができ、また、ディスクのレーベル面に記された意匠を露出させることによって、ディスクカートリッジ全体のデザインを優れたものにすることができる。
【０４０４】
しかし、ディスクの片面が露出しているために、操作者がディスクのレーベルに触れることができ、操作者の使用形態によっては、不注意にレーベル面を押さえつけたりする可能性もある。このような場合でも、ディスクの信号記録面に傷がついたり、ディスクが変形したりしないように、ディスクカートリッジはディスクを保持する必要がある。このため、ディスクをどのように保持すれば、ディスクの信号記録面に傷等をつけることなく、確実に信号記録面を保護できるか検討を行った。
【０４０５】
図１３８は、ディスク１００をディスク受け部などの保持構造５９によって保持する場合に、ディスク１００が、操作者によって押し付けられても信号記録領域１００ｄが保持構造５９に接触して傷が付くことがないよう信号記録領域１００ｄの下方に設けるべき空間を示している。なお、図１３８では、空間を規定する保持構造５９の特徴が良く分かるように、一部分の寸法を誇張して表している。したがって、図中の縦と横との寸法の比率は実際の比率と異なっている。
【０４０６】
ディスク１００の下方に空間を十分取ることができる場合には、ディスク１００がどのように撓んでも、ディスク１００の最大撓み量に対応する空間を確保すればよい。しかし、このようなディスクカートリッジを作製すれば、その厚さは大きくなってしまう。ディスクの下方に設けるべき空間をできるだけ小さくするには、まずディスク１００の撓みができるだけ小さくなるよう、ディスク１００を保持する必要がある。このためには、信号記録領域１００ｄにできるだけ近い部分でディスク１００を保持することが好ましい。図１３８に示すように、保持構造５９は、ディスク１００の中心からＲｉｎまでの部分およびディスク１００の中心からＲｏｕｔより外側において、ディスク１００の信号記録面１００Ａを保持する。ここでＲｉｎは、信号記録領域１００ｄよりディスク１００の中心側の信号記録領域１００ｄに近接した点からディスク１００の中心までの距離とする。また、Ｒｏｕｔを信号記録領域１００ｄよりディスク１００の外側の信号記録領域１００ｄに近接した点からディスク１００の中心までの距離とする。上述したように、Ｒｉｎを規定する点およびＲｏｕｔを規定する点は信号記録領域１００ｄにできるだけ近接していることが好ましい。ディスク１００の直径が５インチ（半径６０ｍｍ）である場合、Ｒｉｎは２０ｍｍであり、Ｒｏｕｔは５９ｍｍであることが好ましい。
【０４０７】
信号記録領域１００ｄに傷が付かないよう設けるべき空間６９ｂは以下のように決定される。まず、空間６９ｂの高さ（深さ）をＳとする。そして、信号記録面１００Ａ上の半径Ｒｏｕｔの円周６９ｄ、信号記録面１００Ａから平行に距離０．３Ｓだけ離れた平面上の半径（Ｒｏｕｔ−１．２Ｓ）の円周６９ｅおよび信号記録面１００Ａから平行に距離Ｓだけ離れた平面上の半径（Ｒｏｕｔ−１６．２Ｓ）の円周６９ｆを規定する。円周６９ｄおよび円周６９ｅによって規定される円を上面および下面とする円錐台の側面５９ａとし、円周６９ｅおよび円周６９ｆによって規定される円を上面および下面とする円錐台の側面５９ｂとする。
【０４０８】
また、ディスク１００の中心から半径Ｒｉｎの円を底面とし、信号記録面１００Ａから高さ（深さ）Ｓの円柱の側面を５９ｄとする。側面５９ａおよび５９ｂによって規定される円錐台の領域から側面５９ｄによって規定される円柱の内側の領域を除いた領域が信号記録領域１００ｄの下方に設けるべき空間６９ｂである。
【０４０９】
Ｓの値は、空間６９ｂの高さを規定するため、Ｓの値が大きいほどディスク１００が撓んでも信号記録領域１００ｄに傷が付きにくくなる。しかし、Ｓの値を大きくすると、ディスクカートリッジが厚くなってしまう。したがって、薄いディスクカートリッジを作成するためには、Ｓの値は小さいほど良い。実験結果によれば、操作者がディスク１００を手で押すことによって生じる程度のディスク１００の撓みは、Ｓの値が１ｍｍであっても信号記録領域１００ｄを保護できることが分かった。
【０４１０】
一方、Ｒｉｎよりディスク１００の中心側の領域において、ディスク１００のクランプ領域１００ｅは保持構造２５０と接触しないほうが好ましい。クランプ領域１００ｅはディスク１００を記録/再生するディスクドライブ装置において、ターンテーブルやクランパが接触する。この領域に、傷がついたり、埃が付着していると、ディスク１００を確実にチャッキングできないからである。クランプ領域１００ｅは、ディスクの中心と一致する直径２２ｍｍおよび３３ｍｍの２つの同心円によって挟まれる領域によって規定される。クランプ領域はディスク１００に対して僅かな領域であるため、クランプ領域１００ｅの上方において、ディスク１００を操作者が押さえても、ディスク１００はほとんど撓まない。したがって、クランプ領域１００ｅ全体に接する空間６９ａが形成されておれば、その空間６９ａの高さ（深さ）は、どのような値でもかまわない。
【０４１１】
図１３９は、Ｓの値を１ｍｍとして上述の空間６９ｂを形成し、空間６９ｂ上に配置したディスク１００に、空間６９ｂ側へディスク１００を押さえつける力を加えた時のディスク１００の変形の様子を模式的に示している。実験の結果から、操作者がディスク１００を手で押さえつける力は、３ｋｇを超えることはないことが分かった。また、このときでも、ディスク１００の撓みは空間６９ｂ内に充分収まる程度あり、側面５９ａおよび５９ｂに撓んだディスク１００が接触することもなかった。
【０４１２】
空間６９ｂは、ディスク１００の信号記録領域１００ｄに傷が付かないための必要最小限度の領域を規定している。したがって、空間６９ｂを含むより大きな領域をディスク１００の信号記録領域１００ｄの下に形成してもよい。図１４０および図１４１に示すように、側面５９ａおよび５９ｂを超えて空間６９ｂを形成してもよい。しかし、ディスク１００を保持する保持構造５９のディスク１００の外周を保持する部分の強度を補強するために、外周を保持する部分に隣接して補強部分５９'または５９''を設けることが好ましい。側面５９ａおよび５９ｂは、こうした補強部分５９'および５９''をどのような形状にすることが許容されるかを判断する上で有用である。
【０４１３】
上記検討に基づいて設計されたディスクカートリッジを具体的に説明する。図１４２は、ディスクカートリッジ３２２の平面図を示しており、図１４３は、図１４２におけるＡ−Ａ線断面図である。また、図１４４は、ディスクカートリッジ３２３を分解した状態で示す斜視図である。ディスクカートリッジ３２２において、第２０から第２２の実施形態のディスクカートリッジと同じ構成要素には同じ参照符号を付している。
【０４１４】
ディスクカートリッジ３２３は、第２２の実施形態と同様、シールド部材を有しておらず、ディスク１００をカートリッジ上体１２の側壁１２ｉに接触させてディスクを保持する。
【０４１５】
具体的には、図１４２および図１４４に示すように、第１のシャッタ２１および第２のシャッタ２２が閉塞している状態において、ディスクカートリッジ３２３は、第１のシャッタ２１のディスク保持部２１ｂおよび第２のシャッタ２２のディスク保持部２２ａ、２２ｂによってディスク１００を保持する。この時、ディスク１００の側面は、回転部材２５の切り欠き２５ｃが位置する領域において、カートリッジ上体１２の側壁１２ｉと接する。また、ディスク１００の中心は点Ｃ２に一致する。ディスク１００の第１の面１００Ａと均等に接するように、回転部材２５のディスク受け部２５ａとディスク１００とが接触する領域の内周は、点Ｃ２を中心とする円周に一致させている。一方回転部材２５の側壁２５ｉの中心は点Ｃ１に一致している。
【０４１６】
図１４２および図１４４に示すように、ディスクカートリッジ３２３の第１のシャッタ２１および第２のシャッタ２２において、ディスク１００のセンタホールに対応する孔２０ｈの周囲に凸部２１ｗおよび２２ｗからなる凸部２０ｗが形成されている。更に、凸部２０ｗのから所定の距離を隔てた位置に凸部３５ｄおよび３６ｄが設けられている。凸部３５ｄおよび３６ｄの上面の高さは凸部２１ｗおよび２２ｗの上面の高さに等しい。凸部３５ｄおよび３６ｄはシャッタ閉塞時に連続した凸部２０ｄとなり、ディスク１００の信号記録領域に近接した領域を保持する。凸部２０ｗと凸部２０ｄとの間に形成される凹部は空間６９ａを規定し、ディスク１００を保持する際、ディスク１００のクランプ領域は空間６９ａに位置する。
【０４１７】
また、図１４３に示すように、ディスク１００を保持したときに、ディスク１００の下方に、図１３８に示す空間６９ｂが確保されるように、凸部３６ｄ、第１のシャッタ２２および回転部材２５のディスク受け部２５ａが設計されている。図１４３には示されていないが、凸部３５ｄおよび第１のシャッタ２１も同様に設計されている。第１のシャッタ２１および第２のシャッタ２２とディスク１００との間隔は１ｍｍ以上となるように設計されている。また、ディスク受け部２５ａは、図１３８に示す空間６９ｂの外側に位置している。つまり、空間６９ｂの側面５９ａおよび５９ｂより下方に位置しており、空間６９ｂをディスク受け部２５ａが遮ることがない。
【０４１８】
このように、ディスク１００の下方に図１３８に示す空間６９ｂを確保することによって、ディスクカートリッジ３２３に収納されたディスク１００を操作者が押さえることがあっても、確実にディスクの信号記録領域を保護することができる。
【０４１９】
本実施形態のディスクカートリッジ３２３には、このほか、実用性を高めるために、構成部材の機械的強度を高める構造、２種類の脱落防止部材を装着可能な構造および防塵機能を高める構造が採用されている。以下にこれらの構造を説明する。
【０４２０】
まず、構成部材の機械的強度を高める構造を説明する。図１４２および図１４４に示すように、第１のシャッタ２１および第２のシャッタ２２が閉塞している時、ディスク保持部２１ａ、２２ａ、２２ｂは、第１のシャッタ２１とディスク保持部２１ｂとの接続部分の撓みによる弾性力および第２のシャッタ２２とディスク保持部２２ａ、２２ｂとの接続部分の撓みによる弾性力によって、ディスク保持部２１ａ、２２ａ、２２ｂは、ディスク１００をその中心方向へ付勢する力が働く。
【０４２１】
しかし、ディスクカートリッジ３２３を落下させたり、操作者がディスク１００の面１００Ｂに力をかけて、ディスク１００をカートリッジ内で動かそうとしたりする場合には、ディスク保持部２１ａ、２２ａ、２２ｂにディスク１００の中心から外側へ動かそうとする力が働くこともある。そして、このような力が大きい場合には、第１および第２のシャッタとディスク保持部２１ａ、２２ａ、２２ｂとの接続部分が破損してしまう可能性がある。特に、ディスク保持部２１ｂと第１のシャッタ２１の接続部分およびディスク保持部２２ｂと第２のシャッタ２２との接続部分は狭く、図１４２において、矢印２１Ｂおよび２２Ｂでそれぞれ示すような力に対して弱い。
【０４２２】
このため、ディスクカートリッジ３２３では、回転部材２５の切り欠き２５ｇおよび２５ｈを規定する側壁１２ｉの断面６５ａおよび６５ｂがディスク１００の半径方向（矢印２１Ｂおよび２２Ｂ）と交わり、かつ、ディスク収納部１０ｄに面するように形成する。そして、シャッタ閉塞時において、ディスク保持部２１ｂ、２２ｂが、矢印２１Ｂおよび２２Ｂの方向へ、それぞれ所定量以上、移動しないように、断面６５ａおよび６５ｂによってディスク保持部２１ｂ、２２ｂの移動を規制させている。
【０４２３】
断面６５ａおよび６５ｂを設けることによって、ディスクカートリッジ３２３が落下したり、操作者が故意にディスク保持部２１ｂ、２２ｂを動かそうとしたりしても、ディスク保持部２１ｂ、２２ｂが破損することを防止できる。また、シャッタ閉塞時において、何らかの理由によって、第１のシャッタおよび第２のシャッタを開放させようとする力が働いても、第１のシャッタおよび第２のシャッタの動きに伴って移動しようとするディスク保持部２１ｂ、２２ｂが、断面６５ａおよび６５ｂに接触する。これによって、第１のシャッタ２１および第２のシャッタ２２の開放動作が妨げられる。したがって、シャッタ閉塞時において、第１のシャッタ２１および第２のシャッタ２２のがたつきを小さくすることができる。
【０４２４】
また、図１４２に示すように、操作者が第１のシャッタ２１および第２のシャッタ２２を開放させようとすると、第１のシャッタ２１および第２のシャッタ２２が回動孔３７および３８をそれぞれ中心として回転しようとするとするため、第１のシャッタ２１の案内溝２７ｅの側壁および第２のシャッタ２２の案内溝２８ｆの側壁が、回転部材２５の凸部２５ｅおよび凸部２５ｆを回動孔３７および３８をそれぞれ中心として矢印２５Ｅおよび２５Ｆの方向へ回転させようとする。
【０４２５】
このとき、案内溝２７ｅおよび案内溝２８ｆが矢印２５Ｅおよび２５Ｆへ伸びていたり、矢印２５Ｅおよび２５Ｆの方向へ凸部２５ｅおよび凸部２５ｆがそれぞれ移動し得る空間が、案内溝２７ｅおよび案内溝２８ｆ内にあると、第１のシャッタ２１および第２のシャッタのがたつく原因となる。
【０４２６】
このため、シャッタの閉塞時において、凸部２５ｅおよび凸部２５ｆが位置する案内溝２７ｅおよび案内溝２８ｆの端部は、矢印２５Ｅおよび２５Ｆ（つまり、凸部２５ｅおよび凸部２５ｆと回動孔３７および３８とをそれぞれ結ぶ方向）とおおよそ直交する矢印２７Ｅおよび２８Ｆの方向に伸びている。
【０４２７】
また、図１４４に示すように、カートリッジ下体１１には凸部３３ｂが設けられ、回転部材２５には凸部２５ｗが設けられている。凸部３３ｂおよび凸部２５ｗはいずれも第１のシャッタ２１および第２のシャッタ２２の厚さとほぼ等しい高さを備えている。凸部３３ｂは回転部材２５のディスク受け部２５ａの裏面と接し、凸部２５ｗはカートリッジ下体１１の内側下面１１ｕに設けられた凹部３３ｃと接する。凸部３３ｂおよび２５ｗは、回転部材２５の第１のシャッタ２１または第２のシャッタ２２と接しない領域において、回転部材２５を保持する。これによって、回転部材２５の第１のシャッタ２１または第２のシャッタ２２と接しない領域において、回転部材２５が撓んで、ディスク１００と密接しなくなるのを防止する。
【０４２８】
ディスク保持部２２ａは、第１４の実施形態において説明したように、第１の領域１２２ａおよび第２の領域２２２ａを含み、第１の領域１２２ａは第２の領域２２２ａよりも高くなっている。また、第１の領域１２２ａの先端は、カートリッジ上体１２の内側上面に設けられた窪んだ領域１２ｘに挿入されている。領域１２ｘはシャッタが開閉するときに第１の領域１２２ａの先端が通過する領域に沿って設けられている。
【０４２９】
図１４２および図１４４に示すように、シャッタが開閉する際、ディスク保持部２２ａが通過する領域には、ヘッド開口部１１ｈが設けられており、ヘッド開口部１１ｈは、カートリッジ下体１１の側面に達している。このため、カートリッジ下体１１およびカートリッジ上体１２を接合してカートリッジ本体を構成した場合、ヘッド開口部１１ｈ近傍では、カートリッジ本体としての強度をカートリッジ上体１２のみで確保する必要がある。
【０４３０】
ディスクカートリッジ３２３によれば、第１４の実施形態で説明したように、シャッタを閉塞する際、ディスク保持部２２ａの第１の領域１２２ａが、確実にディスク１００を把持することができる。また、ディスク保持部２２ａの第２の領域２２２ａは低いのでカートリッジ上体１２の内側上面を薄くしなくてもよい。これによって、カートリッジ上体１２のディスク保持部２２ａが通過する領域において、厚みを薄くしなければいけない領域を小さくすることができ、ヘッド開口部１１ｈ近傍において、カートリッジ本体全体の強度が低下することを防ぐことができる。
【０４３１】
また、本実施形態のディスクカートリッジ３２３は、第１３の実施形態において説明したように、シャッタが閉塞した状態においてその剛性を高める構造が採用されている。
【０４３２】
図１４５および１４６に示すように、第１のシャッタ２１および第２のシャッタ２２は、孔２０ｈによって分けられる連続しない２つの領域において、厚さ方向に重なるように互いに当接する接合部分を有する。第１のシャッタ２１は、接合部分２１ｇ'および接合部分２１ｆ'を有し、第２のシャッタ２２は、接合部分２２ｇ'および接合部分２２ｆ'を有する。図１４５のＮ−Ｎ線断面図を図１４６の上方に示し、図１４５のＯ−Ｏ線断面図を図１４６の下方に示している。第１のシャッタ２１の接合部分２１ｇ'と第２のシャッタ２２の接合部分２２ｇ'との当接領域では、シャッタの閉塞時には、シャッタの厚さ方向に対して第１のシャッタ２１の接合部分２１ｇ'が下に位置し、第２のシャッタ２２の接合部分２２ｇ'が上に位置する。また、第１のシャッタ２１の接合部分２１ｆ'と第２のシャッタ２２の接合部分２２ｆ'との当接領域では、シャッタの閉塞時には、シャッタの厚さ方向に対して第１のシャッタ２１の接合部分２１ｆ'が上に位置し、第２のシャッタ２２の接合部分２２ｆ'が下に位置する。
【０４３３】
また、第２のシャッタ２２の接合部分２１ｇ'の先端には当接領域に沿って凸部３８ｃ
が設けられており、シャッタの閉塞時に凸部３８ｃと係合する凹部３７ｃが第１のシャッタ２１に設けられている。
【０４３４】
さらに、図１４７に示すように、第２のシャッタ２２のディスク保持部２２ａと第１のシャッタ２１の凸部２７ａとが当接する部分において、凸部２７ａには、突起３７ａが設けられ、突起３７ａと係合する凹部３８ａがディスク保持部２２ａに設けられている。突起３７ａの上方部分には凹部３７ｂが設けられている。また、凹部３８ａの上方部分には凹部３７ｂに係合する凸部３８ｂが設けられている。突起３７ａおよび凹部３７ｂは第１のシャッタ２１の第３の接合部分３７ｅを構成し、凹部３８ａおよび凸部３８ｂは第２のシャッタ２２の第３の接合部分３８ｅを構成している。
【０４３５】
このように、ディスクカートリッジ３２３では、第１のシャッタ２１および第２のシャッタ２２が当接する部分を２つの領域にわけ、それぞれの領域において、第１のシャッタ２１と第２のシャッタ２２の接合部分をシャッタの厚さ方向に重なるように当接させている。さらに、２つの領域において、重なりの上下関係を逆転させている。この構造によって、第１のシャッタ２１と第２のシャッタ２２が閉塞するとき、シャッタが浮き上がることを防止することができ、また、第１のシャッタ２１と第２のシャッタ２２が閉塞した状態において接合部分の剛性を高めることができる。
【０４３６】
また、第１のシャッタの接合部分２１ｇ'および第２のシャッタの接合部分２２ｇ'に凹部３７ｃおよび凸部３８ｃをそれぞれ設けることにより、第１のシャッタ２１および第２のシャッタ２２が閉じた場合には、シャッタのがたつきなどによって、接合部分２１ｇ'
と接合部分２２ｇ'とが容易に離れないようにすることができる。また、これにより第１
のシャッタ２１と第２のシャッタ２２との接合の密着度合が向上し、接合部周辺の防塵も高めることができる。
【０４３７】
さらに、第１のシャッタ２１の第３の接合部分３７ｅおよび第２のシャッタ２２の第３の接合部分３８ｅによって、シャッタ閉塞時に、第１のシャッタ２１と第２のシャッタ２２との接合の剛性を高めている。また、第１のシャッタの接続部分２１ｇ'および突起３７ｂを第２のシャッタの凸部３８ｂおよび接合部分２２ｇ'が挟むため、シャッタ閉塞時に、第１のシャッタ２１と第２のシャッタ２２との接合の剛性をさらに高めることができる。
【０４３８】
次に、２種類の脱落防止部材を装着可能な構造を説明する。図１４４に示すように、ディスクカートリッジ３２３は、カートリッジ上体１２に回動孔１２ｍおよび孔１２ｍ'を有しおり、ディスク開口部１２ｗからディスク１００が脱落するのを防ぐ手段として、脱落防止部材５５および脱落防止部材５５'のいずれを装着することもできる。脱落防止部材５５は、第２１の実施形態として説明したディスクカートリッジ３２１の脱落防止部材５５と同じ構造を備えている。回転軸５５ａをカートリッジ上体１２の回動孔１２ｍに挿入し、係合させることによって、脱落防止部材５５は回転軸５５ａを中心として回転することができる。そして第２１の実施形態で説明したように、脱落防止部材５５の一部をディスク開口部１２ｗへ張り出させて、ディスク１００の脱落を防止したり、脱落防止部材５５図１２５に示す位置まで回転させて、ディスク１００を取り出したりすることができる。
【０４３９】
一方、脱落防止部材５５'は回転軸５５'ａおよび突起５５'ｂを有している。カートリ
ッジ上体１２に取り付ける場合、脱落防止部材５５'の回転軸５５'ａおよび突起５５'ｂ
を回動孔１２ｍおよび孔１２ｍ'へそれぞれ係合させ、挿入する。脱落防止部材５５'とカートリッジ上体１２とが２箇所において固定されるため、脱落防止部材５５'９は可動せず、脱落防止部材５５'の一部が常にディスク開口部１２ｗへ張り出す。つまり、脱落防止部材５５'をカートリッジ上体１２に装着する場合には、ディスクカートリッジ３２３に収納されるディスク１００を取り出すことはできない。
【０４４０】
このように、脱落防止部材５５および脱落防止部材５５'のいずれとも係合することが
可能な回動孔１２ｍおよび孔１２ｍ'を係合手段としてカートリッジ上体１２に設けるこ
とによって、必要に応じて脱落防止部材５５または脱落防止部材５５'のいずれかをカー
トリッジ本体に装着することができる。したがって、ディスク１００の取り出しが可能なディスクカートリッジ３２３と、一度収納されたディスク１００は取り出すことのできないディスクカートリッジ３２３とを脱落防止部材５５および脱落防止部材５５'のいずれ
かを選択的に用いることによって作製することができる。
【０４４１】
なお、図１４４には、第２１の実施形態において説明した取り出し履歴ホール１１ｎおよび蓋材５６は示されていないが、これらをディスクカートリッジ３２３に設けてもよい。取り出し履歴ホール１１ｎおよび蓋材５６をディスクカートリッジ３２３に設けて、脱落防止部材５５を装着する場合には、第２１の実施形態において説明したように、脱落防止部材５５を回転させてディスク１００を取り出す際に蓋材５６が脱落する。これにより、履歴ホール１１ｎの開口が完全に露出する。脱落防止部材５５に代えて脱落防止部材５５'を装着する場合には、脱落防止部材５５を回転させてディスク１００を取り出すことができない。したがって、蓋材５６が取り出し履歴ホール１１ｎの開口を覆ったままになる。
【０４４２】
次に、図１４４、図１４５、図１４８および図１４９を参照して、防塵効果を高める構造を説明する。図１４４に示すように、カートリッジ下体１１のチャッキング開口部１１ｃおよびヘッド開口部１１ｈの周囲に凸部３３ａが設けられている。凸部３３ａは図１４５においては、破線で示されている。図１４５のＭ−Ｍ線断面図である図１４８に示すように、第１のシャッタ２１および第２のシャッタ２２の裏面には、凸部３３ａに係合するように凹部３７ｄおよび３８ｄが設けられている。
【０４４３】
第１のシャッタ２１および第２のシャッタ２２はカートリッジ下体１１上を移動する。このため、第１のシャッタ２１および第２のシャッタ２２の裏面に付着した埃等は、第１のシャッタ２１および第２のシャッタ２２の移動に伴って、カートリッジ内へ引き込まれやすい。この構造によって、チャッキング開口部１１ｃおよびヘッド開口部１１ｈからカートリッジ下体１１と第１のシャッタ２１および第２のシャッタ２２との間に入り込む埃を防止することができる。
【０４４４】
また、図１４９に示すように、第１のシャッタ２１および第２のシャッタ２２が形成する孔２０ｈの近傍であって、第１のシャッタ２１および第２のシャッタ２２が互いに当接する部分において、第２のシャッタ２２には凸部３６ａおよび３６ｂが設けられ、第１のシャッタ２１には凸部３６ａおよび３６ｂに係合する凹部３５ａおよび３５ｂが設けられている。第１のシャッタ２１の凸部３６ａおよび３６ｂは、第１のシャッタ２１および第２のシャッタ２２が閉じる時に互いに当接することにより形成される接合面から突出している。これにより、孔２０ｈから、第１のシャッタ２１および第２のシャッタ２２による当接面に沿って埃が侵入するのを防ぐ。
【０４４５】
なお、本実施形態では、図１３８に示す空間６９ｂをディスク１００の下方に設けるため、ディスク１００を保持するディスク受け部を回転部材に設けた例を示した。しかし、図１３８に示す空間をディスク１００の下方に設けるために、他の構造を採用してもよい。例えば、図１５０に示すように、ディスク１００の外周端部を保持するディスク受け部２５ａ'をカートリッジ上体１２'に設けてもよい。このような構造であっても、図１３８に示す空間６９ｂがディスク１００の下方に形成されるようにディスク受け部２５ａ'および第１のシャッタおよび第２のシャッタ２２の形状を選択することによって、ディスク１００が操作者によって押さえられても、信号記録領域がシャッタやディスク受け部に接触することのないディスクカートリッジを実現することができる。
【０４４６】
（第２４の実施形態）
以下に、本発明によるディスクカートリッジの第２４の実施形態を説明する。本実施形態のディスクカートリッジは、回転部材２５のディスク受け部２５ａに埃等を集め、ディスク１００の情報記録面１００Ａに埃等が付着するのを防止するための溝を設けた点、および、特に、ディスクカートリッジが垂直に保持されたときでも確実にディスク１００を保持することができる構造をディスク保持部が備えている点で第２３の実施形態のディスクカートリッジ３２３と異なっている。以下、第２３の実施形態のディスクカートリッジ３２３との相違点を主として説明する。第２３の実施形態あるいはそれ以前の実施形態のディスクカートリッジの構成要素と同じ構成要素には同じ参照番号を付している。
【０４４７】
図１５１は、カートリッジ上体１２を取り去って、本実施形態のディスクカートリッジ３２４を示した平面図である。また、図１５２は、カートリッジ上体１２を含むディスクカートリッジ３２４を図１５１のＡ−Ａ線に沿って切り取った断面図である。
【０４４８】
図１５１および図１５２に示すように、第１のシャッタ２１および第２のシャッタ２２が閉塞し、ディスク保持部２１ｂ、２２ａ、２２ｂがディスク１００を保持しているとき、回転部材２５のディスク受け部２５ａの上面２５ｋのうち、ディスク１００と接触する領域２５ｂの外側に溝２５ｐが設けられている。溝２５ｐの断面は図１５２では半円で示されているが、少なくともディスク１００と接触する領域２５ｂよりも窪んだ凹部に形成されていれば、三角形や矩形などの他の断面形状を溝２５ｐが備えていてもよい。
【０４４９】
ディスク受け部２５ａの上面２５ｋの溝２５ｐが設けられた領域は、第１のシャッタ２１および第２のシャッタ２２が閉塞し、ディスク保持部２１ｂ、２２ａ、２２ｂがディスク１００を保持しているとき、ディスク１００の下方には位置せず、ディスク収納部底部において外部へ露出する。このため、ディスクカートリッジ３２４の使用中、この領域に埃等が堆積する可能性がある。この領域に溝２５ｐを設けず、上面２５ｋを平坦にしておく場合、堆積した埃等がディスク１００の第２の面１００Ａに付着したり、ディスク１００の下方の空間６９ｂに侵入する可能性がある。
【０４５０】
これに対して、ディスク受け部２５ａの上面２５ｋに溝２５ｐを設けることにより、埃等は溝２５ｐの底部に溜まる。このため、上述したディスク１００の１００Ａに埃等が付着したり、ディスク１００の下方の空間６９ｂに埃等が侵入することを防ぐことができる。
【０４５１】
なお、図１３２および１４２を参照して詳細に説明したように、第１のシャッタ２１および第２のシャッタ２２が閉塞するとき、回転部材２５の切り欠き２５ｃがもうけられた領域においてディスク１００がディスク収納部の側壁に当接するよう、ディスク収納部の中心Ｃ１に対してオフセットされた位置にある点Ｃ２にディスク１００の中心を一致させてディスク１００が保持される。このため、ディスク１００が保持されている状態において、ディスク受け部２５ａの上面２５ｋの露出部分は、点Ｃ１を中心とした同心円ではなく、点Ｃ２を中心とする円周および点Ｃ１を中心としたディスク収納部の円形の側壁１２ｉにより規定される。溝２５ｐはこの領域の一部を少なくとも含む。ディスク収納部側壁１２ｉを規定する円の半径、ディスク１００の半径、および点Ｃ１と点Ｃ２との距離によって、この領域の形状や大きさは異なり得るが、この領域は、少なくとも、回転部材２５の切り欠き２５ｃ部分において欠落を有する三日月形の形状となる。
【０４５２】
次にディスク保持部の構造を説明する。図１５３および図１５４は、ディスク１００を収納したディスクカートリッジ３２４の平面図であり、図１５３および図１５４はそれぞれ、シャッタが開放している状態およびシャッタが閉じ始めた状態を示している。これらの図において、見易さのため、回転部材２５は破線で示されている。また、第１のシャッタ２１および第２のシャッタ２２に設けられた凸部２７ａおよびディスク保持部２１ｂ、２２ａ、２２ｂの位置を明示するため、第１のシャッタ２１および第２のシャッタ２２のすべての部分を実線で示している。
【０４５３】
図１５３に示す状態から、第１のシャッタ２１および第２のシャッタ２２が閉じ始めると、図１５４に示すように、第２のシャッタ２２に設けられたディスク保持部２２ａがディスク保持部２１ｂ、２２ｂよりも先にディスク１００と接触し、把持動作を開始する。このとき、ディス保持部２２ａの一部は、ディスク開口部１２ｗに突出するよう設けられた脱落防止部材１２ｓの下方、つまり、脱落防止部材１２ｓよりもディスク側に位置している。ディスクカートリッジ３２４がどのような姿勢にあっても、収納されているディスク１００は、脱落防止部材１２ｓに規制されて、脱落防止部材１２ｓよりもディスク収納部から外に飛び出した状態を取りえないので、ディス保持部２２ａは、確実にディスク１００と接触し把持することができる。このような構造は特にディスクカートリッジ３２４がディスクドライブ装置内において垂直に支持される場合に効果を発揮する。
【０４５４】
上述したように、本実施形態では、ディスク保持部２２ａの一部が脱落防止部材１２ｓの下方へ移動したときにディスク１００を把持し始める。しかし、ディスクカートリッジ３２４がどのような姿勢にあっても、ディスク保持部２２ａがディスク１００と接触し、ディスク１００を把持することができるよう、ディスク収納部内におけるディスク１００の位置および姿勢を脱落防止部材１２ｓが規制することができる限り、ディスク保持部２２ａがディスク１００と接触し始める際、ディスク保持部２２ａが脱落防止部材１２ｓの下方に位置していなくてもよい。しかし、脱落防止部材１２ｓの位置と、ディスク１００と接触し始める際のディスク保持部２２の位置とが離れている場合には、ディスクカートリッジ３２４がどのような姿勢にあっても、ディスク保持部２２ａがディスク１００と接触するよう、脱落防止部材１２ｓが設けられた部分ではディスク１００が位置しうる空間を小さくする必要がある。この場合、ディスク１００をディスクカートリッジ３２４から取り出すことが困難になる場合ある。したがって、ディスク１００と接触し始める際のディスク保持部２２の位置と脱落防止部材１２ｓの位置とは近接していることが好ましく、上述したようにディスク保持部２２ａの一部が脱落防止部材１２ｓの下方へ移動したときにディスク１００を把持し始めることがより好ましい。
【０４５５】
図１５４に示す状態から、第１のシャッタ２１および第２のシャッタ２２をさらに回転させて、シャッタの閉塞動作を続けると、ディスク保持部２１ｂ、２２ｂがディスク１００と接近し、ディスク把持をし始める。このとき、ディスクカートリッジ３２４の姿勢によっては、ディスク保持部２１ｂ、２２ｂがディスク１００と接近する位置において、ディスク保持部２１ｂ、２２ｂがディスク１００と接触できないほど、ディスク１００が飛び出している可能性がある。このような不都合を避けるため、ディスク保持部２１ｂ、２２ｂがディスク１００と接触すべき位置に、他の脱落防止部材を設けることも考えられる。しかし、このような脱落防止部材を設けると、ディスク１００をディスクカートリッジ３２４から取り出すことが困難になる可能性がある。このため、本実施形態では、最初にディスク１００と接触するディスク保持部２２ａに、ディスク１００と接触した後、ディスク保持部２１ｂ、２２ｂがディスク１００と接触し、把持し得るようにディスク１００の位置および傾きを変える構造を設ける。
【０４５６】
図１５５から図１５７は、ディスク保持部２２ａを拡大して示す斜視図である。図に示すように、ディスク保持部２２ａは、ディスク１００の位置および傾きをかえる構造として、第１の規制面１４２ａ、第２の規制面１４２ｂを有する。また、これまでの実施形態で詳しく説明したように、ディスク１００を把持し、固定するための斜面２２ａ'を有す
る。第２のシャッタ２２が閉塞する際、ディスク保持部２２ａは、矢印１４０の方向に移動する。第１の規制面１４２ａは、ディスク保持部２２ａの移動方向である矢印１４０に非平行になるよう配置されており、第２のシャッタ２２からみて、逆テーパ状に（第２のシャッタ２２側に）傾斜している。図１５５に示すように、第１の規制面１４２ａは、ディスク１００の第１の面１００Ｂあるいは第１の面１００Ｂの外周部の稜と接し得る。図１５６に示すように、第２の規制面１４２ｂは、第２のシャッタ２２ｂとほぼ平行になっており、ディィスク１００の第１の面１００Ｂの外周近傍と接し得る。斜面２２ａ'は第２の規制面１４２ｂと接しており、第２のシャッタ２２からみて、逆テーパ状に（第２のシャッタ２２側に）傾斜している。図１５７に示すように、斜面２２ａ'は、ディスク１００の第１の面１００Ｂの外周部の稜と接し得る。
【０４５７】
図１５８および図１６０は、ディスクカートリッジ３２４がディスクドライブ装置内において垂直に支持された場合において、ターンテーブルおよびクランパがディスク１００から離脱し、シャッタが閉塞するとともに、ディスク保持部がディスク１００を保持する状態を説明する斜視図である。また、図１５９および図１６１は図１５８および図１６０におけるＱ−Ｑ線断面図である。これらの図および図１５５から図１５７を参照して、ディスク保持部２２ａがどのようディスク１００の姿勢を規制するかを説明する。なお、図１５８および図１６０ではシャッタは示されていない。
【０４５８】
図１５８に示すように、ディスクカートリッジ３２４がディスクドライブ装置内において垂直に支持される場合において、ディスク１００に対する記録および／または再生が終了し、ターンテーブルおよびクランパがディスク１００から離脱すると、ディスク１００がディスク収納部の底部から離れ、傾いてディスク収納部に放置されることがある。図１５８では、説明のため、ディスク１００の姿勢がよく分かるよう、脱落防止部材１２ｓ、５５を省略し、ディスク１００の傾きを誇張して示しているが、実際には、脱落防止部材１２ｓ、５５があるため、少なくとも脱落防止部材１２ｓ、５５の部分では、ディスク１００はディスク収納部内に収まっている。
【０４５９】
このような場合において、シャッタの閉塞動作が始まり、ディスク保持部２２ａが矢印１４０の方向へ移動すると、上述したようにディスク保持部２２ａの一部が脱落防止部材１２ｓ（図１５９）の下方へ移動する。そして、図１５５に示すように、ディスク保持部２２ａの第１の規制面１４２ａが、ディスク１００の第１の面１００Ｂあるいは第１の面１００Ｂの外周部の稜と接する。第１の規制面１４２ａは、第２の規制面１４２ｂと第２のシャッタ２２（あるいはディスク収納部の底部）との間にディスク１００が位置するよう、ディスク１００を案内し、ディスクの傾きを変える。図１５８に示すように、この時、ディスク保持部２１ｂ、２２ｂはまだ、ディスク１００と接する位置には移動していないが、図１５９に示すように、ディスク２２ｂの斜面２２ｂ'がディスク１００の第１の面１００Ｂの稜と接触し得ないほど、ディスク１００は傾いている。
【０４６０】
ディスク保持部２２ａの矢印１４０の方向への移動が進むと、図１５６に示すように、ディスク１００は第２の規制面１４２ｂに規制され、図１５８において矢印１４１で示すように、ディスク１００が垂直になるようその傾きが矯正される。このため、図１６０および図１６１に示すように、ディスク１００は、ディス収納部の底部に対してほぼ平行となり、また、ディスク保持部２２ｂの斜面２２ｂ'（およびディスク保持部２１ｂの斜面
２１ｂ'）がディスク１００の第１の面１００Ｂの外周の稜と接し得るように、ディスク
１００がディスク収納部の底部側に寄せられる。
【０４６１】
さらにシャッタの回転が進むと、図１５７に示すように、ディスク保持部２２ａの斜面２２ａ'がディスク１００の第１の面１００Ｂの稜と接する。また、ディスク保持部２１
ｂ、２２ｂの斜面２１ｂ'、２２ｂ'もディスク１００の第１の面１００Ｂの稜と接する。これにより、ディスク１００がディスク保持部２１ｂ、２２ａ、２２ｂに把持される。斜面２２ａ'２１ｂ'、２２ｂ'による把持動作は、これまでの実施形態において詳細に説明
しているので、ここでは説明を省略する。
【０４６２】
このように本実施形態によれば、ディスクカートリッジ３２４が垂直に支持された場合でも、収納されたディスク１００がディスク開口部１２ｗから脱落することなく、確実にディスク保持部２１ｂ、２２ａ、２２ｂによって保持される。
【０４６３】
以上、ディスク保持部２１ｂに近接した側面が下に位置するように、ディスクカートリッジ３２４が垂直に支持される場合のディスク保持動作を説明したが、ディスク保持部２２ｂに近接した側面が下に位置するようにディスクカートリッジ３２４が垂直に支持場合にも、同様の動作によってディスク１００が確実に保持される。
【０４６４】
また、ディスクカートリッジ３２４がディスクドライブ装置内で水平に保持される場合には、これまでの実施形態において説明したように、ディスク１００は、ディスク保持部２２ａの第１の規制面１４２ａ、第２の規制面１４２ｂと接触することなく、斜面２２ａ'に接触し、続いてディスク保持部２１ｂの斜面２１ｂ'およびディスク保持部２２ｂの斜面２２ｂ'と接触し、これらの斜面により保持される。
【０４６５】
なお、ディスク保持部２２ａに設けられたディスクの位置および傾きを変える構造は、図１５５等に図示された形状に限定されるわけではない。大きく傾いた、あるいは、ディスク収納部から大きく離間したディスクと接触しディスクを第２の規制面に接触するように案内する第１の規制面、および、ディスク保持部２１ｂ、２２ａ、２２ｂの斜面２１ｂ'、２２ａ'、２２ｂ'にディスクが接触し、ディスク保持部２１ｂ、２２ａ、２２ｂがディスクを把持できるようにディスクの位置および傾きを変えるあるいは規制する第２の規制面を備えていれば、ディスクの位置および傾きを変える構造は、第１の規制面および第２の規制面以外の面を含んでいてもよい。
【０４６６】
（第２５の実施形態）
以下に、本発明によるディスクカートリッジの第２５の実施形態を説明する。本実施形態のディスクカートリッジは、使用上の強度および操作性などを向上させることにより、実用性を高める構造を備えている。
【０４６７】
図１６２は、本実施形態のディスクカートリッジ３２５を分解した状態で示す斜視図である。ディスクカートリッジ３２５において、第２３の実施形態のディスクカートリッジと同じ構成要素には同じ参照符号を付している。図１６２に示すように、ディスクカートリッジ３２５において、第１のシャッタ２１の案内溝２７ｅと係合する回転部材２５の凸部２５ｅが、案内溝２７ｅから脱落しないようにするために凸部２５ｅの先端に爪部２５ｑが設けられている。同様に、凸部２５ｆの先端には爪部２５ｒが設けられている。
【０４６８】
第２のシャッタ２２には、第１および第２のシャッタ２１、２２が閉塞状態にあるときにディスクのセンタホール１００ｈ内へ突出する突起３６および突起４８が設けられている。
【０４６９】
カートリッジ本体を構成するカートリッジ下体１１には、回転部材受け部１１ｚが設けられている。回転部材受け部１１ｚは、第１および第２のシャッタ２１、２２が開放状態にあるとき、回転部材２５の底部の一部と接触して、回転部材２５を保持する。
【０４７０】
また、カートリッジ下体１１であって、第１および第２のシャッタ２１、２２が開放動作を行う際、回転部材２５のディスク受け部２５ａと第１のシャッタ２１とが重なる領域には、凹部１１ｙが設けられている。
【０４７１】
さらに、カートリッジ下体１１には、ヘッド開口部１１ｈの近傍に第１の凸部４９ａおよび第２の凸部２９ｂを有し、第１および第２のシャッタ２１、２２が閉塞状態にあるとき、カートリッジ下体１１の第１の凸部４９ａおよび第２の凸部４９ｂにそれぞれ当接する第１の凸部６３ａおよび第２の凸部６３ｂを第１のシャッタ２１および回転部材２５は有している。
【０４７２】
以下において、これらの特徴を順に説明する。図１６３は、ディスクカートリッジ３２５からカートリッジ上体１２および脱落防止部材５５を取り去って、その上面を示す平面図であり、図１６４は、図１６３のＲ−Ｒ断面を示している。爪部２５ｒを有する凸部２５ｆのＲ'−Ｒ'断面も同様の構造を備えている。
【０４７３】
これらの図に示すように、回転部材２５の凸部２５ｅの先端には爪部２５ｑが設けられており、爪部２５ｑは、カートリッジ下体１１と第１のシャッタ２１との間に位置している。また、爪部２５ｑは、図１６３に示すＲ−Ｒ断面の方向であるディスクの半径方向（カートリッジの中心へ向かう方向）に伸びている。爪部２５ｑは他の方向にも伸びていてもよい。ディスクの中心へ向かう半径方向にのみ伸びるよう爪部２５ｑが形成されている場合には、回転部材２５を金型成形により作製しやすいという利点がある。
【０４７４】
図１６４に示すように、爪部２５ｑと凸部２５ｅの接続部分にディスク開口部側に面する傾斜部２５ｑ'を設けてもよい。傾斜部２５ｑ'を設けることにより凸部２５ｅと爪部２５ｑの接合部分の強度を増すことができる。傾斜部２５ｑ'を設ける場合には、第１のシ
ャッタ２１の案内溝２７ｅ近傍の傾斜部２５ｑ'と対向する部分にも傾斜部２１'を設ける。
【０４７５】
カートリッジ下体１１の内側下面１１ｕには、爪部２５が設けられた凸部２５ｅの先端を受ける溝１１ｅ'が設けられている。爪部２５を設けることにより、凸部２５の先端部
分の内側下面１１ｕに対向する面積が広くなっているので、溝１１ｅ'の幅は、第２３の
実施形態のディスクカートリッジ３２３の溝１１ｅの幅より広くなっている。
【０４７６】
ディスクカートリッジ３２５を製造する際、爪部２５ｑを有する凸部２５ｅを案内溝２７ｅに装入しやすいように案内溝２７ｅの一端には溝の幅が広くなった装入口２７ｅ'が設けられている。装入口２７ｅ'は、第１および第２のシャッタ２１、２２が閉塞した状態において回転部材２５の凸部２５ｅが位置する部分以外に設ける。好ましくは、装入部２７ｅ'は、第１および第２のシャッタ２１、２２が開放状態にあるときに凸部２５ｅが位置する案内溝２７ｅの一端に設ける。
【０４７７】
このように爪部２５ｑおよび爪部２５ｒを設けることによって、回転部材２５の凸部２５ｅ、２５ｆが第１のシャッタ２１の案内溝２７ｅおよび第２のシャッタ２２の案内溝２７ｆから脱落するのを防止することができる。特に、第１および第２のシャッタ２１、２２が閉塞状態にあり、ディスク保持部２１ｂ、２２ａ、２２ｂを用いてディスク１００を保持している場合、ディスクカートリッジ３２５に落下衝撃等の衝撃が加わることにより、ディスク保持部２１ｂ、２２ａ、２２ｂを介して第１および第２のシャッタ２１、２２に強い負荷あるいは衝撃がかかる。このような場合に、回転部材２５の凸部２５ｅ、２５ｆが案内溝２７ｅ、２７ｆから外れること有効に防止することができる。このため、落下衝撃等にも強く、実用性の高いディスクカートリッジ３２５が得られる。
【０４７８】
なお本実施形態では、凸部２５ｅおよび凸部２５ｆの両方に爪部２５ｑおよび爪部２５ｒを設けているが、凸部２５ｅおよび凸部２５ｆの回転部材２５における位置や、ディスク保持部２１ｂ、２２ａ、２２ｂとの距離などによって、爪部２５ｑまたは爪部２５ｒを設けなくても凸部２５ｅまたは凸部２５ｆが案内溝２７ｅまたは案内溝２７ｆから外れる可能性が低い場合には、爪部２５ｑまたは爪部２５ｒは設けなくてもよい。つまり、凸部２５ｅおよび凸部２５のいずれか一方にのみ爪部を設けてもよい。
【０４７９】
次に図１６５を参照して、ディスク１００のセンタホール１００ｈ内へ突出する突起について説明する。図１６５は、図１６３と同様、ディスクカートリッジ３２５からカートリッジ上体１２および脱落防止部材５５を取り去ってその上面を示す平面図であり、第１および第２のシャッタ２１、２２が開放している状態を示している。
【０４８０】
図１６５に示すように第１のシャッタには、第２１の実施形態や第２３の実施形態と同様、突起３５が設けられている。一方、第２のシャッタ２２には、突起３６に加えて、突起４８が形成されている。突起３５は、第１のシャッタ２１の凸部２１ｗの上面よりも突出し、突起３６および４８は凸部２２ｗの上面より突出している。また、第１および第２のシャッタ２１、２２が閉塞状態にあるとき、第１および第２のシャッタ２１、２２が形成する孔２０ｈの内側に突起３５、３６、４８は位置している。第１および第２のシャッタ２１、２２が閉塞状態にあるとき、孔２０ｈはディスク１００のセンタホール１００ｈと重なるよう位置しているので、第１および第２のシャッタ２１、２２が閉塞状態にあるとき、ディスク１００のセンタホール１００ｈ内へ突起３５、３６、４８は突出しており、ディスク１００のセンタホール１００ｈ近傍を凸部２１ｗ、２２ｗが保持している。
【０４８１】
第１および第２のシャッタ２１、２２が開放動作を始めると、突起３５、３６、４８はディスク１００のセンタホール１００ｈ内部からディスク１００の外周側へ移動する。したがって、突起３５、３６、４８の上面がディスク１００と接触し、ディスク１００を持ち上げるように保持する。このとき突起３５、３６、４８は、ディスク１００の信号記録面１００Ａの１００ｅで示される非信号記録領域と接触する。突起３５、３６、４８は凸部２１ｗ、２２ｗよりも突出しているので、信号記録面１００Ａと突起３５、３６、４８が接触することによって、凸部２１ｗおよび２２ｗは信号記録面１００Ａから非接触の状態となる。これによって、凸部２１ｗ、２２ｗや凸部３５ｄ、３６ｄが信号記録面１００Ａ、特に信号記録領域に接触することを防ぐことができる。
【０４８２】
また、３つの突起３５、３６、４８がディスク１００と接触することにより、ディスク１００が傾くことなく安定して保持することが可能となり、信号記録面１００Ａの信号記録領域が第１および第２のシャッタ２１、２２と接触することを確実に防ぐことができる。
【０４８３】
図１６５に示すように第１および第２のシャッタ２１、２２が完全に開放した状態において、突起３５、３６、４８は、いずれも信号記録面１００Ａの１００ｅで示される非信号記録領域内にとどまっている。このため、突起３５、３６、４８が、信号記録面１００Ａの信号記録領域に接触する恐れはない。
【０４８４】
第１および第２のシャッタ２１、２２が閉塞する場合も、突起３５、３６、４８がディスク１００を持ち上げた状態で第１および第２のシャッタ２１、２２が移動する。このため、凸部２１ｗ、２２ｗや凸部３５ｄ、３６ｄが信号記録面１００Ａの信号記録領域に接触することを防止する。
【０４８５】
このように、第１および第２のシャッタ２１、２２が開放および閉塞するとき、３つの突起３５、３６、４８を用いることによって、ディスク１００をディスク収納部の底部や第１および第２のシャッタ２１、２２に対してほぼ平行に保ちながら持ち上げることが可能となる。したがって、信号記録面１００Ａの信号記録領域が第１および第２のシャッタ２１、２２と接触することを確実に防ぐことができる。
【０４８６】
次に図１６６から図１７１を参照して回転部材受け部１１ｚを説明する。図１６６および図１６８は、図１６３と同様、ディスクカートリッジ３２５からカートリッジ上体１２および脱落防止部材５５を取り去って、その上面を示す平面図である。図１６６は第１および第２のシャッタ２１、２２が閉塞している状態を示し、図１６８は第１および第２のシャッタ２１、２２が開放している状態を示している。図１６７および１６９はそれぞれ図１６６および１６８のＳ−Ｓ断面を示している。
【０４８７】
回転部材受け部１１ｚは、カートリッジ下体１１に設けられたヘッド開口部１１ｈに隣接して、カートリッジ下体１１の内側下面１１ｕ上に設けられ、ディスク開口部に面する斜面１１ｚ'を有している。ヘッド開口部１１ｈが設けられたカートリッジ下体１１の側
面１１ａは、ヘッド開口部１１ｈに沿ってチャッキング開口部１１ｃ側に少し入り込むように形成されており、回転部材受け部１１ｚと連なっている。
【０４８８】
図１６６に示すように、第１および第２のシャッタ２１、２２が閉塞している状態では、第１のシャッタ２１の凸部２７ａが回転部材受け部１１ｚ近傍に位置する。このため、図１６７に示すように、回転部材受け部１１ｚは、第１のシャッタ２１の凸部２７ａと接する。第１のシャッタ２１の凸部２７ａには、回転部材受け部１１ｚの斜面１１ｚ'に対応する斜面２７ａ'が設けられている。このとき、回転部材２５は第１のシャッタ２１上に位置しており、回転部材受け部１１ｚとは接触しない。
【０４８９】
一方、図１６８に示すように第１および第２のシャッタ２１、２２が開放している状態では、第１のシャッタ２１はヘッド開口部１１ｈから遠ざかったところに位置している。回転部材受け部１１ｚ近傍には、第１のシャッタ２１は位置していない。このため、図１６９に示すように、カートリッジ下体１１の内側下面１１ｕと回転部材２５の底面との間にはハッチングで示す空間Ｓ１が生じている。
【０４９０】
しかし、回転部材２５の側壁２５ｉの底部の角２５ｉ'が回転部材受け部１１ｚの斜面
１１ｚ'と当接することにより、空間Ｓ１が形成されているのにもかかわらず、回転部材
受け部１１ｚは回転部材２５を所定の高さで保持する。これにより、特に回転部材２５に設けられた切り欠き２５ｃを跨ぐ側壁２５ｉのブリッジ部分２５ｖの下面とカートリッジ下体１１の裏面との距離Ｌ１を確実に確保することが可能となる。
【０４９１】
この効果を図１７０および図１７１を参照して、さらに説明する。図１７０および図１７１は、図１６８におけるＴ−Ｔ断面を示しており、図１７０は回転部材受け部１１ｚを有する本実施形態の断面を、図１７１は、回転部材受け部１１ｚを有しないカートリッジの断面を示している。
【０４９２】
上述したように、第１および第２のシャッタ２１、２２が開放している状態において、第１のシャッタ２１はヘッド開口部１１ｈから離れたところに位置しているため、第１のシャッタ２１側のヘッド開口部１１ｈ近傍では、カートリッジ下体１１の上に空間Ｓ１が生じる。図１７１に示すように、回転部材受け部１１ｚがない場合、回転部材２５の反りなどにより、この空間Ｓ１内に回転部材２５のディスク受け部２５ａの一部が変形して進入する可能性がある。このとき、側壁２５ｉのブリッジ部２５ｖはヘッド開口部１１ｈ内に垂れ下る。図１７１に示すように、ヘッド開口部１１ｈにブリッジ部２５ｖが垂れ下がってしまうと、ディスク１００へアクセスする光ヘッドがブリッジ部２５ｖと干渉し、光ヘッドが正しく動作することができないという問題が生じる。
【０４９３】
これに対して、図１７０に示すように回転部材受け部１１ｚを設けた場合には、上述したように、回転部材２５を回転部材受け部１１ｚが保持することによって空間Ｓ１内にディスク受け部２５ａの一部が進入することを防止する。これによって、ヘッド開口部１１ｈにブリッジ部２５ｖが垂れ下がるのを防ぎ、光ヘッドがディスク１００へアクセスする空間を確保することができる。
【０４９４】
次にカートリッジ下体１１に設けられた凹部１１ｙについて説明する。図１７２および図１７４は、ディスクカートリッジ３２５からカートリッジ上体１２および脱落防止部材５５を取り去って、その上面を示す平面図であり、図１７２は第１および第２のシャッタ２１、２２が開放動作の途中にある状態を示し、図１７４は第１および第２のシャッタ２１、２２が開放している状態を示している。図１７３は、図１７２のＵ−Ｕ断面を示している。
【０４９５】
図１７２および図１７４に示すように、凹部１１ｙはカートリッジ下体１１の内側下面１１ｕに設けられる。凹部１１ｙは、第１および第２のシャッタ２１、２２が閉塞および開放するときに、回転部材２５の切り欠き２５ｃが通過してディスク受け部２５ａと第１のシャッタ２１とが重なる領域に設けられる。凹部１１ｙは少なくとも第１のシャッタ２１がディスク受け部２５ａと重なる領域の下方に位置する部分を含んでおり、好ましくは、第１のシャッタ２１が内側下面１１ｕ側に撓むことができるように十分な面積および深さを有していることが好ましい。図１７２において凹部１１ｙは角が丸められた台形形状を有しているが、凹部１１ｙは矩形や他の形状を有していてもよい。
【０４９６】
第１および第２のシャッタ２１、２２が開放または閉塞動作を行う際、第１のシャッタ２１の先端近傍は、開放状態および閉塞状態ではディスク受け部２５ａと重なっているが、開放動作および閉塞動作の途中ではディスク受け部２５ａに設けられた切り欠き部２５ｃの下を通過する。このとき、第１のシャッタ２１や回転部材２５に反りが生じていたり、その厚さにばらつきが生じていたりすると、ディスク受け部２５ａがいったんカートリッジ下体１１の内側下面１１ｕから浮き上がる。そして、ディスク受け部２５ａと再び重なるときに、第１のシャッタ２１とディスク受け部２５ａが接触し大きな摩擦が生じる可能性がある。これに対して、凹部１１ｙが設けられている場合、図１７３において２点鎖線で示すように、第１のシャッタ２１は、凹部１１ｙが形成する空間Ｓ２内にその一部が進入するよう変形することによって回転部材２５のディスク受け部２５ａとの接触あるいは接触による摩擦等を低減することができる。
【０４９７】
このような構造により、シャッタの開閉動作の際、回転部材２５と、第１のシャッタ２１との摩擦等による負荷を低減し、回転部材２５の回転動作および回転部材２５の移動によるシャッタの開閉動作を滑らかにすることできる。したがってディスクカートリッジ３２５の操作性を向上させることができる。
【０４９８】
なお、本実施形態では、第１のシャッタ２１が通過する内側下面１１ｕの領域に凹部１１ｙが設けられるが、回転部材２５の回転方向によっては、シャッタの閉塞および開放にともなって、第２のシャッタ２２の一部が回転部材２５の切り欠き２５ｃを通過するような構成も考えられる。このような場合には、第２のシャッタ２２が通過する内側下面１１ｕの領域に凹部１１ｙを設けてもよい。
【０４９９】
次にシャッタが閉塞状態にあるとき、第１および第２のシャッタ２１、２２および回転部材２５のガタつきを防止する構造を説明する。図１７５は、図１６３と同様、ディスクカートリッジ３２５からカートリッジ上体１２および脱落防止部材５５を取り去って、その上面を示す平面図であり、図１７６はその一部を拡大して示す平面図である。
【０５００】
図１７５および図１７６に示すように、カートリッジ下体１１には、ヘッド開口部１１ｈに隣接して、カートリッジの中心側に突出する第１の凸部４９ａおよび第２の凸部４９ｂが設けられている。第１の凸部４９ａおよび第２の凸部４９ｂはカートリッジ下体１１の側壁１１ａと連なっている。一方、第１および第２のシャッタ２１、２２が閉塞状態にあるとき、第１の凸部４９ａおよび第２の凸部４９ｂとそれぞれ係合する第１の凸部６３ａおよび第２の凸部６３ｂが第１のシャッタの凸部２７ａおよび回転部材２５の側壁２５ｉに設けられている。
【０５０１】
第１のシャッタ２１の第１の凸部６３ａとカートリッジ下体１１の第１の凸部４９ａとは、第１のシャッタ２１が矢印２２Ａの方向に移動しようとする際に互いに当接し、第１のシャッタ２１の移動を規制する。また、回転部材２５の第２の凸部６３ｂとカートリッジ下体１１の第１の凸部４９ｂとは、回転部材２５が矢印２１Ａの方向に移動しようとする際に互いに当接し、回転部材２５の回転を規制する。回転部材２５が矢印２１Ａの方向へ移動することを規制されることによって、第２のシャッタ２２が２１Ａの方向へ移動することも規制される。
【０５０２】
図１４２を参照して第２３の実施形態において説明したように、第１のシャッタ２１に設けられた案内溝２７ｅおよび第２のシャッタ２２に設けられた案内溝２８ｆの端部は、シャッタ閉塞時において、案内溝２７ｅおよび案内溝２８ｆにそれぞれ係合する第１のシャッタ２１の凸部２５ｅおよび第２のシャッタ２２の凸部２５ｆがシャッタの開放動作にともなって移動する方向（２５Ｅおよび２５Ｆ）と直交するよう矢印２７Ｅおよび２８Ｆの方向に伸びている。このため、第１のシャッタ２１は矢印２１Ａの方向への移動が規制され、第２のシャッタ２２は、矢印２２Ａの方向への移動が規制されている。
【０５０３】
したがって、第１のシャッタ２１および第２のシャッタ２２は、これらの構造により矢印２１Ａの方向にも矢印２２Ａの方向にも移動することが規制され、シャッタが閉塞した状態における第１のシャッタ２１および第２のシャッタ２２のガタつきが防止される。また、第１のシャッタ２１および第２のシャッタ２２が、がたつきなく正規の位置を維持することができるため、第１のシャッタ２１のディスク保持部２１ｂおよび第２のシャッタ２２のディスク保持部２２ａ、２２ｂによりディスクを確実に保持することができる。
【０５０４】
なお、このとき、回転部材２５は矢印２１Ａへの方向へ回転しないよう規制されるが、矢印２２Ａの方向へは回転可能である。したがって、回転部材２５を矢印２２Ａの方向へ回転させることにより、シャッタの開放動作を行うことができる。
【０５０５】
図１７５に示すように、上記構造に加えて、シャッタの閉塞状態において、誤って回転部材２５を回転させシャッタの開放動作行わないようにするために、回転部材２５を固定するロック４４を設けてもよい。例えば、ロック４４は、弾性部４４ｂと、腕部４４ｃと、腕部４４ｃの先端に設けられた爪部４４ｄと、操作部４４ｆとを有している。ロック４４は、回転軸４４ａによってカートリッジ下体１１に支持され、操作部４４ｆを押すことによって回転軸４４ａを軸として揺動する。操作部４４ｆはカートリッジ下体１１に設けられた開口１１ｒ'から突出させる。また、弾性部４４ｂは側壁１１ａに当接させる。
【０５０６】
回転部材２５には、シャッタが閉塞した状態において、腕部４４ｃの爪部４４ｄと係合する開口２５ｓを設ける。爪部４４ｄと係合する開口２５ｓの替わりに爪部４４ｄと係合する溝であってもよい。
【０５０７】
図１７５に示すように、シャッタが閉塞している状態では、回転部材２５の開口２５ｓにロック４４の爪部４４ｄが係合するため、回転部材２５は矢印２１Ａの方向にも矢印２２Ａの方向にも回転しないよう、規制される。また、ロックを解除する場合には、操作部４４ｆを押しながら回転部材２５を矢印２２Ａの方向に回転させる。これによって、回転部材２５の開口２５ｓとロック４４の爪部４４ｄとの係合がはずれ、回転部材２５が回転する。
【０５０８】
このような構造を有するロック４４を設けることにより、シャッタが閉塞した状態において、回転部材２５は矢印２１Ａの方向および矢印２２Ａの方向に回転することが規制される。これにより、上記構造による効果に加えて、シャッタ閉塞時に第１および第２のシャッタ２１、２２のがたつきおよび回転部材２５のがたつきを防止し、ディスクの保持をより確実なものにすることができる。
【０５０９】
（第２６の実施形態）
以下に、本発明によるディスクカートリッジの第２６の実施形態を説明する。本実施形態のディスクカートリッジも、使用上の強度および防塵性などを向上させることにより、実用性を高める構造を備えている。
【０５１０】
図１７７は、本実施形態のディスクカートリッジ３２６を分解した状態で示す斜視図である。ディスクカートリッジ３２６において、第２５の実施形態あるいはそれ以前の実施形態のディスクカートリッジと同じ構成要素には同じ参照符号を付している。以下において詳述するように、ディスクカートリッジ３２５において、脱落防止部材３４は、カートリッジ本体１０の上面へ容易に取り付けることが可能であり、取り付け後は、カートリッジ本体１０から取り外しにくく、また、がたつきなくカートリッジ本体１０に保持される構造を備えている。
【０５１１】
回転部材２５は、シャッタ開放時にディスク１００がディスク保持部内で移動しても、ディスク１００の情報記録領域に傷がつきにくい構造を備えている。また、このとき、回転部材２５のヘッド開口部から露出する部分が変形しにくくなっている。
【０５１２】
シャッタ２１、２２に設けられたディスク保持部２１ｂ、２２ｂはディスクを収納した状態でディスクカートリッジ３２６を落下させても、衝撃によってディスク１００がディスクカートリッジ３２６から飛び出しにくい構造を備えている。落下による衝撃によってディスク１００の情報記録面に傷が生じにくい構造もシャッタ２１、２２および回転部材２５は備えている。
【０５１３】
また、ディスクカートリッジ３２６はヘッド開口部１１ｈおよびチャッキング開口部１１ｃから埃や塵がカートリッジ本体１０内へ侵入し、ディスク１００の情報記録面１００Ａに埃や塵が付着しにくい構造を備えている。
【０５１４】
なお、本実施形態のディスクカートリッジ３２６において、回転部材２５は、その円筒形の側面に設けられた一対の凹部および凹部に挟まれたギア部からなる操作部２５ｊを有している。ディスクカートリッジ３２６のシャッタ２１、２２を開閉するには、回転部材２５の一対の凹部およびギア部に係合する一対の凸部およびギア部を備えたシャッタ開閉機構を用いて、回転部材２５を回転させる。ディスクカートリッジ３２６は回転部材２５の１つの凹部と係合する凸部を有するロック部材９８を備えている。シャッタが閉塞状態にあるとき、ロック部材９８の凸部は、回転部材２５の凹部と係合し、回転部材２５が回転し、シャッタが動作するのを防止する。また、図１７７に示すように、ディスクカートリッジ３２６は、ディスクの種別等を判別するためのスライド部材９９を備えてもよい。スライド部材９９を移動させることによって、カートリッジ本体１２の裏面の所定の位置に設けられた孔（凹部）を閉じることができる。この位置は、ディスク種別の判別やライトプロテクトに用いることができる。
【０５１５】
上述の実用性を高める構造を詳細に説明する。まず、脱落防止部材３４および脱落防止部材３４が取り付けられるカートリッジ上体１２の構造を説明する。図１７８は、脱落防止部材３４をはずした状態で、脱落防止部材３４およびカートリッジ上体１２の脱落防止部材３４が取り付けられる領域近傍を示す斜視図である。図１７８に示すように、脱落防止部材３４は、一対の係合ピン３４ａ、３４ａ'と、一対の位置決めピン３４ｂ、３４ｂ'とを有する。カートリッジ上体１２の脱落防止部材３４が取り付けられる領域には、凹部１２ｋが形成されており、凹部１２ｋの底部には、係合ピン３４ａ、３４ａが挿入される一対の係合孔６４ｃ、６４ｃ'と位置決めピン３４ｂ、３４ｂ'が挿入される位置決め孔６４ｄ、６４ｄ'とが形成されている。脱落防止部材３４がカートリッジ上体１２に取り付けられた状態では、脱落防止部材３４の一部３４ｄはディスク開口部１２ｗへ突出し、ディスク１００がディスク開口部１２ｗから脱落するのを防止する。
【０５１６】
図１７９は、カートリッジ上体１２の位置決め孔６４ｄおよび係合孔６４ｃを横切る断面を示している。図１７９には、位置決め孔６４ｄおよび係合孔６４ｃのみを示しているが、位置決め孔６４ｄ'および係合孔６４ｃ'も図１７９に示す形状を備えている。図１７９に示すように、位置決め孔６４ｄおよび係合孔６４ｃは、それぞれカートリッジ上体１２からカートリッジ下体１１へ向かう第１の方向に伸びるボス６４ａおよびボス６４ｂの内側面によって規定されており、位置決め孔６４ｄおよび係合孔６４ｃも第１の方向に伸びている。図１７９に示すように、位置決め孔６４ｄの内径は位置決めピン３４ｂの外径とほぼ等しくなっている。このため、位置決めピン３４ｂが位置決め孔６４ｄに挿入された状態では位置決めピン３４ｂと位置決め孔６４ｄとの間にほとんど隙間は生じず、位置決めピン３４ｂが第１の方向と垂直な方向へ移動しないように位置決め孔６４ｄが位置決めピン３４ｂを保持する。
【０５１７】
脱落防止部材３４の係合ピン３４ａの先端には、第１の係合部３４ｃが設けられている。本実施形態では、第１の係合部３４ｃは係合ピン３４ａの外側へ広がる爪形状を有している。係合ピン３４ａは弾性を有する材料で形成されているが、外側に広がった係合部３４ｃ内側に押し縮めて円滑に係合孔６４ｃに挿入することができるよう、係合孔６４ｃは係合ピン３４ａの外形に対して少し大きく形成されている。
【０５１８】
係合ピン３４ａがボス６４ａによって規定される係合孔６４ｃに挿入されると、係合部３４ｃがボス６４ａの先端に張り出す。これにより、係合ピン３４ａが第１の方向へ移動しないように係合部３４ｃとボス６４ａとが係合する。つまり、ボス６４ａの先端が第１の係合部と係合する第２の係合部となる。本実施形態では、爪状の第１の係合部３４ｃをボス６４ａの先端である第２の係合部に係合させているが、第１の係合部３４ｃおよび第２の係合部は他の構造により形成されていてもよい。たとえば、第１の係合部３４ｃは係合ピン３４ａの側面に設けられた凹部であり、第２の係合部は係合孔６４ｃを規定する内側面に形成された凸部であってもよい。
【０５１９】
このように本実施形態によれば、位置決めピン３４ｂ、３４ｂ'および位置決め孔６４
ｄ、６４ｄ'によって第１の方向と垂直な方向に脱落防止部材３４を位置決めすることが
でき、また、係合ピン３４ａ、３４ａ'および係合孔６４ｃ、６４ｃ'によって、脱落防止部材３４を第１の方向に位置決めすることができる。したがって、脱落防止部材３４は、いずれの方向にも移動しにくくなっており、がたつきなく脱落防止部材３４をカートリッジ上体１２に取り付けることができる。取り付けられた脱落防止部材３４はがたつきなく固定されているため、力を加えて取り外そうとしても脱落防止部材３４が浮いたり、撓んだりすることがない。
【０５２０】
また、係合ピン３４ａおよび係合孔６４ｃ係合ピン３４ａが第１の方向に移動するのを規制するような係合構造をそれぞれ備えていればよいので、係合孔６４ｃは、係合ピン３４ａよりも多少大きくてもよい。一方、第１の方向と垂直な方向に移動するのを規制する位置決めピン３４ｂおよび位置決め孔６４ｄには係合部が設けられないため、位置決めピン３４ｂを位置決め孔６４ｄに挿入するのは容易である。したがって、上記構造によって、脱落防止部材３４を容易にカートリッジ上体１２に取り付けることが可能である。
【０５２１】
上記説明から明らかなように、位置決めピンおよび位置決め孔、ならびに、係合ピンおよび係合孔の組み合わせはそれぞれ少なくとも１つあれば、上記効果を発揮する。したがって、脱落防止部材３４に設けられる位置決めピンおよび係合ピンの数は脱落防止部材３４の形状や大きさ、脱落防止部材３４を構成する材質などに応じて任意に選択することができる。本実施形態のように、脱落防止部材３４がカートリッジ本体１０（カートリッジ上体１２とカートリッジ下体１１）の一辺に対して１／２よりも長い場合には、脱落防止部材３４は位置決めピンおよび位置決め孔をそれぞれ２つ以上設けることが好ましい。
【０５２２】
次に、ディスク１００のデータ記録領域に傷がつきにくくするための回転部材２５に設けられた構造を説明する。図１８０は、シャッタ２１、２２が閉塞した状態におけるディスク保持部２２ｂ近傍の構造を示している。回転部材２５のディスク受け部２５ａには、図１５２を参照して第２３の実施形態で説明した溝２５ｐがディスク１００と接する領域２５ｂの外側に設けられている。図１８０に示すように、回転部材２５は、溝２５ｐの一部を埋めるように設けられた複数の埋め込み部６６を有する。
【０５２３】
図１８１は、シャッタ２１、２２が閉塞した状態において、埋め込み部６６の１つを横切る断面を示している。図１８１に示すように、埋め込み部６６は、溝２５ｐを断面方向に完全に埋めており、その上面６６ａはディスク開口部の中心側に傾斜している。シャッタ２１、２２が閉塞した状態では、シャッタ２１、２２に設けられたディスク保持部２１ｂ、２２ａ、２２ｂがディスクを把持し、固定しているため、ディスク１００は回転部材２５の領域２５ｂと接触している。
【０５２４】
図１８２に示すように、シャッタ２１、２２が開放されると、ディスク保持部２１ｂ、２２ａ、２２ｂがディスク１００を解放するため、ディスク１００はディスク収納部１０ｄ内で移動し得る。ディスク１００が移動して、カートリッジ上体１２の側面１２ｉに接近すると、ディスク１００が埋め込み部６６に乗り上げて、信号記録面１００Ａの外周にある稜が埋め込み部６６の斜面６６ａと接する。このため、信号記録面１００Ａが回転部材２５の他の部分と接触することを防止することができ、特に信号記録領域１００ｄが、ディスク受け部２５ａと接触して傷が生じるのを防止することができる。
【０５２５】
埋め込み部６６は溝２５ｐを埋めるため、溝２５ｐ全体に渡って連続的に埋め込み部６６を形成すると、第２３の実施形態で説明した溝２５ｐの防塵機能が損なわれる。このため、溝２５ｐが残るように、埋め込み部６６を断続的に複数設けることが好ましい。一方、埋め込み部６６の周方向の長さが０．５ｍｍ以下になると、ディスク１００が埋め込み部６６に乗り上げる際、埋め込み部６６の斜面６６ａとディスク１００とが接触する領域が小さくなり、ディスク１００の埋め込み部６６から受ける力が一部に集中する。その結果、ディスク１００に傷や接触の痕跡が生じる可能性がある。このため、埋め込み部６６の周方向の長さは、１ｍｍ以上であることが好ましい。周方向の長さの上限はディスクカートリッジ３２６が収納するディスク１００のサイズに依存する。たとえば、ディスク１００の直径が５インチである場合には、１０ｍｍ以下であることが好ましい。好適な周方向の長さは、２ｍｍ〜５ｍｍである。
【０５２６】
なお、上記範囲の長さを有する埋め込み部６６であっても、シャッタ閉塞時において、ディスク保持部２１ｂ、２２ａ、２２ｂと重なる位置、あるいは、ディスク保持部２１ｂ、２２ａ、２２ｂのごく近傍に埋め込み部６６を設けることは好ましくない。なぜなら、シャッタ閉塞時にディスク保持部２１ｂ、２２ａ、２２ｂと埋め込み部６６とが近接している場合においてディスクカートリッジに大きな外力が加わると、ディスク１００のレベル面１００Ｂ側においてディスク保持部２１ｂ、２２ａ、２２ｂと稜で接触することにより分散される力が、情報記録面１００Ａ側では埋め込み部６６に集中し、ディスク１００に埋め込み部６６との接触による傷や接触の痕跡が生じる可能性があるからである。
【０５２７】
次に、ディスクを収納した状態でディスクカートリッジ３２６に大きな衝撃が加わっても、衝撃によってディスク１００がディスクカートリッジ３２６から飛び出しにくい構造について説明する。
【０５２８】
図１８３は、シャッタが閉塞しており、ディスク保持部２１ｂ、２２ａ、２２ｂがディスク１００を保持した状態にある場合のディスク保持部２２ｂ近傍の構造を示す斜視図である。図１８４は図１８３に示す構造のディスク保持部２２ｂを含む断面を示している。第２２の実施形態などで説明したディスクカートリッジでは、各ディスク保持部はディスクを保持するための斜面を１つ備えていた。本実施形態では、ディスク保持部は複数の面を有する。以下では、ディスク保持部２２ｂについて説明するが、ディスク保持部２１ｂも同様の構造を備える。
【０５２９】
図１８３および図１８４に示すように、ディスク保持部２２ｂは、ディスク収納部の底部垂直な方向に配置され、底部に面するように傾斜した第１の斜面６７ａおよび第２の斜面６７ｃと、水平面６７ｂとを有する。水平面６７ｂは、第１の斜面６７ａおよび第２の斜面６７ｃとの間に設けられ、底部とほぼ平行になっている。第２２の実施形態において詳細に説明したように、シャッタ２２のディスク保持部２２ｂが設けられた底部にはテーパ２６ｃが設けられ、カートリッジ下体１１のディスク保持部２２ｂが位置する領域には凹部１１ｘが設けられている。シャッタ２２のテーパ２６ｃが設けられ領域２６ｂは、厚さが小さくなっているため、弾性変形し得る。
【０５３０】
図１８４に示すように、シャッタが閉塞状態にあるとき、ディスク１００の稜１００ｃは、ディスク保持部２２ｂの第２の斜面６７ｂと当接する。これにより、ディスク１００をディスク収納部の底部側に押し付けながらディスク１００を把持し、ディスク１００を固定する。通常、この状態でディスクカートリッジ３２６を持ち運びすることができる。
【０５３１】
図１８４に示す状態で、ディスクカートリッジ３２６を落下させたりするなど、ディスクカートリッジ３２６になんらかの強い外力が加わると、ディスク１００に慣性力が働き、図１８４において矢印で示すように、ディスク１００の中心から外側へ押す力がディスク保持部２２ｂ加わる。このため、図１８５に示すように、シャッタ２２の領域２６ｂが変形し、カートリッジ下体１１の凹部１１ｘにシャッタ２２の領域２６ｂが入り込む。このとき、ディスク保持部２２ｂは外側へ傾くので、ディスク保持部２２ｂの第２の斜面６７ｃはディスク１００の稜１００ｃから離れ、ディスク１００が解放される。
【０５３２】
ディスク保持部２２ｂの傾きは、ディスク保持部２２ｂが回転部材２５に設けられたストッパ２５ｔと当接することによって規制され、ディスク保持部２２ｂは、それ以上外側へ傾くことが防止される。
【０５３３】
ディスク保持部２２ｂから解放されたディスク１００は、落下等による衝撃によって、さらにディスク開口部１２ｗから脱落するように力が働く可能性がある。しかし、ディスク保持部２２ｂが傾いた状態でも、ディスク保持部の水平面６７ｂがなお、ディスク１００の外周の上方に位置している。このため、ディスク１００は水平面６７ｂと当接することにより、ディスク開口部１２ｗから脱落することが防がれる。
【０５３４】
ディスク保持部２２ｂの第１の斜面は、シャッタ閉塞時にディスク収納部のできるだけ上方の位置からディスク１００の稜１００ｃと当接することにより、ディスク１００を所定の位置からディスク１００を保持する適切な位置へ導く。この機能は、第２５の実施形態以前においてディスク保持部２２ｂの斜面２２ｂ'の動作として詳細に説明した通りで
ある。
【０５３５】
このように本実施形態によれば、ディスクを保持した状態のディスクカートリッジ３２６に大きな外力が加わっても、ディスク保持部２２ｂの水平面６７ｂによって、ディスク１００がディスク開口部１２ｗから脱落することを防止することができる。
【０５３６】
次に回転部材２５の変形を防止する構造を説明する。図１８６は、ディスクカートリッジ３２６からカートリッジ上体１２を取り去って示した斜視図であり、シャッタが開放した状態を示している。図１８７は、ヘッド開口部１１ｈの先端近傍を拡大して示した斜視図である。図１８６に示すように、シャッタ２１、２２がヘッド開口部１１ｈを開放した状態において、図示しない光ヘッドがヘッド開口部１１ｈからディスク１００（図示せず）に障害なくアクセスするために、回転部材２５のディスク受け部２５ａには切り欠き２５ｃが設けられている。この切り欠き２５ｃはディスク受け部２５ａから回転部材２５の側面２５ｉの一部にまで達している。
【０５３７】
しかし、切り欠き２５ｃを設けることによって、シャッタの開放時に側面２５ｉのヘッド開口部１１ｈに位置する部分であるブリッジ部２５ｖは細くなっており、撓みやすくなってしまう。このため、ブリッジ部２５ｖの下方の空間を確保し、光ヘッドがディスクにアクセスする際、ブリッジ部２５ｖと接触しないように、カートリッジ下体１１のヘッド開口部１１ｈを挟む一対の支持部１１ｋが設けられている。支持部１１ｋは、カートリッジ下体１１の側壁と一体的に形成されており、シャッタ開放時において、ブリッジ部２５ｖの底部と当接することによって、ブリッジ部２５ｖの高さを規制するとともに、ブリッジ部２５ｖを開口部１１ｈのできるだけ近傍で支持することによってブリッジ部２５ｖの変形を防止している。図１８７に示すように、支持部２５ｖがブリッジ部２５ｖのみと当接し、回転部材２５の側壁２５ｉの他の部分とは接触しないよう、ブリッジ部２５ｖは側壁２５ｉの他の部分と比べて外周側に突出している。
【０５３８】
このような構造により、シャッタ開放時において、回転部材２５のブリッジ部２５ｖの位置を規制し、光ヘッドがアクセスするための空間を確実に確保することが可能となる。
【０５３９】
次に、ディスク１００の情報記録面に傷が生じにくい構造を説明する。図１８８は、ディスクカートリッジ３２６からカートリッジ上体１２を取り去って示した斜視図であり、シャッタが閉塞した状態を示している。図１８８においてハッチングで示しているように、シャッタ閉塞時において、シャッタ２１、２２のディスク１００（図示せず）と対向する面および、回転部材２５が有するディスク受け部２５ａの上面２５ｋのうち、シャッタ閉塞時において、ディスク１００と接触しない非接触領域にシボ加工（なし地加工）が施されている。シボ加工の凹凸差は５μｍ〜２０μｍであることが好ましい。本実施形態では、たとえば、１０μｍの凹凸差を有するシボ加工を施す。なお、シャッタ閉塞時においてディスク１００と接触する接触領域が非接触領域の外側に位置するが、接触領域にはシボ加工を施さないことが好ましい。ディスク１００と接触領域とを密着させ、埃や塵の侵入を防止する必要があるからである。
【０５４０】
上記シボ加工を施した領域は、シャッタが閉塞し、ディスク１００が保持された状態においては、ディスク１００とは接触しない。しかし、ディスク１００を保持した状態においてディスクカートリッジ３２６を落下させるなどして大きな衝撃が加わった場合、上述した領域にディスク１００の情報記録面が接触する可能性がある。このような場合、仮にディスク１００の情報記録面が上記領域と接触しても、シボ形状によって、その接触は点接触となる。このため、情報記録面に生じる傷が軽減され、情報記録面に記録されたデータの信号品質が劣化するのを防止することができる。
【０５４１】
また、ディスクカートリッジ３２６では、ディスク開口部１２ｗからディスクのレーベル面が露出している。このため、ユーザがレーベル面を指などで押さえることによって、ディスクが撓み、上記領域とディスクの情報記録面が接触する可能性がある。このような場合にも、シボ加工によって、情報記録面と上記領域との接触が点接触となり、シボ加工を施さない場合に生じる面あるいは線接触の場合に比べて、情報記録面に生じる傷を軽減することができる。
【０５４２】
なお、図１８８では、凸部２０ｗと凸部２０ｄとの間の領域にはシボ加工を施していないが、この部分にシボ加工を施してもよい。
【０５４３】
次にディスクカートリッジ３２６の防塵機構について説明する。図１８９の上部は、シャッタ２１、２２をカートリッジ下体１１に面する側から見た平面図であり、図１８９の下部はカートリッジ下体１１の内側面から見た平面図である。また、図１９０は、ディスクカートリッジ３２６からカートリッジ上体１２および回転部材２５を取り去って示す斜視図であり、シャッタが閉塞した状態を示している。図１９１は図１９０に示す構造を矢印の方向から見た、ヘッド開口部１１ｈを横切る断面図である。
【０５４４】
これらの図に示すように、カートリッジ下体１１の内側面１１ｕ上のヘッド開口部１１ｈおよびチャッキング開口部１１ｃの周囲には凸部７４ａが設けられている。凸部７４ａは、ヘッド開口部１１ｈを挟むように対向する２つの辺からヘッド開口部１１ｈおよびチャッキング開口部１１ｃに沿って伸びており、両側から伸びる凸部７４ａはカートリッジ下体１１中央近傍において一体となって、シャッタ２１、２２の回動軸３９'に向かって伸びている。
【０５４５】
また、シャッタ２１、２２の内側面１１ｕと対向する面には、シャッタ閉塞時において、カートリッジ下体１１の凸部７４ａを挟むように設けられた第１の凸部７３ａおよび第２の凸部７３ｂならびに第１の凸部７３ａ'および第２の凸部７３ｂ'が設けられている。
【０５４６】
図１９１によく示されるように、シャッタ閉塞時には、シャッタ２１、２２に設けられた第１の凸部７３ａおよび第２の凸部７３ｂによって形成される凹部にカートリッジ下体１１の凸部７４ａが係合する。これにより、ディスクカートリッジ３２６の内部がヘッド開口部１１ｈおよびチャッキング開口部１１ｃから密閉され、ヘッド開口部１１ｈおよびチャッキング開口部１１ｃから埃や塵が侵入するのを防ぐ。
【０５４７】
なお、図１８９および図１９０に示すように、シャッタ２１、２２の第１の凸部７３ａおよび第２の凸部７３ｂが設けられた面に、第１の凸部７３ａおよび第２の凸部７３ｂとほぼ同じ高さを有し、シャッタ２１、２２の回転孔３７'、３８'を中心とする円弧に沿って設けられた第３の凸部７３ｃ、７３ｃ'をさらに設けてもよい。第３の凸部７３ｃ、７
３ｃ'はシャッタ２１、２２が変形して、カートリッジ下体１１の内側面１１ｕと接触す
るのを防止するために、シャッタ２１、２２の位置を規制する。図１８９に示すように、第３の凸部７３ｃ、７３ｃ'は、シャッタ２１、２２のそれぞれに２つ以上設けてもよい
。
【０５４８】
次に、ディスク１００を収納したディスクカートリッジ３２６の製造方法を説明する。
【０５４９】
まず、カートリッジ上体１２、カートリッジ下体１１、回転部材２５、シャッタ２１、２２、脱落防止部材３４をそれぞれ射出成形などによって、樹脂を用いて成型する。回転部材２５およびシャッタ２１、２２はディスクカートリッジ３２６内で可動するので、引張り、曲げなどの機械的性質に優れ、かつ、耐磨耗性にも優れ、摩擦係数の小さい材料から構成されることが好ましい。たとえば、回転部材２５およびシャッタ２１、２２は、ポリアセタール（ＰＯＭ）からなる。カートリッジ上体１２およびカートリッジ下体１１は、衝撃に強く、着色性に優れる材料によって構成されることが好ましい。たとえば、カートリッジ上体１２、カートリッジ下体１１はＡＢＳ樹脂からなる。カートリッジ上体１２およびカートリッジ下体１１と回転部材２５およびシャッタ２１、２２とは好ましくは異なる材料により形成される。
【０５５０】
図１９２（ａ）に示すように、まず、シャッタ２１、２２の回動孔３７'、３８'をカートリッジ下体１１の内側面１１ｕに設けられた回動軸３９に挿入し、シャッタ２１、２２が開放した状態となるようにカートリッジ下体１１の内側面１１ｕ上にシャッタ２１、２２を配置する。図１９２（ｂ）に示すように、続いて、回転部材２５の突起２５ｅおよび突起２５ｆを案内溝２７ｅ、２８ｆにそれぞれ挿入し、シャッタ２１、２２上に回転部材２５を配置する。必要に応じて、回転部材２５をロックするためのロック部材９８およびディスクの種別を判別するためのスライド部材９９を配置する。
【０５５１】
図１９２（ｃ）に示すように、カートリッジ上体１２をカートリッジ下体１１に対向させる。カートリッジ上体１２およびカートリッジ下体１１を合わせた状態で冶具に固定し、ホーンを用いて超音波を印加し、カートリッジ上体１２およびカートリッジ下体１１を超音波融着によって接合する。超音波を印加することにより、カートリッジ上体１２とカートリッジ下体１１との接触部分において摩擦熱が生じ、接触部分が融解して接合される。このとき、回転部材２５およびシャッタ２１、２２は異なる材料で形成されているため、カートリッジ上体１２あるいはカートリッジ下体１１と融着することはない。これにより、カートリッジ上体１２およびカートリッジ下体１１が接合したカートリッジ本体１０が形成される。この後、接合によって発生した塵などを除去する除塵または洗浄工程等を行ってもよい。
【０５５２】
次に図１９３（ａ）に示すように、カートリッジ本体１０のディスク開口部１２ｗからディスク１００を挿入し、ディスク収納に収納する。続いて、脱落防止部材３４をカートリッジ本体１０に取り付ける。図９３（ａ）に示すように、係合ピン３４ａ、３４ａ'お
よび位置決めピン３４ｂ、３４ｂ'を係合孔６４ｃ、６４ｃ'および位置決め孔６４ｄ、６４ｄ'にそれぞれ挿入することによって、係合ピン３４ａ、３４ａ'が係合孔６４ｃ、６４ｃ'にそれぞれ固定される。これにより、図１９３（ｂ）に示すディスク１００を収納したディスクカートリッジ３２６が完成する。
【０５５３】
この方法によれば、カートリッジ上体１２およびカートリッジ下体１１を超音波融着によって接合後、ディスク１００を収納するため、超音波融着によって発塵が生じても、ディスク１００に塵が付着することはなく、ディスク１００の信頼性を高めることができる。また、カートリッジ本体１０を完成させてから、ディスク１００を収納することが可能であるため、カートリッジ本体１０の製造と、ディスク１００の製造とを別々に行い、それぞれを完成させた後、カートリッジ本体１０の製造場所あるいはディスク１００の製造場所とは異なる場所において、カートリッジ本体１０にディスク１００を収納し、脱落防止部材３４を取り付けることにより、ディスク１００を収納したディスクカートリッジ３２６'を製造することが可能となる。脱落防止部材３４の取り付けには特別な製造機器を必要としないため、ディスク１００をカートリッジ本体１０に収納する工程は、任意の場所で行うことも可能である。
【０５５４】
（第２７の実施形態）
以下、本発明によるディスクドライブ装置を説明する。
【０５５５】
図１９４は、ディスクドライブ装置９００の主要部を模式的に示す斜視図である。ディスクドライブ装置９００は、第１の実施形態のディスクカートリッジ３０１から第２６の実施形態のディスクカートリッジ３２６のいずれを装填（ローディング）することもできる。図１９４では、第２６の実施形態のディスクカートリッジ３２６を装填した状態を示している。また、ディスク１００は破線で示されている。
【０５５６】
ディスクドライブ装置９００は、ディスクカートリッジ３２６内に収納されたディスク１００を回転させる駆動手段９０２と、ディスク１００に対して情報を記録すること、および／またはディスク１００から情報を再生することを行うためのヘッド９０８とを備えている。
【０５５７】
駆動手段９０２は、スピンドルモータ９０４およびスピンドルモータ９０４の回転軸に取り付けられたターンテーブル９０６を含み、スピンドルモータ９０４は、ベース９１０に支持されている。ヘッド９０８は、図示しないアクチュエータにより、ガイド９１２に沿って移動する。
【０５５８】
また、ディスクドライブ装置９００は、アーム９１４に支持されたクランパー９１６を備える。ターンテーブル９０６およびクランパー９１６は、例えば磁石および磁性体をそれぞれ含む。後述するように、これらの吸引力によって、クランパー９１６とターンテーブル９０６との間にディスク１００を挟んで保持し、ディスク１００をターンテーブル９０６に固定する。これによって、スピンドルモータ９０４の駆動力を確実にディスク１００へ伝え、また面振れを生じさせることなくディスク１００を回転させる。
【０５５９】
ディスクカートリッジ３２６は、第１のシャッタ２１および第２のシャッタ２２を開閉するための操作部２５ｊをディスクカートリッジ３２６の挿入方向１Ａと平行な側面１０ｒに有している。このため、ディスクドライブ装置９００は、操作部２５ｊと係合してシャッタを開閉するためのシャッタ開閉機構９１８を、ディスクドライブ装置９００に装填されたディスクカートリッジ３２６の側面１０ｒに近接する領域に備えている。なお、図１９４では、操作部２５ｊを明示するために、シャッタ開閉機構９１８を操作部２５ｊから離間させて示している。また、シャッタ開閉機構９１８を移動させるアクチュエータも省略している。
【０５６０】
シャッタ開閉機構９１８は、ディスクドライブ装置９００に挿入されるディスクカートリッジのシャッタ開閉操作部の位置に対応して設けられる。例えば、第１の実施形態や第１０の実施形態のディスクカートリッジのように、ヘッド開口部１１ｈの設けられた側面１０ｐにシャッタ開閉操作部を有するディスクカートリッジを装填する場合には、側面１０ｐに近接する領域にシャッタ開閉機構９１８が設けられる。第１６から第１８の実施形態のディスクカートリッジをディスクドライブ装置９００に装着する場合には、側面１０ｑに近接してシャッタ開閉機構９１８を設けてもよい。
【０５６１】
また、シャッタ開閉機構９１８を２つ以上ディスクドライブ装置９００に設けてもよい。例えば、図１９４において、ディスクカートリッジ３２６の側面１０ｐにもシャッタ開閉機構９１８を設け、第１の実施形態のディスクカートリッジおよび第２３の実施形態のディスクカートリッジ３２６のいずれを装填することも可能なディスクドライブ装置９００を作製してもよい。
【０５６２】
シャッタ開閉機構９１８は、ディスクカートリッジに設けられた操作部２５ｊの形状や動作に係合するような構造を備えている。ディスクカートリッジ３２６の場合、操作部２５ｊをスライドさせることによって第１のシャッタ２１および第２のシャッタ２２を開閉させるので、操作部２５ｊに係合し、矢印１Ａと平行な方向にスライドするシャッタ開閉機構９１８を設ける。操作部２５ｊを歯車のみによって形成したり、第１６の実施形態のように、歯車状の操作部を有するディスクカートリッジを装填する場合には、歯車形状を有し、回転動作するシャッタ開閉機構９１８を用いてもよい。
【０５６３】
ベース９１０上にはディスクカートリッジ３２６が保持される高さを規定するポスト９２０が設けられており、ポスト９２０の上面上にディスクカートリッジ３２６が保持される。また、ディスクカートリッジ３２６に設けられた位置決め孔１１ｗに係合する位置決めピン９２２がベース９１０に設けられている。
【０５６４】
ポスト９２０および位置決めピン９２２は、駆動手段９０２に対してディスクカートリッジ３２６を所定の位置に位置決めして支持する支持構造として機能する。ポスト９２０および位置決めピン９２２の代わりに、支持構造としてトレイをディスクドライブ装置９００に設け、トレイを排出させて、ディスクカートリッジ３２６をトレイの上に置き、トレイを収納することによってディスク１００をディスク装置９００へ挿入するとともに、駆動手段９０２およびヘッド９０８に対してディスクカートリッジ３２６を所定の位置に位置決めしてもよい。また、トレイと位置決めピン９２２とを併用する支持構造を採用してもよい。
【０５６５】
以下に、ディスクドライブ装置９００の動作を説明する。
【０５６６】
まず、ディスク１００が収納されたディスクカートリッジ３２６をディスクドライブ装置９００に装着する。ディスクカートリッジ３２６の装着は、操作者が手動で行ってもよいし、図示しないローディング機構により、ディスクドライブ装置９００のディスクカートリッジ挿入孔から図１９４に示す位置にディスクカートリッジ３２６を搬送してもよい。この場合には、例えば、図１９４において矢印９２６で示す箇所に、第１の実施形態等で説明した凹部１０ｃや第１６の実施形態の凹部１０ｅを設けローディング機構を凹部１０ｃまたは凹部１０ｅに係合させてもよい。また、上述したようにトレイを用いてもよい。いずれかの方法により、ディスクカートリッジ３２６が駆動手段９０２およびヘッド９０８に対して所定の位置に位置決めされる。
【０５６７】
また、ディスクカートリッジ３２６の矢印９２８または矢印９３０で示す部分に第１の実施形態で説明した凹部１０ｇまたは第１６の実施形態のスリット１０ｂを設け、ディスクドライブ装置９００に凹部１０ｇまたはスリット１０ｂに係合する凸部（図示せず）を設けてもよい。このようにすることによって、ディスクカートリッジ３２６を上下あるいは前後反対向けにディスクドライブ装置９００へ挿入しようとしても、互いに干渉して正常に挿入することができない。これにより誤挿入を防止することができる。
【０５６８】
ディスクカートリッジ３２６が図１９４に示す位置に装着されると、シャッタ開閉機構９１８は操作部２５ｊに係合し、矢印１Ａと逆向きに操作部２５ｊをスライドさせる。これに伴って、第１のシャッタ２１および第２のシャッタ２２が開放動作を始め、ヘッド開口部１１ｈおよびチャッキング開口部１１ｃが開放される。また、第２０の実施形態において説明したように、第１のシャッタ２１および第２のシャッタ２２を介してシャッタ開閉機構９１８がディスク保持部２１ｂ、２２ａ、２２ｂにディスク１００の保持動作を解除させる。このため、ディスク１００がディスク保持部２１ｂ、２２ａ、２２ｂから解放される。続いて、クランパー９１６を保持しているアーム９１４が降下して、クランパー９１６とターンテーブル９０６との間にディスク１００が保持される。これにより、ディスク１００はディスクカートリッジ３２６の収納部内において、回転可能なようにターンテーブル９０６上に保持される。
【０５６９】
スピンドルモータ９０４によって、ディスク１００は回転する。そして、ヘッド９０８がディスク１００の情報記録領域にアクセスして、ディスク１００に情報を記録し、また、ディスク１００に記録された情報を再生する。
【０５７０】
ディスクカートリッジ３２６をディスクドライブ装置９００から排出（アンローディング）する場合、まず、アーム９１４を上昇させて、クランパー９１６をディスク１００から脱離させる。続いて、シャッタ開閉機構９１８を矢印１Ａの方向に移動させて、操作部２５ｊをスライドさせる。これに伴って、第１のシャッタ２１および第２のシャッタ２２が閉塞する。第１のシャッタ２１および第２のシャッタ２２が閉塞する際、ディスク保持部がディスク１００を把持し、第１のシャッタ２１および第２のシャッタ２２が完全に閉塞すると、ディスク保持部がディスク１００を保持する。その後図示しない、アンローディング機構によってディスクカートリッジ３２６をディスクドライブ装置９００から排出する。
【０５７１】
なお、図１９４においてディスクドライブ装置９００は、ディスクカートリッジ３２６を水平に保持している。しかし、第１の実施形態や第８の実施形態において説明したように、ディスクカートリッジを垂直に保持するようにディスクドライブ装置９００を構成してもよい。ディスクカートリッジが垂直にディスクドライブ装置９００に装填される場合であっても、脱落防止部材によってディスク収納部からディスク１００が脱落するのを防止することができる。
【０５７２】
上記第１から１９の実施形態では、シャッタに不織布を超音波等により貼り付ける形態を説明したが、ディスクの信号記録面に強靭なハードコート等が形成されることによってより傷が付きにくい構造をディスクが備えている場合には必ずしも不織布は必要はなく、シャッタが直接ディスクに面接触してもよい。また、シャッタの全面がディスクの信号記録面に面接触する必要はなく、シャッタの少なくとも一部がディスクの信号記録面に接触するような構造をシャッタが備えていてもよい。つまり、シャッタの全面ではなく、一部分がディスクと面接触する構造であってもよい。また、その面接触する部分に不織布等の傷付きを防止する構造を設けてもよい。
【０５７３】
上記第１から第２７の実施形態において、ディスクカートリッジに収納されるディスク１００は片面にのみ信号記録面を有していた。これは、本発明のディスクカートリッジがディスクの片面を外部に露出させる構造を有しており、そのような構造に最適なディスクの一例として片面にのみ信号記録面を有するディスクを例示しているにすぎない。例えば、両面に信号記録面を有するディスクであっても、本発明のディスクカートリッジに適切に収納され、ディスク装置にロードして、信号を記録したり再生したりすることができる。しかし、両面に信号記録面を有するディスクを本発明のディスクカートリッジに収納し、保管する場合には、露出した信号記録面に埃が付着してしまう可能性があるので、埃が付着しないよう何らかの機構を設けることが好ましい。
【０５７４】
また、上記第１から第２７の実施形態では、特にディスク１００の大きさについて言及しなかったが、１２ｃｍのディスクや、その他のサイズのディスクなど、種々のサイズのディスクを収納するディスクカートリッジとして本発明を実施することができる。
【０５７５】
さらに、上記第１から第２７の実施の形態では、ディスクカートリッジの外形は、ディスクよりわずかに大きい程度であるように図示されていたが、ディスクとディスクカートリッジとの大きさは、図示される関係に限定されるものではない。例えば、ディスクカートリッジの外形は１２ｃｍのディスクを収納できる程度に大きいが、ディスクカートリッジに設けられたディスク収納部やディスク保持部は８ｃｍのディスクを収納するのに適した大きさおよび構造であってもよい。このようなディスクカートリッジは、例えば、１２ｃｍディスク用記録／再生装置において、８ｃｍのディスクに対して記録／再生するためのアダプターとしても機能する。
【０５７６】
上記第１から第２７の実施形態のそれぞれで説明した特徴は、適宜組み合わせて実施することができる。例えば、第１９の実施形態において説明した回転防止部材を第１６の実施形態のディスクカートリッジに設けても良い。さらに、第１５の実施形態で説明した、埃を集めるための種々の凹部を第１６の実施形態のディスクカートリッジに設けても良い。このように、上記第１から第２７の実施形態の組み合わせの態様は多岐に渡るため、可能なすべての実施例の組み合わせを列挙するのは不可能である。しかし、そのような種々可能な実施形態の組み合わせを当業者が本願明細書に基づいて実施することは可能であり、そのような種々の可能な実施形態の組み合わせも本発明の範囲に含まれる。
【産業上の利用可能性】
【０５７７】
本発明のディスクカートリッジによれば、特に片面のみに記録面を有するディスクを収納するのに適している。カートリッジ本体がディスクの信号記録面のみを覆い、片面を露出させる構造を備えることにより、カートリッジの厚みを小さくできる。また、シャッタを、ディスクカートリッジの片側のみを覆う形状にすることによって、構造の簡素化を図り、シャッタのコストを低下させることができる。また、ディスク保持部あるいはディスク保持部材がディスクをシャッタあるいはカートリッジ本体に押し付けて保持するので、カートリッジ本体内においてディスクがガタつくことを防止でき、ディスクの信号記録面への埃等の付着も防止できる。加えてディスク開口部に露出したディスクレーベル面を利用することによりデザイン的に優れる。
【０５７８】
したがって、本発明によれば、薄型で、防塵性が高く、デザインに優れ、種々のドライブ装置に使用可能なディスクカートリッジが提供される。
【図面の簡単な説明】
【０５７９】
【図１】本発明の第１の実施形態におけるディスクカートリッジの全体構造を示す斜視図である。
【図２】図１のディスクカートリッジを下から見た斜視図である。
【図３】図１のディスクカートリッジを分解した状態を示す分解斜視図である。
【図４】図１のディスクカートリッジのディスク保持部材近傍を示す断面図である。
【図５】図１のディスクカートリッジのディスク保持部材近傍を示す断面図である。
【図６】図１のディスクカートリッジにおいて、シャッタが開放し、位置決めピンが挿入されている状態を示す斜視図である。
【図７】図６におけるディスク保持部材近傍を示す断面図である。
【図８】図６におけるディスク保持部材近傍を示す斜視図である。
【図９】本発明の第２の実施形態におけるディスクカートリッジの全体構造を示す平面図である。
【図１０】図９のディスクカートリッジにおいて、ディスクが開放された状態を示す平面図である。
【図１１】本発明の第３の実施形態におけるディスクカートリッジの全体構造を示す平面図である。
【図１２】図１１のディスクカートリッジにおいて、ディスクが開放された状態を示す平面図である。
【図１３】本発明の第４の実施形態におけるディスクカートリッジの全体構造を示す平面図である。
【図１４】図１３のディスクカートリッジにおいて、ディスクが開放された状態を示す平面図である。
【図１５】本発明の第５の実施形態におけるディスクカートリッジのシャッタが閉塞した状態における全体構造を示す平面図である。
【図１６】図１５のディスクカートリッジにおけるディスク保持部材の断面図である。
【図１７】図１５のディスクカートリッジのシャッタを開放した状態における全体構造を示す平面図である。
【図１８】図１７のディスクカートリッジにおけるディスク保持部材の断面図である。
【図１９】本発明の第６の実施形態６におけるディスクカートリッジのシャッタが閉塞した状態における全体構造を示す平面図である。
【図２０】図１９のディスクカートリッジのシャッタを開放した状態における全体構造を示す平面図である。
【図２１】本発明の第７の実施形態におけるディスクカートリッジのシャッタが閉塞した状態における全体構造を示す平面図である。
【図２２】図２１のディスクカートリッジのシャッタを開放した状態における全体構造を示す平面図である。
【図２３】第８の実施形態におけるディスクカートリッジの全体構造を示す斜視図である。
【図２４】図２３のディスクカートリッジを分解した状態を示す分解斜視図である。
【図２５】図２３のディスクカートリッジにおいて、カートリッジ上体とディスクがない場合においてシャッタが閉塞している状態を示す斜視図である。
【図２６】図２３のディスクカートリッジにおいて、カートリッジ上体とディスクがない場合においてシャッタが開放している状態を示す斜視図である。
【図２７】図２３のディスクカートリッジにおいて、ディスクがない場合においてシャッタが閉塞している状態を示す斜視図である。
【図２８】図２３のディスクカートリッジにおいて、ディスクがない場合においてシャッタが開放している状態を示す斜視図である。
【図２９】図２３のディスクカートリッジのディスク中心を通る断面を示す部分断面図である。
【図３０】図２３のディスクカートリッジのシャッタの一部を示す断面図である。
【図３１】図２３のディスクカートリッジの操作部近傍を示す部分平面図である。
【図３２】図２３のディスクカートリッジの脱落防止部材を示す斜視図である。
【図３３】図２３のディスクカートリッジをドライブ挿入方向から見た正面図である。
【図３４】本発明の第９の実施形態におけるディスクカートリッジの全体構造を示す斜視図である。
【図３５】図３４のディスクカートリッジを分解した状態を示す分解斜視図である。
【図３６】図３４のディスクカートリッジにおいて、ディスクがない場合にシャッタが閉塞している状態を示す斜視図である。
【図３７】図３４のディスクカートリッジにおいて、ディスクがない場合にシャッタが開放している状態を示す斜視図である。
【図３８】図３４のディスクカートリッジのディスク中心を通る断面であって、シャッタが閉塞した状態を示す部分断面図である。
【図３９】図３４のディスクカートリッジのディスク中心を通る断面であって、シャッ  タが開放した状態を示す部分断面図である。
【図４０】図３４のディスクカートリッジのディスク中心を通るディスク外周付近の断面であって、シャッタが閉塞した状態を示す断面図である。
【図４１】図３４のディスクカートリッジのディスク中心を通るディスク外周付近の断面であって、シャッタが開放した状態を示す断面図である。
【図４２】本発明の第１０の実施形態におけるディスクカートリッジの全体構造を示す斜視図である。
【図４３】図４２のディスクカートリッジを分解した状態を示す分解斜視図である。
【図４４】図４２のディスクカートリッジにおいて、ディスクがない場合にシャッタが閉塞している状態を示す斜視図である。
【図４５】図４２のディスクカートリッジにおいて、ディスクがない場合にシャッタが開放している状態を示す斜視図である。
【図４６】図４２のディスクカートリッジのディスク中心を通る断面であって、シャッタが閉塞した状態を示す部分断面図である。
【図４７】図４２のディスクカートリッジのディスク中心を通る断面であって、シャッタが開放した状態を示す部分断面図である。
【図４８】図４２のディスクカートリッジのディスク中心を通るディスク外周付近の断面であって、シャッタが閉塞した状態を示す断面図である。
【図４９】図４２のディスクカートリッジのディスク中心を通るディスク外周付近の断面であって、シャッタが開放した状態を示す断面図である。
【図５０】本発明の第１１の実施形態におけるディスクカートリッジの全体構造を示す斜視図である。
【図５１】図５０におけるディスクカートリッジを分解した状態を示す分解斜視図である。
【図５２】図５０のディスクカートリッジにおいて、ディスクがない場合にシャッタが閉塞している状態を示す斜視図である。
【図５３】図５０のディスクカートリッジにおいて、ディスクがない場合にシャッタが開放している状態を示す斜視図である。
【図５４】図５０のディスクカートリッジのディスク中心を通る断面であって、シャッタが閉塞した状態を示す部分断面図である。
【図５５】図５０のディスクカートリッジのディスク中心を通る断面であって、シャッタが開放した状態を示す部分断面図である。
【図５６】図５０のディスクカートリッジのシャッタの一部を示す断面図である。
【図５７】図５０のディスクカートリッジの操作部近傍を示す部分平面図である。
【図５８】本発明の第１２の実施形態のディスクカートリッジにおいて、ディスクがない場合にシャッタが閉塞している状態を示す斜視図である。
【図５９】図５８のディスクカートリッジのディスク中心を通る断面であって、シャッタが閉塞した状態を示す部分断面図である。
【図６０】図５８のディスクカートリッジにおいて、ディスクがない場合にシャッタが開放している状態を示す斜視図である。
【図６１】図５８のディスクカートリッジのディスク中心を通る断面であって、シャッタが開放した状態を示す部分断面図である。
【図６２】図５８のディスクカートリッジの変形例であって、ディスクがない場合においてシャッタが閉塞している状態を示す斜視図である。
【図６３】図６１のディスクカートリッジであって、ディスクがない場合においてシャッタが開放している状態を示す斜視図である。
【図６４】本発明の第１３の実施形態におけるディスクカートリッジの全体構造を示す斜視図である。
【図６５】図６４のディスクカートリッジを分解した状態を示す分解斜視図である。
【図６６】図６４のディスクカートリッジのシャッタが閉じた状態を示す概略平面図である。
【図６７】図６４のディスクカートリッジのシャッタが開いた状態を示す概略平面図である。
【図６８】シャッタロック部の詳細な斜視図である。
【図６９】シャッタのディスク保持部の詳細な断面図である。
【図７０】２枚のシャッタの接合面形状を示す断面図である。
【図７１】２枚のシャッタの接合面形状を示す断面図である。
【図７２】本発明の第１４の実施形態におけるディスクカートリッジの全体構造を示す斜視図である。
【図７３】図７２のディスクカートリッジのシャッタの斜視図である。
【図７４】図７２のディスクカートリッジのディスク保持部近傍の拡大斜視図である。
【図７５】図７２のディスクカートリッジのディスク保持部近傍の拡大斜視図である。
【図７６】図７２のディスクカートリッジのディスク保持部近傍の拡大断面図である。
【図７７】図７２のディスクカートリッジにおいて、シャッタが閉じた状態を示す概略平面図である。
【図７８】図７２のディスクカートリッジにおいて、シャッタが開いた状態を示す概略平面図である。
【図７９】図７８におけるＢ−Ｂ断面図である。
【図８０】図７８におけるＣ−Ｃ断面図である。
【図８１】図７７におけるＡ−Ａ断面図である。
【図８２】ディスク受け部の変形例を示す断面図である。
【図８３】本発明の第１５の実施形態におけるディスクカートリッジの分解した状態を示す分解斜視図である。
【図８４】図８３のディスクカートリッジにおいて、シャッタが閉じた状態を示す概略平面図である。
【図８５】図８３のディスクカートリッジにおいて、シャッタが開いた状態を示す概略平面図である。
【図８６】図８４におけるＤ−Ｄ断面図である。
【図８７】図８５におけるＥ−Ｅ断面図である。
【図８８】本発明の第１６の実施形態におけるディスクカートリッジの全体構造を示す斜視図である。
【図８９】図８８のディスクカートリッジを分解した状態を示す分解斜視図である。
【図９０】図８８のディスクカートリッジにおいて、シャッタが閉じた状態を示す概略平面図である。
【図９１】図８８のディスクカートリッジにおいて、シャッタが開いた状態を示す概略平面図である。
【図９２】図８８のディスクカートリッジの変形例を示しており、ディスクカートリッジのシャッタが閉じた状態を示す概略平面図である。
【図９３】図９２のディスクカートリッジにおいて、シャッタが開いた状態を示す概略平面図である。
【図９４】本発明の第１７の実施形態におけるディスクカートリッジの全体構造を示す斜視図である。
【図９５】図９４のディスクカートリッジを分解した状態を示す分解斜視図である。
【図９６】図９４のディスクカートリッジにおいてシャッタが閉じた状態を示す概略平面図である。
【図９７】図９４のディスクカートリッジにおいてシャッタが開いた状態を示す概略平面図である。
【図９８】本発明の第１８の実施形態におけるディスクカートリッジの全体構造を示す斜視図である。
【図９９】図９８のディスクカートリッジを分解した状態を示す分解斜視図である。
【図１００】図９８のディスクカートリッジにおいてシャッタが閉じた状態を示す概略平面図である。
【図１０１】図９８のディスクカートリッジにおいてシャッタが開いた状態を示す概略平面図である。
【図１０２】本発明の第１９の実施形態におけるディスクカートリッジを分解した状態を示す分解斜視図である。
【図１０３】図１０２のディスクカートリッジのディスク保持部近傍の拡大断面図である。
【図１０４】本発明の第２０の実施形態におけるディスクカートリッジの分解した状態を示す分解斜視図である。
【図１０５】図１０４に示すディスクカートリッジのカートリッジ上体を除いた状態における平面図である。
【図１０６】図１０５におけるＦ−Ｆ線断面図である。
【図１０７】図１０４に示すディスクカートリッジのシャッタが閉じた状態におけるシャッタおよび回転部材を示す平面図である。
【図１０８】図１０７におけるＧ−Ｇ線断面図である。
【図１０９】図１０４に示すディスクカートリッジのシャッタが開いた状態におけるシャッタおよび回転部材を示す平面図である。
【図１１０】図１０９におけるＨ−Ｈ線断面図である。
【図１１１】図１０４に示すディスクカートリッジのシールド部材を示す斜視図である。
【図１１２】図１１１に示すシールド部材がカートリッジ上体に支持された状態を示す断面図である。
【図１１３】シャッタが閉じた状態におけるシールド部材端部での構造を示す断面図である。
【図１１４】シャッタが閉じた状態におけるシールド部材中央での構造を示す断面図である。
【図１１５】シャッタが開いた状態におけるシールド部材端部での構造を示す断面図である。
【図１１６】シャッタが開いた状態におけるシールド部材中央での構造を示す断面図である。
【図１１７】図１０４に示すディスクカートリッジの変形例を説明するための模式的平面図である。
【図１１８】図１０４に示すディスクカートリッジの変形例を説明するための模式的平面図である。
【図１１９】本発明の第２１の実施形態におけるディスクカートリッジの分解状態を示す分解斜視図である。
【図１２０】図１１９に示すディスクカートリッジの取り出し履歴ホール近傍を拡大して示す図である。
【図１２１】図１１９に示すディスクカートリッジの平面図である。
【図１２２】図１１９のＪ−Ｊ線断面図の回転軸近傍を示す図である。
【図１２３】図１１９のＪ−Ｊ線断面図の係止め部近傍を示す図である。
【図１２４】図１１９のＫ−Ｋ線断面図である。
【図１２５】図１１９に示すディスクカートリッジにおいて、脱落防止部材を解除した状態を示す平面図である。
【図１２６】図１２５のＪ−Ｊ線断面図の回転軸近傍を示す図である。
【図１２７】図１２５のＪ−Ｊ線断面図の係止め部近傍を示す図である。
【図１２８】図１１９に示すディスクカートリッジの変形例を説明するための模式的部分平面図である。
【図１２９】図１１９に示すディスクカートリッジの変形例を説明するための模式的部分平面図である。
【図１３０】図１１９に示すディスクカートリッジの他の変形例を説明するための模式的部分平面図である。
【図１３１】図１１９に示すディスクカートリッジの他の変形例を説明するための模式的部分平面図である。
【図１３２】本発明の第２２の実施形態におけるディスクカートリッジを示す平面図である。
【図１３３】図１３２のＬ−Ｌ線断面図である。
【図１３４】図１３２のＬ−Ｌ線断面図の一部を拡大して示す図である。
【図１３５】図１３２の一部を拡大して示す模式図である。
【図１３６】図１３２のＬ−Ｌ線断面図の他の一部を拡大して示す図である。
【図１３７】図１３２のＬ−Ｌ線断面図の他の一部を拡大して示す図である。
【図１３８】本発明の第２３の実施形態におけるディスクカートリッジにおいて、ディスクの下方に設ける空間を説明する図である。
【図１３９】ディスクの撓みを説明する図である。
【図１４０】ディスクの下方に設ける空間の例を示す図である。
【図１４１】ディスクの下方に設ける空間の他の例を示す図である。
【図１４２】本発明の第２３の実施形態におけるディスクカートリッジを示す平面図である。
【図１４３】図１４２のＡ−Ａ線断面図である。
【図１４４】図１４２に示すディスクカートリッジの分解した状態を示す分解斜視図である。
【図１４５】図１４２のディスクカートリッジを示す平面図である。
【図１４６】図１４５のＮ−Ｎ線断面およびＯ−Ｏ線断面を示す図である。
【図１４７】図１４２に示すディスクカートリッジの第１のシャッタおよび第２のシャッタの一部を拡大して示す斜視図である。
【図１４８】図１４５のＭ−Ｍ線断面を示す図である。
【図１４９】図１４２に示すディスクカートリッジの第１のシャッタおよび第２のシャッタの一部を拡大して示す斜視図である。
【図１５０】図１４５に示すディスクカートリッジの他の変形例を説明するための断面図である。
【図１５１】発明の第２４の実施形態におけるディスクカートリッジを、カートリッジ上体をはずして示す平面図である。
【図１５２】図１５１のＡ−Ａ線断面を示す図である。
【図１５３】図１５１に示すディスクカートリッジのシャッタが開放している状態を示す平面図である。
【図１５４】図１５１に示すディスクカートリッジのシャッタが閉塞し始めた状態を示す平面図である。
【図１５５】ディスク保持部とディスクの接触状態を示す視図である。
【図１５６】ディスク保持部とディスクの他の接触状態を示す視図である。
【図１５７】ディスク保持部とディスクの他の接触状態を示す視図である。
【図１５８】垂直に支持されたディスクカートリッジにおいて、ディスク保持部がディスクを保持する状態を示す斜視図である。
【図１５９】図１５８のＱ−Ｑ線断面を示す図である。
【図１６０】垂直に支持されたディスクカートリッジにおいて、ディスク保持部がディスクを保持する他の状態を示す斜視図である。
【図１６１】図１６０のＱ−Ｑ線断面を示す図である。
【図１６２】本発明の第２５の実施形態におけるディスクカートリッジを、分解した状態で示す分解斜視図である。
【図１６３】カートリッジ上体をはずした状態で示す、図１６２のディスクカートリッジの平面図である。
【図１６４】図１６３のＲ−Ｒ線断面を示す図である。
【図１６５】カートリッジ上体をはずした状態で示す、図１６２のディスクカートリッジの他の平面図である。
【図１６６】カートリッジ上体をはずした状態で示す、図１６２のディスクカートリッジの他の平面図である。
【図１６７】図１６６のＳ−Ｓ線断面を示す図である。
【図１６８】カートリッジ上体をはずした状態で示す、図１６２のディスクカートリッジの他の平面図である。
【図１６９】図１６８のＳ−Ｓ線断面を示す図である。
【図１７０】図１６８のＴ−Ｔ線断面を示す図である。
【図１７１】回転部材受け部がない場合における図１６８のＴ−Ｔ線断面を示す図である。
【図１７２】カートリッジ上体をはずした状態で示す、図１６２のディスクカートリッジの他の平面図である。
【図１７３】図１７２のＵ−Ｕ線断面を示す図である。
【図１７４】カートリッジ上体をはずした状態で示す、図１６２のディスクカートリッジの他の平面図である。
【図１７５】カートリッジ上体をはずした状態で示す、図１６２のディスクカートリッジの他の平面図である。
【図１７６】図１７６の一部を示す拡大図である。
【図１７７】本発明の第２６の実施形態におけるディスクカートリッジを、分解した状態で示す分解斜視図である。
【図１７８】図１７７に示すディスクカートリッジにおいて、脱落防止部材をはずした状態で、脱落防止部材およびカートリッジ上体の脱落防止部材が取り付けられる領域近傍を示す斜視図である。
【図１７９】図１７７に示すディスクカートリッジのカートリッジ上体の位置決め孔および係合孔を横切る断面を示している。
【図１８０】図１７７に示すディスクカートリッジにおいて、シャッタが閉塞した状態におけるディスク保持部近傍の構造を示している。
【図１８１】図１８０に示す埋め込み部の１つを横切る断面を示している。
【図１８２】図１８０に示す埋め込み部の１つを横切る断面を示している。
【図１８３】図１７７に示すディスクカートリッジにおいて、シャッタが閉塞しており、ディスク保持部がディスクを保持した状態にある場合のディスク保持部近傍を示す斜視図である。
【図１８４】図１７７に示すディスクカートリッジのディスク保持部を含む断面を示している。
【図１８５】図１７７に示すディスクカートリッジのディスク保持部を含む断面を示している。
【図１８６】図１７７に示すディスクカートリッジからカートリッジ上体を取り去って示した斜視図であり、シャッタが開放した状態を示している。
【図１８７】図１７７に示すディスクカートリッジのヘッド開口部１１ｈの先端近傍を拡大して示した斜視図である。
【図１８８】図１７７に示すディスクカートリッジからカートリッジ上体を取り去って示した斜視図であり、シャッタが開放した状態を示している。
【図１８９】シャッタおよびカートリッジ下体を示す平面図である。
【図１９０】図１７７に示すディスクカートリッジからカートリッジ上体および回転部材を取り去って示す斜視図であり、シャッタが閉塞した状態を示している。
【図１９１】図１９０に示す構造のヘッド開口部を横切る断面図である。
【図１９２】（ａ）〜（ｃ）は、図１７７に示すディスクカートリッジを製造する方法を説明する斜視図である。
【図１９３】（ａ）および（ｂ）は、図１７７に示すディスクカートリッジを製造する方法を説明する斜視図である。
【図１９４】本発明のディスクドライブ装置の主要部を示す斜視図である。
【符号の説明】
【０５８０】
１１  カートリッジ下体
１１ｃ  チャッキング開口部
１１ｈ  ヘッド開口部
１１ｅ、１１ｆ  案内溝
１２  カートリッジ上体
１２ｓ  脱落防止部材
２１  第１のシャッタ
２２  第２のシャッタ
２１ｂ、２２ａ、２２ｂ  ディスク保持部
２１ｗ、２２ｗ  凸部
２３、３４、５５、５９  脱落防止部材
２４  シールド部材
２５  回転部材
２５ａ  ディスク受け部
２５ｃ、２５ｄ、２５ｇ、２５ｈ  切り欠き
２５ｐ  溝
２７ｅ、２８ｆ  溝
３７、３８  回転軸
５６  蓋材
１００  ディスク
１４２ａ  第１の規制面
１４２ｂ  第２の規制面
３２０、３２１、３２２、３２３  ディスクカートリッジ
【図１】
2006092736.tif 000003
【図２】
2006092736.tif 000004
【図３】
2006092736.tif 000005
【図４】
2006092736.tif 000006
【図５】
2006092736.tif 000007
【図６】
2006092736.tif 000008
【図７】
2006092736.tif 000009
【図８】
2006092736.tif 000010
【図９】
2006092736.tif 000011
【図１０】
2006092736.tif 000012
【図１１】
2006092736.tif 000013
【図１２】
2006092736.tif 000014
【図１３】
2006092736.tif 000015
【図１４】
2006092736.tif 000016
【図１５】
2006092736.tif 000017
【図１６】
2006092736.tif 000018
【図１７】
2006092736.tif 000019
【図１８】
2006092736.tif 000020
【図１９】
2006092736.tif 000021
【図２０】
2006092736.tif 000022
【図２１】
2006092736.tif 000023
【図２２】
2006092736.tif 000024
【図２３】
2006092736.tif 000025
【図２４】
2006092736.tif 000026
【図２５】
2006092736.tif 000027
【図２６】
2006092736.tif 000028
【図２７】
2006092736.tif 000029
【図２８】
2006092736.tif 000030
【図２９】
2006092736.tif 000031
【図３０】
2006092736.tif 000032
【図３１】
2006092736.tif 000033
【図３２】
2006092736.tif 000034
【図３３】
2006092736.tif 000035
【図３４】
2006092736.tif 000036
【図３５】
2006092736.tif 000037
【図３６】
2006092736.tif 000038
【図３７】
2006092736.tif 000039
【図３８】
2006092736.tif 000040
【図３９】
2006092736.tif 000041
【図４０】
2006092736.tif 000042
【図４１】
2006092736.tif 000043
【図４２】
2006092736.tif 000044
【図４３】
2006092736.tif 000045
【図４４】
2006092736.tif 000046
【図４５】
2006092736.tif 000047
【図４６】
2006092736.tif 000048
【図４７】
2006092736.tif 000049
【図４８】
2006092736.tif 000050
【図４９】
2006092736.tif 000051
【図５０】
2006092736.tif 000052
【図５１】
2006092736.tif 000053
【図５２】
2006092736.tif 000054
【図５３】
2006092736.tif 000055
【図５４】
2006092736.tif 000056
【図５５】
2006092736.tif 000057
【図５６】
2006092736.tif 000058
【図５７】
2006092736.tif 000059
【図５８】
2006092736.tif 000060
【図５９】
2006092736.tif 000061
【図６０】
2006092736.tif 000062
【図６１】
2006092736.tif 000063
【図６２】
2006092736.tif 000064
【図６３】
2006092736.tif 000065
【図６４】
2006092736.tif 000066
【図６５】
2006092736.tif 000067
【図６６】
2006092736.tif 000068
【図６７】
2006092736.tif 000069
【図６８】
2006092736.tif 000070
【図６９】
2006092736.tif 000071
【図７０】
2006092736.tif 000072
【図７１】
2006092736.tif 000073
【図７２】
2006092736.tif 000074
【図７３】
2006092736.tif 000075
【図７４】
2006092736.tif 000076
【図７５】
2006092736.tif 000077
【図７６】
2006092736.tif 000078
【図７７】
2006092736.tif 000079
【図７８】
2006092736.tif 000080
【図７９】
2006092736.tif 000081
【図８０】
2006092736.tif 000082
【図８１】
2006092736.tif 000083
【図８２】
2006092736.tif 000084
【図８３】
2006092736.tif 000085
【図８４】
2006092736.tif 000086
【図８５】
2006092736.tif 000087
【図８６】
2006092736.tif 000088
【図８７】
2006092736.tif 000089
【図８８】
2006092736.tif 000090
【図８９】
2006092736.tif 000091
【図９０】
2006092736.tif 000092
【図９１】
2006092736.tif 000093
【図９２】
2006092736.tif 000094
【図９３】
2006092736.tif 000095
【図９４】
2006092736.tif 000096
【図９５】
2006092736.tif 000097
【図９６】
2006092736.tif 000098
【図９７】
2006092736.tif 000099
【図９８】
2006092736.tif 000100
【図９９】
2006092736.tif 000101
【図１００】
2006092736.tif 000102
【図１０１】
2006092736.tif 000103
【図１０２】
2006092736.tif 000104
【図１０３】
2006092736.tif 000105
【図１０４】
2006092736.tif 000106
【図１０５】
2006092736.tif 000107
【図１０６】
2006092736.tif 000108
【図１０７】
2006092736.tif 000109
【図１０８】
2006092736.tif 000110
【図１０９】
2006092736.tif 000111
【図１１０】
2006092736.tif 000112
【図１１１】
2006092736.tif 000113
【図１１２】
2006092736.tif 000114
【図１１３】
2006092736.tif 000115
【図１１４】
2006092736.tif 000116
【図１１５】
2006092736.tif 000117
【図１１６】
2006092736.tif 000118
【図１１７】
2006092736.tif 000119
【図１１８】
2006092736.tif 000120
【図１１９】
2006092736.tif 000121
【図１２０】
2006092736.tif 000122
【図１２１】
2006092736.tif 000123
【図１２２】
2006092736.tif 000124
【図１２３】
2006092736.tif 000125
【図１２４】
2006092736.tif 000126
【図１２５】
2006092736.tif 000127
【図１２６】
2006092736.tif 000128
【図１２７】
2006092736.tif 000129
【図１２８】
2006092736.tif 000130
【図１２９】
2006092736.tif 000131
【図１３０】
2006092736.tif 000132
【図１３１】
2006092736.tif 000133
【図１３２】
2006092736.tif 000134
【図１３３】
2006092736.tif 000135
【図１３４】
2006092736.tif 000136
【図１３５】
2006092736.tif 000137
【図１３６】
2006092736.tif 000138
【図１３７】
2006092736.tif 000139
【図１３８】
2006092736.tif 000140
【図１３９】
2006092736.tif 000141
【図１４０】
2006092736.tif 000142
【図１４１】
2006092736.tif 000143
【図１４２】
2006092736.tif 000144
【図１４３】
2006092736.tif 000145
【図１４４】
2006092736.tif 000146
【図１４５】
2006092736.tif 000147
【図１４６】
2006092736.tif 000148
【図１４７】
2006092736.tif 000149
【図１４８】
2006092736.tif 000150
【図１４９】
2006092736.tif 000151
【図１５０】
2006092736.tif 000152
【図１５１】
2006092736.tif 000153
【図１５２】
2006092736.tif 000154
【図１５３】
2006092736.tif 000155
【図１５４】
2006092736.tif 000156
【図１５５】
2006092736.tif 000157
【図１５６】
2006092736.tif 000158
【図１５７】
2006092736.tif 000159
【図１５８】
2006092736.tif 000160
【図１５９】
2006092736.tif 000161
【図１６０】
2006092736.tif 000162
【図１６１】
2006092736.tif 000163
【図１６２】
2006092736.tif 000164
【図１６３】
2006092736.tif 000165
【図１６４】
2006092736.tif 000166
【図１６５】
2006092736.tif 000167
【図１６６】
2006092736.tif 000168
【図１６７】
2006092736.tif 000169
【図１６８】
2006092736.tif 000170
【図１６９】
2006092736.tif 000171
【図１７０】
2006092736.tif 000172
【図１７１】
2006092736.tif 000173
【図１７２】
2006092736.tif 000174
【図１７３】
2006092736.tif 000175
【図１７４】
2006092736.tif 000176
【図１７５】
2006092736.tif 000177
【図１７６】
2006092736.tif 000178
【図１７７】
2006092736.tif 000179
【図１７８】
2006092736.tif 000180
【図１７９】
2006092736.tif 000181
【図１８０】
2006092736.tif 000182
【図１８１】
2006092736.tif 000183
【図１８２】
2006092736.tif 000184
【図１８３】
2006092736.tif 000185
【図１８４】
2006092736.tif 000186
【図１８５】
2006092736.tif 000187
【図１８６】
2006092736.tif 000188
【図１８７】
2006092736.tif 000189
【図１８８】
2006092736.tif 000190
【図１８９】
2006092736.tif 000191
【図１９０】
2006092736.tif 000192
【図１９１】
2006092736.tif 000193
【図１９２】
2006092736.tif 000194
【図１９３】
2006092736.tif 000195
【図１９４】
2006092736.tif 000196